(57)【特許請求の範囲】
【請求項１】
少なくとも、イエローインク、マゼンタインク、及びシアンインクを備え、
前記イエローインクが、下記式（Ｙ−１）及び下記式（Ｙ−２）で表される色材からなる群より選ばれる１種以上を含み、
前記マゼンタインクが、下記式（Ｍ−１）及び下記式（Ｍ−２）で表される色材からなる群より選ばれる１種以上を含み、
前記シアンインクが、下記式（Ｃ−１）及び下記式（Ｃ−２）で表される色材からなる群より選ばれる１種以上を含み、
前記イエローインクに含まれる、主鎖の炭素数が１２以上であるアセチレングリコールのアルキレンオキサイド付加物の含有量が、前記マゼンタインク又は前記シアンインクに含まれる主鎖の炭素数が１２以上であるアセチレングリコールのアルキレンオキサイド付加物の含有量よりも多い、
インクセット。
【化１】
0006520452.tif 000088
（式（Ｙ−１）中、Ｒ4は置換基を表し、Ｒ5は−ＯＲ6又は−ＮＨＲ7を表し、Ｒ6及びＲ7
は水素原子又は置換基を表し、Ｘ3は２価の連結基を表し、ｎ０は０又は１であり、Ａｒ3
は２価のヘテロ環基を表し、Ａｒ4はアルキル基、アリール基又はトリアジン基を表す。
）
【化２】
0006520452.tif 000089
（式（Ｙ−２）中、Ｒ1は水素原子又は置換基を表し、Ｒ2は置換基を表し、Ｒ3はイオン
性親水性基又は環を形成してもよいアルキル基を表し、ｎ４は０〜４であり、ｎ５は２〜
５である。）
【化３】
0006520452.tif 000090
（式（Ｍ−１）中、ＡM1は、炭素数１もしくは２のアルキレン基、フェニレン基を含有す
る炭素数１もしくは２のアルキレン基又は下記式（Ｍ−１−１）で表される基を表し、Ｘ
M1は、アミノ基、ヒドロキシ基、塩素原子、又はスルホ基もしくはカルボキシ基で置換さ
れたフェノキシ基を表す。）
【化４】
0006520452.tif 000091
（式（Ｍ−１−１）中、ＲM1は、水素原子又はアルキル基を表す。）
【化５】
0006520452.tif 000092
（上記式（Ｍ−２）中、ＡM2は、５員複素環基を表し、
ＢM21及びＢM22は、各々−ＣＲM21＝、−ＣＲM22＝を表すか、あるいはいずれか一方が
窒素原子，他方が−ＣＲM21＝又は−ＣＲM22＝を表し、
ＲM23，ＲM24は、各々独立して、水素原子、脂肪族基、芳香族基、複素環基、アシル基
、アルコキシカルボニル基、アリールオキシカルボニル基、カルバモイル基、アルキルス
ルホニル基、アリールスルホニル基、又はスルファモイル基を表わし、ＲM23，ＲM24は、
更に置換基を有していてもよく、
ＧM2、ＲM21、ＲM22は、各々独立して、水素原子、ハロゲン原子、脂肪族基、芳香族基
、複素環基、シアノ基、カルボキシル基、カルバモイル基、アルコキシカルボニル基、ア
リールオキシカルボニル基、アシル基、ヒドロキシ基、アルコキシ基、アリールオキシ基
、シリルオキシ基、アシルオキシ基、カルバモイルオキシ基、ヘテロ環オキシ基、アルコ
キシカルボニルオキシ基、アリールオキシカルボニルオキシ基、アルキル基又はアリール
基又は複素環基で置換されたアミノ基、アシルアミノ基、ウレイド基、スルフアモイルア
ミノ基、アルコキシカルボニルアミノ基、アリールオキシカルボニルアミノ基、アルキル
及びアリールスルホニルアミノ基、アリールオキシカルボニルアミノ基、ニトロ基、アル
キル及びアリールチオ基、アルキル及びアリールスルホニル基、アルキル及びアリールス
ルフィニル基、スルファモイル基、スルホ基、又はヘテロ環チオ基を表し、ＧM2、ＲM21
、ＲM22は、更に置換されていてもよく、
ＲM21とＲM23、あるいはＲM23とＲM24が結合して５〜６員環を形成してもよい。）
【化６】
0006520452.tif 000093
（式（Ｃ−１）中、
Ｒ2、Ｒ3、Ｒ6、Ｒ7、Ｒ10、Ｒ11、Ｒ14及びＲ15は、各々独立して、水素原子、ハロゲ
ン原子、アルキル基、シクロアルキル基、アルケニル基、アラルキル基、アリール基、ヘ
テロ環基、シアノ基、ヒドロキシル基、ニトロ基、アミノ基、アルキルアミノ基、アルコ
キシ基、アリールオキシ基、アミド基、アリールアミノ基、ウレイド基、スルファモイル
アミノ基、アルキルチオ基、アリールチオ基、アルコキシカルボニルアミノ基、スルホン
アミド基、カルバモイル基、スルファモイル基、アルコキシカルボニル基、ヘテロ環オキ
シ基、アゾ基、アシルオキシ基、カルバモイルオキシ基、シリルオキシ基、アリールオキ
シカルボニル基、アリールオキシカルボニルアミノ基、イミド基、ヘテロ環チオ基、ホス
ホリル基、アシル基又はイオン性親水性基を表す。これらの基は、さらに置換基を有して
いてもよい。
Ｚ1、Ｚ2、Ｚ3、及びＺ4は、各々独立して、置換若しくは無置換のアルキル基、置換若
しくは無置換のシクロアルキル基、置換若しくは無置換のアルケニル基、置換若しくは無
置換のアラルキル基、置換若しくは無置換のアリール基、又は置換若しくは無置換のヘテ
ロ環基を表す。但し、Ｚ1、Ｚ2、Ｚ3、及びＺ4のうち少なくとも１つは、イオン性親水性
基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す
。）
【化７】
0006520452.tif 000094
（式（Ｃ−２）中、
Ｒ1、Ｒ4、Ｒ5、Ｒ8、Ｒ9、Ｒ12、Ｒ13及びＲ16は、各々独立して、水素原子、ハロゲ
ン原子、アルキル基、シクロアルキル基、アルケニル基、アラルキル基、アリール基、ヘ
テロ環基、シアノ基、ヒドロキシル基、ニトロ基、アミノ基、アルキルアミノ基、アルコ
キシ基、アリールオキシ基、アミド基、アリールアミノ基、ウレイド基、スルファモイル
アミノ基、アルキルチオ基、アリールチオ基、アルコキシカルボニルアミノ基、スルホン
アミド基、カルバモイル基、スルファモイル基、アルコキシカルボニル基、ヘテロ環オキ
シ基、アゾ基、アシルオキシ基、カルバモイルオキシ基、シリルオキシ基、アリールオキ
シカルボニル基、アリールオキシカルボニルアミノ基、イミド基、ヘテロ環チオ基、ホス
ホリル基、アシル基又はイオン性親水性基を表す。これらの基は、さらに置換基を有して
いてもよい。
Ｚ5、Ｚ6、Ｚ7、及びＺ8は、各々独立して、置換若しくは無置換のアルキル基、置換若
しくは無置換のシクロアルキル基、置換若しくは無置換のアルケニル基、置換若しくは無
置換のアラルキル基、置換若しくは無置換のアリール基、又は置換若しくは無置換のヘテ
ロ環基を表す。但し、Ｚ5、Ｚ6、Ｚ7、及びＺ8のうち少なくとも１つは、イオン性親水性
基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す
。）
【請求項２】
前記イエローインク、前記マゼンタインク、又は前記シアンインクが、主鎖の炭素数が
１２以上であるアセチレングリコールのアルキレンオキサイド付加物と、主鎖の炭素数が
１０以上であるアセチレングリコールと、を含む、
請求項１に記載のインクセット。
【請求項３】
前記イエローインク、前記マゼンタインク、又は前記シアンインクが、ポリオキシアル
キレンアルキルエーテルを含む、
請求項１又は２に記載のインクセット。
【請求項４】
前記イエローインク、前記マゼンタインク、又は前記シアンインクに含まれる、主鎖の
炭素数が１２以上であるアセチレングリコールのアルキレンオキサイド付加物の含有量が
、０．０５０〜１．０質量％である、
請求項１〜３のいずれか１項に記載のインクセット。
【請求項５】
前記イエローインク、前記マゼンタインク、又は前記シアンインクに含まれる、ポリオ
キシアルキレンアルキルエーテルの含有量が０．１０〜０．３０質量％である、
請求項１〜４のいずれか１項に記載のインクセット。
【請求項６】
前記マゼンタインクが、前記式（Ｍ−１）及び前記式（Ｍ−２）で表される色材を含む
、請求項１〜５のいずれか１項に記載のインクセット。
【請求項７】
前記シアンインクが、前記式（Ｃ−１）及び前記式（Ｃ−２）で表される色材を含む、
請求項１〜６のいずれか１項に記載のインクセット。
【請求項８】
前記イエローインクが、前記式（Ｙ−１）及び前記式（Ｙ−２）で表される色材を含む
、請求項１〜７のいずれか１項に記載のインクセット。
【請求項９】
染料ブラックインク及び顔料ブラックインクの少なくとも一方を、さらに備える、請求
項１〜８のいずれか１項に記載のインクセット。
【請求項１０】
前記染料ブラックインクが、下記式（Ｂｋ−１）で表されるアゾ化合物又はその塩、及
び下記式（Ｂｗ−１）で表される色材からなる群より選ばれる少なくとも１種を含む、請
求項１〜９のいずれか１項に記載のインクセット。
【化８】
0006520452.tif 000095
（式（Ｂｋ−１）中、Ｒ1、Ｒ2、Ｒ5、Ｒ6及びＲ7は各々独立して水素原子、ハロゲン原
子、シアノ基、ヒドロキシル基、カルボキシル基、スルホ基、スルファモイル基、Ｎ−ア
ルキルアミノスルホニル基、Ｎ−フェニルアミノスルホニル基、ヒドロキシル基で置換さ
れてもよい炭素数１〜４のアルキルスルホニル基、ホスホ基、ニトロ基、アシル基、ウレ
イド基、炭素数１〜４のアルキル基（ヒドロキシル基又は炭素数１〜４のアルコキシ基で
置換されていてもよい）、炭素数１〜４のアルコキシ基（アルキル基はヒドロキシル基、
炭素数１〜４のアルコキシ基、スルホ基又はカルボキシル基で置換されていてもよい）、
アシルアミノ基、アルキルスルホニルアミノ基又はフェニルスルホニルアミノ基（フェニ
ル基はハロゲン原子、アルキル基又はニトロ基で置換されていてもよい）を、Ｒ3及びＲ4
は各々独立して水素原子、ハロゲン原子、シアノ基、カルボキシル基、スルホ基、ニトロ
基、炭素数１〜４のアルキル基（ヒドロキシル基又は炭素数１〜４のアルコキシ基で置換
されていてもよい）、炭素数１〜４のアルコキシ基（アルキル基はヒドロキシル基、炭素
数１〜４のアルコキシ基、スルホ基又はカルボキシル基で置換されていてもよい）、アシ
ルアミノ基、アルキルスルホニルアミノ基又はフェニルスルホニルアミノ基（フェニル基
はハロゲン原子、アルキル基又はニトロ基で置換されてもよい）を、ｎは０又は１をそれ
ぞれ表す。）
【化９】
0006520452.tif 000096
（式（Ｂｗ−１）中、Ｒ21、Ｒ22、Ｒ23、Ｒ24、Ｒ25、Ｒ26、Ｒ27及びＲ28は、各々独立
して、水素原子；ハロゲン原子；スルホ基；カルボキシ基；スルファモイル基；カルバモ
イル基；炭素数１〜４のアルキル基；炭素数１〜４のアルコキシ基；置換基として、ヒド
ロキシ基、炭素数１〜４のアルコキシ基、ヒドロキシ炭素数１〜４のアルコキシ基、スル
ホ基、及びカルボキシ基よりなる群から選択される少なくとも１種類の基で置換された炭
素数１〜４のアルコキシ基；炭素数１〜４のアルキルカルボニルアミノ基；カルボキシ基
で置換された炭素数１〜４のアルキルカルボニルアミノ基；ウレイド基；モノ炭素数１〜
４のアルキルウレイド基；ジ炭素数１〜４のアルキルウレイド基；置換基として、ヒドロ
キシ基、スルホ基、及びカルボキシ基よりなる群から選択される少なくとも１種類の基で
置換されたモノ炭素数１〜４のアルキルウレイド基；置換基として、ヒドロキシ基、スル
ホ基、及びカルボキシ基よりなる群から選択される少なくとも１種類の基で置換されたジ
炭素数１〜４のアルキルウレイド基；ベンゾイルアミノ基；ベンゼン環が、ハロゲン原子
、炭素数１〜４のアルキル基、ニトロ基、スルホ基、及びカルボキシ基よりなる群から選
択される少なくとも１種類の基で置換されたベンゾイルアミノ基；ベンゼンスルホニルア
ミノ基；又は、ベンゼン環が、ハロゲン原子、炭素数１〜４のアルキル基、ニトロ基、ス
ルホ基、及びカルボキシ基よりなる群から選択される少なくとも１種類の基で置換された
フェニルスルホニルアミノ基；を表し、Ｘは、２価の架橋基を表す。）
【請求項１１】
前記染料ブラックインクが、下記式（Ｂｋ−３）で表されるアゾ化合物又はその塩、及
び下記式（Ｂｋ−４）で表される色材からなる群より選ばれる少なくとも１種を含む、請
求項１〜１０のいずれか１項に記載のインクセット。
【化１０】
0006520452.tif 000097
【化１１】
0006520452.tif 000098
【請求項１２】
前記顔料ブラックインクが、自己分散型顔料を含む、請求項９〜１１のいずれか１項
に記載のインクセット。
【発明の詳細な説明】
【技術分野】
【０００１】
本発明は、インクセットに関する。
【背景技術】
【０００２】
インクジェット記録方法は、比較的単純な装置で、高精細な画像の記録が可能であり、各方面で急速な発展を遂げている。その中で、吐出安定性等について種々の検討がなされている。例えば、特許文献１には、耐オゾン性、耐光性及び耐湿性が良好な画像を記録媒体上に記録することが可能なインクセットを提供することを目的として、所定の着色剤を含む、イエローインク、マゼンタインク、及びシアンインクを備えたインクセットが開示されている。
【先行技術文献】
【特許文献】
【０００３】
【特許文献１】特開２００８−８１６９３号公報
【発明の概要】
【発明が解決しようとする課題】
【０００４】
インクセットは、カートリッジ、パック、大容量タンク等の様々なインク収容体に充填されて用いられる。このように、インクの使用用途の拡大に伴い、上記のような耐オゾン性、耐光性、耐湿性、及び耐ブリード性に加えて、さらに高信頼性（初期充填性、連続印字安定性）にも優れるインクセットが望まれる。
【０００５】
本発明は、上述の課題の少なくとも一部を解決するためになされたものであり、耐オゾン性、耐光性及び耐湿性に加えて、耐ブリード性、初期充填性、連続印刷性に優れるインクセットを提供することを目的とする。
【課題を解決するための手段】
【０００６】
本発明者らは、上記課題を解決するために鋭意検討した。その結果、所定の色材を含むインクを備えたインクセットであれば上記課題を解決できることを見出して、本発明を完成させた。
【０００７】
すなわち、本発明は以下のとおりである。
〔１〕
少なくとも、イエローインク、マゼンタインク、及びシアンインクを備え、
前記イエローインクが、下記式（Ｙ−１）及び下記式（Ｙ−２）で表される色材からな
る群より選ばれる１種以上を含み、
前記マゼンタインクが、下記式（Ｍ−１）及び下記式（Ｍ−２）で表される色材からな
る群より選ばれる１種以上を含み、
前記シアンインクが、下記式（Ｃ−１）及び下記式（Ｃ−２）で表される色材からなる
群より選ばれる１種以上を含み、
前記イエローインクに含まれる、主鎖の炭素数が１２以上であるアセチレングリコール
のアルキレンオキサイド付加物の含有量が、前記マゼンタインク又は前記シアンインクに
含まれる主鎖の炭素数が１２以上であるアセチレングリコールのアルキレンオキサイド付
加物の含有量よりも多い、
インクセット。
【化１】
0006520452.tif 000002
（式（Ｙ−１）中、Ｒ4は置換基を表し、Ｒ5は−ＯＲ6又は−ＮＨＲ7を表し、Ｒ6及びＲ7
は水素原子又は置換基を表し、Ｘ3は２価の連結基を表し、ｎ０は０又は１であり、Ａｒ3
は２価のヘテロ環基を表し、Ａｒ4はアルキル基、アリール基又はトリアジン基を表す。
）
【化２】
0006520452.tif 000003
（式（Ｙ−２）中、Ｒ1は水素原子又は置換基を表し、Ｒ2は置換基を表し、Ｒ3はイオン
性親水性基又は環を形成してもよいアルキル基を表し、ｎ４は０〜４であり、ｎ５は２〜
５である。）
【化３】
0006520452.tif 000004
（式（Ｍ−１）中、ＡM1は、炭素数１もしくは２のアルキレン基、フェニレン基を含有す
る炭素数１もしくは２のアルキレン基又は下記式（Ｍ−１−１）で表される基を表し、Ｘ
M1は、アミノ基、ヒドロキシ基、塩素原子、又はスルホ基もしくはカルボキシ基で置換さ
れたフェノキシ基を表す。）
【化４】
0006520452.tif 000005
（式（Ｍ−１−１）中、ＲM1は、水素原子又はアルキル基を表す。）
【化５】
0006520452.tif 000006
（上記式（Ｍ−２）中、ＡM2は、５員複素環基を表し、
ＢM21及びＢM22は、各々−ＣＲM21＝、−ＣＲM22＝を表すか、あるいはいずれか一方が
窒素原子，他方が−ＣＲM21＝又は−ＣＲM22＝を表し、
ＲM23，ＲM24は、各々独立して、水素原子、脂肪族基、芳香族基、複素環基、アシル基
、アルコキシカルボニル基、アリールオキシカルボニル基、カルバモイル基、アルキルス
ルホニル基、アリールスルホニル基、又はスルファモイル基を表わし、ＲM23，ＲM24は、
更に置換基を有していてもよく、
ＧM2、ＲM21、ＲM22は、各々独立して、水素原子、ハロゲン原子、脂肪族基、芳香族基
、複素環基、シアノ基、カルボキシル基、カルバモイル基、アルコキシカルボニル基、ア
リールオキシカルボニル基、アシル基、ヒドロキシ基、アルコキシ基、アリールオキシ基
、シリルオキシ基、アシルオキシ基、カルバモイルオキシ基、ヘテロ環オキシ基、アルコ
キシカルボニルオキシ基、アリールオキシカルボニルオキシ基、アルキル基又はアリール
基又は複素環基で置換されたアミノ基、アシルアミノ基、ウレイド基、スルフアモイルア
ミノ基、アルコキシカルボニルアミノ基、アリールオキシカルボニルアミノ基、アルキル
及びアリールスルホニルアミノ基、アリールオキシカルボニルアミノ基、ニトロ基、アル
キル及びアリールチオ基、アルキル及びアリールスルホニル基、アルキル及びアリールス
ルフィニル基、スルファモイル基、スルホ基、又はヘテロ環チオ基を表し、ＧM2、ＲM21
、ＲM22は、更に置換されていてもよく、
ＲM21とＲM23、あるいはＲM23とＲM24が結合して５〜６員環を形成してもよい。）
【化６】
0006520452.tif 000007
式（Ｃ−１）中、
Ｒ2、Ｒ3、Ｒ6、Ｒ7、Ｒ10、Ｒ11、Ｒ14及びＲ15は、各々独立して、水素原子、ハロゲ
ン原子、アルキル基、シクロアルキル基、アルケニル基、アラルキル基、アリール基、ヘ
テロ環基、シアノ基、ヒドロキシル基、ニトロ基、アミノ基、アルキルアミノ基、アルコ
キシ基、アリールオキシ基、アミド基、アリールアミノ基、ウレイド基、スルファモイル
アミノ基、アルキルチオ基、アリールチオ基、アルコキシカルボニルアミノ基、スルホン
アミド基、カルバモイル基、スルファモイル基、アルコキシカルボニル基、ヘテロ環オキ
シ基、アゾ基、アシルオキシ基、カルバモイルオキシ基、シリルオキシ基、アリールオキ
シカルボニル基、アリールオキシカルボニルアミノ基、イミド基、ヘテロ環チオ基、ホス
ホリル基、アシル基又はイオン性親水性基を表す。これらの基は、さらに置換基を有して
いてもよい。
Ｚ1、Ｚ2、Ｚ3、及びＺ4は、各々独立して、置換若しくは無置換のアルキル基、置換若
しくは無置換のシクロアルキル基、置換若しくは無置換のアルケニル基、置換若しくは無
置換のアラルキル基、置換若しくは無置換のアリール基、又は置換若しくは無置換のヘテ
ロ環基を表す。但し、Ｚ1、Ｚ2、Ｚ3、及びＺ4のうち少なくとも１つは、イオン性親水性
基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す
。
式（Ｃ−２）：
【化７】
0006520452.tif 000008
式（Ｃ−２）中、
Ｒ1、Ｒ4、Ｒ5、Ｒ8、Ｒ9、Ｒ12、Ｒ13及びＲ16は、各々独立して、水素原子、ハロゲ
ン原子、アルキル基、シクロアルキル基、アルケニル基、アラルキル基、アリール基、ヘ
テロ環基、シアノ基、ヒドロキシル基、ニトロ基、アミノ基、アルキルアミノ基、アルコ
キシ基、アリールオキシ基、アミド基、アリールアミノ基、ウレイド基、スルファモイル
アミノ基、アルキルチオ基、アリールチオ基、アルコキシカルボニルアミノ基、スルホン
アミド基、カルバモイル基、スルファモイル基、アルコキシカルボニル基、ヘテロ環オキ
シ基、アゾ基、アシルオキシ基、カルバモイルオキシ基、シリルオキシ基、アリールオキ
シカルボニル基、アリールオキシカルボニルアミノ基、イミド基、ヘテロ環チオ基、ホス
ホリル基、アシル基又はイオン性親水性基を表す。これらの基は、さらに置換基を有して
いてもよい。
Ｚ5、Ｚ6、Ｚ7、及びＺ8は、各々独立して、置換若しくは無置換のアルキル基、置換若
しくは無置換のシクロアルキル基、置換若しくは無置換のアルケニル基、置換若しくは無
置換のアラルキル基、置換若しくは無置換のアリール基、又は置換若しくは無置換のヘテ
ロ環基を表す。但し、Ｚ5、Ｚ6、Ｚ7、及びＺ8のうち少なくとも１つは、イオン性親水性
基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す
。
〔２〕
前記イエローインク、前記マゼンタインク、又は前記シアンインクが、主鎖の炭素数が
１２以上であるアセチレングリコールのアルキレンオキサイド付加物と、主鎖の炭素数が
１０以上であるアセチレングリコールと、を含む、
前項〔１〕に記載のインクセット。
〔３〕
前記イエローインク、前記マゼンタインク、又は前記シアンインクが、ポリオキシアル
キレンアルキルエーテルを含む、
前項〔１〕又は〔２〕に記載のインクセット。
〔４〕
前記イエローインク、前記マゼンタインク、又は前記シアンインクに含まれる、主鎖の
炭素数が１２以上であるアセチレングリコールのアルキレンオキサイド付加物の含有量が
、０．１〜１質量％である、
前項〔１〕〜〔３〕のいずれか１項に記載のインクセット。
〔５〕
前記イエローインク、前記マゼンタインク、又は前記シアンインクに含まれる、ポリオ
キシアルキレンアルキルエーテルの含有量が０．１〜０．３質量％である、
前項〔１〕〜〔４〕のいずれか１項に記載のインクセット。
〔６〕
前記マゼンタインクが、前記式（Ｍ−１）及び前記式（Ｍ−２）で表される色材を含む
、前項〔１〕〜〔５〕のいずれか１項に記載のインクセット。
〔７〕
前記シアンインクが、前記式（Ｃ−１）及び前記式（Ｃ−２）で表される色材を含む、
前項〔１〕〜〔６〕のいずれか１項に記載のインクセット。
〔８〕
前記イエローインクが、前記式（Ｙ−１）及び前記式（Ｙ−２）で表される色材を含む
、前項〔１〕〜〔７〕のいずれか１項に記載のインクセット。
〔９〕
染料ブラックインク及び顔料ブラックインクの少なくとも一方を、さらに備える、前項
〔１〕〜〔８〕のいずれか１項に記載のインクセット。
〔１０〕
前記染料ブラックインクが、下記式（Ｂｋ−１）で表されるアゾ化合物又はその塩、及
び下記式（Ｂｗ−１）で表される色材からなる群より選ばれる少なくとも１種を含む、前
項〔１〕〜〔９〕のいずれか１項に記載のインクセット。
【化８】
0006520452.tif 000009
（式（Ｂｋ−１）中、Ｒ1、Ｒ2、Ｒ5、Ｒ6及びＲ7は各々独立して水素原子、ハロゲン原
子、シアノ基、ヒドロキシル基、カルボキシル基、スルホ基、スルファモイル基、Ｎ−ア
ルキルアミノスルホニル基、Ｎ−フェニルアミノスルホニル基、ヒドロキシル基で置換さ
れてもよい炭素数１〜４のアルキルスルホニル基、ホスホ基、ニトロ基、アシル基、ウレ
イド基、炭素数１〜４のアルキル基（ヒドロキシル基又は炭素数１〜４のアルコキシ基で
置換されていてもよい）、炭素数１〜４のアルコキシ基（アルキル基はヒドロキシル基、
炭素数１〜４のアルコキシ基、スルホ基又はカルボキシル基で置換されていてもよい）、
アシルアミノ基、アルキルスルホニルアミノ基又はフェニルスルホニルアミノ基（フェニ
ル基はハロゲン原子、アルキル基又はニトロ基で置換されていてもよい）を、Ｒ3及びＲ4
は各々独立して水素原子、ハロゲン原子、シアノ基、カルボキシル基、スルホ基、ニトロ
基、炭素数１〜４のアルキル基（ヒドロキシル基又は炭素数１〜４のアルコキシ基で置換
されていてもよい）、炭素数１〜４のアルコキシ基（アルキル基はヒドロキシル基、炭素
数１〜４のアルコキシ基、スルホ基又はカルボキシル基で置換されていてもよい）、アシ
ルアミノ基、アルキルスルホニルアミノ基又はフェニルスルホニルアミノ基（フェニル基
はハロゲン原子、アルキル基又はニトロ基で置換されてもよい）を、ｎは０又は１をそれ
ぞれ表す。）
【化９】
0006520452.tif 000010
（式（Ｂｗ−１）中、Ｒ21、Ｒ22、Ｒ23、Ｒ24、Ｒ25、Ｒ26、Ｒ27及びＲ28は、各々独立
して、水素原子；ハロゲン原子；スルホ基；カルボキシ基；スルファモイル基；カルバモ
イル基；炭素数１〜４のアルキル基；炭素数１〜４のアルコキシ基；置換基として、ヒド
ロキシ基、炭素数１〜４のアルコキシ基、ヒドロキシ炭素数１〜４のアルコキシ基、スル
ホ基、及びカルボキシ基よりなる群から選択される少なくとも１種類の基で置換された炭
素数１〜４のアルコキシ基；炭素数１〜４のアルキルカルボニルアミノ基；カルボキシ基
で置換された炭素数１〜４のアルキルカルボニルアミノ基；ウレイド基；モノ炭素数１〜
４のアルキルウレイド基；ジ炭素数１〜４のアルキルウレイド基；置換基として、ヒドロ
キシ基、スルホ基、及びカルボキシ基よりなる群から選択される少なくとも１種類の基で
置換されたモノ炭素数１〜４のアルキルウレイド基；置換基として、ヒドロキシ基、スル
ホ基、及びカルボキシ基よりなる群から選択される少なくとも１種類の基で置換されたジ
炭素数１〜４のアルキルウレイド基；ベンゾイルアミノ基；ベンゼン環が、ハロゲン原子
、炭素数１〜４のアルキル基、ニトロ基、スルホ基、及びカルボキシ基よりなる群から選
択される少なくとも１種類の基で置換されたベンゾイルアミノ基；ベンゼンスルホニルア
ミノ基；又は、ベンゼン環が、ハロゲン原子、炭素数１〜４のアルキル基、ニトロ基、ス
ルホ基、及びカルボキシ基よりなる群から選択される少なくとも１種類の基で置換された
フェニルスルホニルアミノ基；を表し、Ｘは、２価の架橋基を表す。）
〔１１〕
前記染料ブラックインクが、下記式（Ｂｋ−３）で表されるアゾ化合物又はその塩、及
び下記式（Ｂｋ−４）で表される色材からなる群より選ばれる少なくとも１種を含む、前
項〔１〕〜〔１０〕のいずれか１項に記載のインクセット。
【化１０】
0006520452.tif 000011
【化１１】
0006520452.tif 000012
〔１２〕
前記顔料ブラックインクが、自己分散型顔料を含む、前項〔９〕〜〔１１〕に記載の
インクセット。
【発明を実施するための形態】
【０００８】
以下、本発明の実施の形態（以下、「本実施形態」という。）について詳細に説明するが、本発明はこれに限定されるものではなく、その要旨を逸脱しない範囲で様々な変形が可能である。
【０００９】
〔インクセット〕
本実施形態のインクセットは、少なくとも、イエローインク、マゼンタインク、及びシアンインクを備え、前記イエローインクが、下記式（Ｙ−１）及び下記式（Ｙ−２）で表される色材からなる群より選ばれる１種以上を含み、前記マゼンタインクが、下記式（Ｍ−１）及び下記式（Ｍ−２）で表される色材からなる群より選ばれる１種以上を含み、前記シアンインクが、下記式（Ｃ−１）及び下記式（Ｃ−２）で表される色材からなる群より選ばれる１種以上を含む。
【化１０】
0006520452.tif 000013
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【化１１】
0006520452.tif 000014
（式（Ｙ−２）中、Ｒ1は水素原子又は置換基を表し、Ｒ2は置換基を表し、Ｒ3はイオン性親水性基又は環を形成してもよいアルキル基を表し、ｎ４は０〜４であり、ｎ５は２〜５である。）
【化１２】
0006520452.tif 000015
（式（Ｍ−１）中、ＡM1は、炭素数１もしくは２のアルキレン基、フェニレン基を含有する炭素数１もしくは２のアルキレン基又は下記式（Ｍ−１−１）で表される基を表し、ＸM1は、アミノ基、ヒドロキシ基、塩素原子、又はスルホ基もしくはカルボキシ基で置換されたフェノキシ基を表す。）
【化１３】
0006520452.tif 000016
（式（Ｍ−１−１）中、ＲM1は、水素原子又はアルキル基を表す。）
【化１４】
0006520452.tif 000017
（上記式（Ｍ−２）中、ＡM2は、５員複素環基を表し、
ＢM21及びＢM22は、各々−ＣＲM21＝、−ＣＲM22＝を表すか、あるいはいずれか一方が窒素原子，他方が−ＣＲM21＝又は−ＣＲM22＝を表し、
ＲM23，ＲM24は、各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表わし、ＲM23，ＲM24は、更に置換基を有していてもよく、
ＧM2、ＲM21、ＲM22は、各々独立して、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又は複素環基で置換されたアミノ基、アシルアミノ基、ウレイド基、スルフアモイルアミノ基、アルコキシカルボニルアミノ基、アリールオキシカルボニルアミノ基、アルキル及びアリールスルホニルアミノ基、アリールオキシカルボニルアミノ基、ニトロ基、アルキル及びアリールチオ基、アルキル及びアリールスルホニル基、アルキル及びアリールスルフィニル基、スルファモイル基、スルホ基、又はヘテロ環チオ基を表し、ＧM2、ＲM21、ＲM22は、更に置換されていてもよく、
ＲM21とＲM23、あるいはＲM23とＲM24が結合して５〜６員環を形成してもよい。）
【化１５】
0006520452.tif 000018
式（Ｃ−１）中、
Ｒ2、Ｒ3、Ｒ6、Ｒ7、Ｒ10、Ｒ11、Ｒ14及びＲ15は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ1、Ｚ2、Ｚ3、及びＺ4は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ1、Ｚ2、Ｚ3、及びＺ4のうち少なくとも１つは、イオン性親水性基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す。
式（Ｃ−２）：
【化１６】
0006520452.tif 000019
式（Ｃ−２）中、
Ｒ1、Ｒ4、Ｒ5、Ｒ8、Ｒ9、Ｒ12、Ｒ13及びＲ16は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ5、Ｚ6、Ｚ7、及びＺ8は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ5、Ｚ6、Ｚ7、及びＺ8のうち少なくとも１つは、イオン性親水性基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す。
【００１０】
（置換基群Ａ）
まず、置換基群Ａ、イオン性親水性基について定義する。
置換基群Ａとしては、特に限定されないが、例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、スルホンアミド基、イオン性親水性基が例として挙げられる。これらの置換基は更に置換されてもよく、更なる置換基としては、以上に説明した置換基群Ａから選択される基を挙げることができる。
【００１１】
更に詳しくは、ハロゲン原子としては、例えば、フッ素原子、塩素原子、臭素原子、又はヨウ素原子が挙げられる。
【００１２】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００１３】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００１４】
アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００１５】
アルキニル基としては、好ましくは、炭素数２から３０の置換又は無置換のアルキニル基、例えば、エチニル基、プロパルギル基、トリメチルシリルエチニル基等が挙げられる。
【００１６】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００１７】
ヘテロ環基としては、好ましくは、５又は６員の置換若しくは無置換の芳香族若しくは非芳香族のヘテロ環化合物から一個の水素原子を取り除いた一価の基であり、更に好まし
くは、炭素数３から３０の５又は６員の芳香族のヘテロ環基、例えば、２−フリル基、２−チエニル基、２−ピリミジニル基、２−ベンゾチアゾリル基等が挙げられる。
【００１８】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００１９】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００２０】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００２１】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００２２】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００２３】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００２４】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００２５】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００２６】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００２７】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロ
イルアミノ基、ベンゾイルアミノ基、３，４，５−トリ−ｎ−オクチルオキシフェニルカルボニルアミノ基等が挙げられる。
【００２８】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００２９】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００３０】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００３１】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００３２】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
【００３３】
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００３４】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００３５】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００３６】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。
【００３７】
アルキル又はアリールスルフィニル基としては、好ましくは、炭素数１から３０の置換又は無置換のアルキルスルフィニル基、６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００３８】
アルキル又はアリールスルホニル基としては、好ましくは、炭素数１から３０の置換又は無置換のアルキルスルホニル基、６から３０の置換又は無置換のアリールスルホニル基、例えば、メチルスルホニル基、エチルスルホニル基、フェニルスルホニル基、ｐ−メチルフェニルスルホニル基等が挙げられる。
【００３９】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４０】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００４１】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００４２】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００４３】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ、ｐ−クロロフェニルアゾ、５−エチルチオ−１，３，４−チアジアゾール−２−イルアゾ等が挙げられる。
【００４４】
イミド基としては、好ましくは、Ｎ−スクシンイミド基、Ｎ−フタルイミド基等が挙げられる。
【００４５】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００４６】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００４７】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００４８】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００４９】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００５０】
（イオン性親水性基）
スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、リチウム塩又はリチウム塩を主成分とする混合塩が更に好ましく、リチウム塩が最も好ましい。
【００５１】
〔イエローインク〕
イエローインクは、下記式（Ｙ−１）及び下記式（Ｙ−２）で表される色材からなる群より選ばれる１種以上を含む。イエローインクは、下記式（Ｙ−１）及び下記式（Ｙ−２）で表される色材を含むことが好ましい。下記式（Ｙ−１）及び下記式（Ｙ−２）で表される色材を含むことにより、着色力、耐光性、及び色相に優れる画像が得られる傾向にある。
【００５２】
〔式（Ｙ−１）で表される色材〕
以下、式（Ｙ−１）で表されるアゾ染料（イエロー染料）について説明する。
【化１７】
0006520452.tif 000020
（式（Ｙ−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａｒ4はアルキル基、アリール基又はトリアジン基を表す。）
【００５３】
式（Ｙ−１）中、Ａｒ3で表される２価のヘテロ環基としては、５員又は６員環のものが好ましく、それらは更に縮環していてもよい。また、芳香族ヘテロ環であっても非芳香族ヘテロ環であってもよい。Ａｒ3で表される２価のヘテロ環基としては、例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、チアジアゾール、イソオキサゾール、ベンズイソオキサゾール、ピロリジン、ピペリジン、ピペラジン、イミダゾリジン、チアゾリンなどが挙げられる。中では芳香族ヘテロ環基が好ましく、その好ましい例を先と同様に例示すると、ピリジン、ピラジン、ピリミジン、ピリダジン、トリアジン、ピラゾール、イミダゾール、ベンズイミダゾール、トリアゾール、チアゾール、ベンゾチアゾール、イソチアゾール、ベンズイソチアゾール、チアジアゾールが挙げられる。チアジアゾールが最も好ましい。それらは置換基を有していても良く、置換基の例としては、前述の置換基群Ａと同じである。
【００５４】
式（Ｙ−１）中、Ｒ4、Ｒ6及びＲ7で表される置換基は、前記置換基群Ａより選択される。
【００５５】
式（Ｙ−１）中、Ｒ4はアルキル基、アルコキシ基、アリール基であることが好ましく、炭素原子数１〜４のアルキル基であることが好ましく、メチル基、エチル基、ターシャリーブチル基、フェニル基、メトキシ基、エトキシ基であることがより好ましく、ターシャリーブチル基であることが更に好ましい。
【００５６】
式（Ｙ−１）中、Ｒ5は置換又は無置換のアミノ基であることが好ましく、Ｒ5は無置換のアミノ基であることがより好ましい。
【００５７】
また、式（Ｙ−１）中、Ａｒ4は置換又は無置換のアリール基であることが好ましく、置換又は無置換のフェニル基であることが更に好ましい。
【００５８】
式（Ｙ−１）中、Ｒ4、Ｒ5、Ａｒ4がさらに置換基を有する場合の置換基としては前記置換基群Ａが挙げられ、アルキル基、アリール基、ヘテロ環基、シアノ基、ヒドロキシル基、ニトロ基、又はアルコキシ基が好ましく、アルキル基、アリール基、又はヘテロ環基が更に好ましい。
【００５９】
式（Ｙ−１）中、Ｘ3で表される二価の連結基は、アルキレン基（例、メチレン、エチレン、プロピレン、ブチレン、ペンチレン）、アルケニレン基（例、エテニレン、プロぺニレン）、アルキニレン基（例、エチニレン、プロピニレン）、アリーレン基（例、フェニレン、ナフチレン）、二価のヘテロ環基（例、６−クロロ−１，３，５−トリアジン−２，４−ジイル基、ピリミジン−２，４−ジイル基、キノキサリン−２，３−ジイル基）、−Ｏ−、−ＣＯ−、−ＮＲA−（ＲAは水素原子、アルキル基又はアリール基）、−Ｓ−、−ＳＯ2−、−ＳＯ−又はこれらの組み合わせであることが好ましい。
【００６０】
式（Ｙ−１）中、Ｘ3で表されるアルキレン基、アルケニレン基、アルキニレン基、アリーレン基、二価のヘテロ環基、ＲAで表されるアルキル基又はアリール基は、置換基を有していてもよい。置換基の例としては、前記置換基と同じである。ＲAで表されるアルキル基及びアリール基は、置換若しくは無置換の、アルキル基又はアリール基が含まれる。置換若しくは無置換のアルキル基としては、炭素原子数が１〜３０のアルキル基が好ましく、置換若しくは無置換のアリール基としては、炭素数６から３０のアリール基が好ましい。
【００６１】
式（Ｙ−１）中、Ｘ3で表される二価の連結基において、更に好ましくは、炭素数１０以下のアルキレン基、炭素数１０以下のアルケニレン基、炭素数１０以下のアルキニレン基、炭素数６以上１０以下のアリーレン基、二価のヘテロ環基、−Ｏ―、−Ｓ−又はこれらの組み合わせであり、アルキレン基、もしくは−Ｓ−、又はこれらの組み合わせであることが、更に好ましい。
【００６２】
二価の連結基の総炭素数は０〜５０であることが好ましく、０〜３０であることがより好ましく、０〜１０であることが最も好ましい。
【００６３】
式（Ｙ−１）中、Ａｒ4で表されるアリール基又はアリーレン基は、前述のＲAで表されるアリール基又はアリーレン基と同義であり好ましいものも同様である。また、Ａｒ4
で表されるトリアジン基は１価の置換基を有していてもよい（１価の置換基は前述の置換基群Ａと同義であり好ましいものも同様である。）。
【００６４】
式（Ｙ−１）で表される色材としては、特に限定されないが、例えば、下記式（Ｙ−１−１）で表される化合物が好ましく、下記式（Ｙ−１−２）で表される化合物がより好ましい。
【００６５】
【化１８】
0006520452.tif 000021
（式（Ｙ−１−１）中、Ｒ4は置換基を表し、Ｒ5は−ＯＲ6又は−ＮＨＲ7を表し、Ｒ6及びＲ7は水素原子又は置換基を表し、Ｘ3は２価の連結基を表し、ｎ０は０又は１であり、Ａｒ3は２価のヘテロ環基を表し、Ａ1はイオン性親水性基を表し、ｎ１は０〜２を表す。）
【００６６】
式（Ｙ−１−１）中、Ｒ4、Ｒ5、Ａｒ3、ｎ０及びＸ3は、式（Ｙ−１）におけるＲ4、Ｒ5、Ａｒ3、ｎ０及びＸ3と同義であり好ましいものも同様である。
【００６７】
式（Ｙ−１−１）中、Ａ1で表されるイオン性親水性基は、−ＳＯ3Ｍ又は−ＣＯ2Ｍが好ましく、−ＳＯ3Ｍがより好ましく、−ＣＯ2Ｋが特に好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【００６８】
式（Ｙ−１−２）：
【化１９】
0006520452.tif 000022
（式（Ｙ−１−２）中、Ｒ20はアルキレン基、−Ｓ−、又はこれらの組み合わせからなる連結基を表し、Ｒ21はイオン性親水性基を表し、Ｒ11はアルキル基を表し、Ｒ12はアミノ基を表す。）
【００６９】
式（Ｙ−１−２）中、Ｒ20は、式（Ｙ−１）のＸ3で表される二価の連結基におけるアルキレン基と同義であり好ましいものも同様である。
【００７０】
式（Ｙ−１−２）中、Ｒ21はカルボキシル基（−ＣＯ2Ｍ）を表し、Ｍは各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましく、カリウム塩又はカリウム塩を主成分とする混合塩が更に好ましく、カリウム塩が最も好ましい。
【００７１】
式（Ｙ−１−２）中、Ｒ11で表されるアルキル基及びＲ12で表されるアミノ基は、それぞれ、前記式（Ｙ−１）のＲ4、Ｒ5におけるアルキル基及びアミノ基と同義であり好ましいものも同様である。
【００７２】
式（Ｙ−１）で表される化合物の具体例を以下に示すが、本実施形態に用いられる化合物は、下記の例に限定されるものではない。なお、具体例中、Ｅｔはエチルを、Ｐｈはフェニルを、それぞれ意味する。
【００７３】
【化２０】
0006520452.tif 000023
【００７４】
【化２１】
0006520452.tif 000024
【００７５】
式（Ｙ−１）で表される化合物は、一般的な合成法で合成することが可能であり、例えば特開２００４−０８３９０３公報中に記載のジアゾ成分及びカップリング成分を変更、種々組み合わせることで合成することができる。
【００７６】
式（Ｙ−１）で表される色材の含有量は、イエローインクの総量に対して、好ましくは１．０〜７．０質量％であり、より好ましくは２．０〜６．０質量％であり、さらに好ましくは３．０〜５．０質量％である。式（Ｙ−１）で表される色材の含有量が上記範囲内であることにより、着色力、耐光性、及び色相に優れる画像が得られる傾向にある。
【００７７】
〔式（Ｙ−２）で表される色材〕
以下、式（Ｙ−２）で表される色材について説明する。
【化２２】
0006520452.tif 000025
（式（Ｙ−２）中、Ｒ1は水素原子又は置換基を表し、Ｒ2は置換基を表し、Ｒ3はイオン性親水性基又は環を形成してもよいアルキル基を表し、ｎ４は０〜４であり、ｎ５は２〜５である。）
【００７８】
式（Ｙ−２）中、Ｒ1、及びＲ2で表される置換基としては、各々独立して、置換されていてもよいアルキル、置換されていてもよいアルコキシ、置換されていてもよいアリール、置換されていてもよい複素環式基、−ＮＲ8Ｒ9、−ＮＨＣＯＲ8、−ＮＨＣＯＮＲ8Ｒ9、−Ｃ（Ｏ）Ｒ8、−Ｃ（Ｏ）ＯＲ8、−Ｃ（Ｏ）ＮＲ8Ｒ9、−ＰＯ3Ｈ2、−ＳＲ8、−ＳＯ2Ｒ8、−ＳＯ2ＮＲ8Ｒ9、−ＳＯＲ8、−ＳＯ3Ｈ、−ＣＦ3、−ＣＮ、−ＮＯ2、ヒドロキシ又はハロゲンが挙げられる。ここにおいて、Ｒ8及びＲ9は、各々独立して、Ｈ、置換されていてもよい炭素原子数１〜８のアルキル基、置換されていてもよいアリール基（例えばフェニル基）、置換されていてもよい複素環式基であるか、又はＲ8及びＲ9は、それらが結合している窒素原子と一緒に、置換されていてもよい五員環又は六員環（例えば、ピペリジン、ピロリドン、ピリジン、ピペリザイン（ｐｉｐｅｒｉｚｉｎｅ）又はモルホリン）を形成することができる。
【００７９】
式（Ｙ−２）中、Ｒ3で表されるイオン性親水性基は、−ＳＯ3Ｍ又は−ＣＯ2Ｍが好ましく、−ＳＯ3Ｍがより好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ｒ3で表されるイオン性親水性基は、スルホ基であることが好ましく、スルホ基のカリウム塩であることが更に好ましい。
【００８０】
式（Ｙ−２）中、Ｒ3で表されるアルキル基としては、置換基を有していてもよく、炭素原子数１〜４のアルキル基であることが好ましく、ヒドロキシ、ハロゲン、カルボキシ又はスルホ基などで置換されていてもよいメチル、エチル、プロピル、イソプロピル、ブチル、ｓｅｃ−ブチルを挙げることができる。例としては、限定されるものではないが、トリフルオロメチル、ヒドロキシエチル、スルホプロピル及びカルボキシエチルが挙げられる。
【００８１】
式（Ｙ−２）中、Ｒ3で表されるアルキル基が互いに結合して環を形成する場合の環としては置換されていてもよいアリール基又は置換されていてもよいヘテロ環基が挙げられ、該アリール基及びヘテロ環としては、前述の置換基群Ａにおけるアリール基及びヘテロ環基が挙げられ、互いに結合して形成する環としては、例えばベンゼン環、ナフタレン環が挙げられ、ベンゼン環であることが好ましい。
また、Ｒ3で表されるアルキル基が互いに結合して形成した環は、スルホン酸基で置換されていることが好ましい。
【００８２】
式（Ｙ−２）中、Ｒ1、及びＲ2が、置換されていてもよいアルコキシである場合、それは、好ましくは置換されていてもよい炭素原子数１〜８のアルコキシ、より好ましくは炭素原子数１〜４のアルコキシ、例えば、ヒドロキシ、ハロゲン又はカルボキシ基で置換されていてもよいメトキシ、エトキシ、プロポキシ、イソプロポキシ、ブトキシである。例としては、限定されるものではないが、カルボキシプロピルオキシ、カルボキシエトキシ、ヒドロキシエトキシ又はクロロエトキシが挙げられる。
【００８３】
式（Ｙ−２）中、Ｒ1、及びＲ2が、置換されていてもよいアリール基である場合、置換されていてもよいフェニルであることが好ましい。アリール環上の所望による置換基としては、例えば、炭素原子数１〜８のアルキル、炭素原子数１〜８のアルコキシ、−ＮＲ8Ｒ9、−ＮＨＣＯＲ8、−ＮＨＣＯＮＲ8Ｒ9、−Ｃ（Ｏ）Ｒ8、−Ｃ（Ｏ）ＯＲ8、−Ｃ（Ｏ）ＮＲ8Ｒ9、−ＰＯ3Ｈ2、−ＳＲ8、−ＳＯ2Ｒ8、−ＳＯ2ＮＲ8Ｒ9、−ＳＯＲ8、−ＳＯ3Ｈ、−ＣＦ3、−ＣＮ、−ＮＯ2、ヒドロキシ又はハロゲンが挙げられ、ここにおいて、Ｒ8及びＲ9は先に記載したとおりである。例としては、限定されるものではないが、カルボキシフェニル、スルホフェニル、ニトロフェニル及びクロロフェニルが挙げられる。
【００８４】
式（Ｙ−２）中、Ｒ1、及びＲ2が、置換されていてもよい複素環式基である場合、それは、好ましくは置換されていてもよい脂肪族複素環式基又は置換されていてもよい芳香族複素環式基のいずれか、例えば、置換されていてもよいチオフェン、ピラゾール、トリアゾール、チアジアゾール、チアゾール、イミダゾール、ピリジン、ピロリドン、ピペリザイン、モルホリン又はピリミジンである。複素環式環上の所望による置換基としては、例えば、炭素原子数１〜８のアルキル、−ＮＲ8Ｒ9、−ＮＨＣＯＲ8、−ＮＨＣＯＮＲ8Ｒ9、−Ｃ（Ｏ）ＯＲ8、−Ｃ（Ｏ）ＮＲ8Ｒ9、−ＳＲ8、−ＳＯ2Ｒ8、−ＳＯ2ＮＲ8Ｒ9、−ＳＯＲ8、−ＳＯ3Ｈ、−ＣＦ3、−ＣＮ、−ＮＯ2、ヒドロキシ又はハロゲンが挙げられ、ここにおいて、Ｒ8及びＲ9は先に記載したとおりである。例としては、限定されるものではないが、カルボキシトリアゾール、クロロピリジル及びシアノチオフェンが挙げられる。
【００８５】
式（Ｙ−２）中、Ｒ1、及びＲ2は、各々独立して、水素原子、ヒドロキシル基、置換されていてもよい炭素原子数１〜４のアルキル基（好ましくはメチル基又はエチル基）、置換されていてもよい炭素原子数１〜４のアルコキシ基（好ましくはメトキシ基又はエトキシ基）、−ＮＲ8Ｒ9−ＳＯ2ＮＲ8Ｒ9又は−ＮＨＣＯＮＲ8Ｒ9であり、ここにおいて、Ｒ8及びＲ9は上記のとおりであるが、より好ましくは、Ｒ8はＨであり、Ｒ9は、Ｈ、置換されていてもよい炭素原子数１〜４のアルキル基（好ましくはメチル基又はエチル基）又はアリール基（好ましくはフェニル基）である。
【００８６】
式（Ｙ−２）中、Ｒ1、及びＲ2は、各々独立して、水素原子、ヒドロキシル基、炭素原子数１〜４のアルキル基、炭素原子数１〜４のアルコキシ基、カルボン酸基、−ＮＲ8Ｒ9又はＮＨＣＯＮＨ2であることが好ましい。
【００８７】
式（Ｙ−２）中、Ｒ1は、より好ましくは、ヒドロキシル基、又は−ＮＲ8Ｒ9である。好ましくはＲ8はＨであり、Ｒ9は、Ｈ、置換されていてもよい炭素原子数１〜４のアルキル基（好ましくはメチル基又はエチル基）であり、より好ましくはＲ8はＨであり、Ｒ9はヒドロキシル基で置換された炭素原子数１〜４のアルキル基（好ましくはメチル基又はエチル基）である。
【００８８】
式（Ｙ−２）中、Ｒ2は、より好ましくは、水素原子、炭素原子数１〜４のアルキル又
はカルボン酸であり、更に好ましくは、特に良好な溶解度、耐光堅牢度及び耐オゾン堅牢度を有することからカルボン酸である。
【００８９】
式（Ｙ−２）中、ｎ４は、０〜４であり、１〜４であることが好ましく、１〜２であることがより好ましい。
【００９０】
式（Ｙ−２）中、ｎ５は、２〜５であり、２〜４であることが好ましく、２〜４であることがより好ましく、２〜３であることが更に好ましい。水性液体媒体中での式（Ｙ−２）の化合物の溶解度が改善されるためである。
【００９１】
式（Ｙ−２）で表される色材としては、特に限定されないが、例えば、下記式（Ｙ−２−１）で表される化合物又は下記式（Ｙ−２−２）で表される化合物が好ましい。
【化２３】
0006520452.tif 000026
（式（Ｙ−２−１）中、Ｒ1は水素原子又は置換基を表し、Ｒ2は置換基を表し、Ａ2はイオン性親水性基を表し、ｎ４は０〜４であり、ｎ２は２〜４を表す。）
【００９２】
式（Ｙ−２−１）中、Ａ2で表されるイオン性親水性基は、−ＳＯ3Ｍ又は−ＣＯ2Ｍが好ましく、−ＳＯ3Ｍがより好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ａ2で表されるイオン性親水性基は、スルホ基であることが好ましく、スルホ基のカリウム塩であることが更に好ましい。
【００９３】
式（Ｙ−２−１）中、Ｒ1、及びＲ2は式（Ｙ−２）におけるＲ1、及びＲ2と同義であり好ましいものも同様である。
【００９４】
式（Ｙ−２−１）中、ｎ４は０〜４であり、１〜４であることが好ましく、１〜２であることがより好ましい。ｎ２は２〜４であることが好ましく、２〜４であることがより好ましく、２〜３であることが更に好ましい。水性液体媒体中での式（Ｙ−２−１）の化合物の溶解度が改善されるためである。
【００９５】
【化２４】
0006520452.tif 000027
（式（Ｙ−２−２）中、Ｒ1は水素原子又は置換基を表し、Ｒ2は置換基を表し、Ａ3はイオン性親水性基を表し、ｎ４は０〜４であり、ｎ３は２〜４を表す。）
【００９６】
式（Ｙ−２−２）中、Ａ3で表されるイオン性親水性基は、−ＳＯ3Ｍ又は−ＣＯ2Ｍが好ましく、−ＳＯ3Ｍがより好ましい。Ｍは、各々独立して、水素原子又は一価のカウンターカチオンを表し、一価のカウンターカチオンとしては、例えばアンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が挙げられ、リチウム塩、ナトリウム塩、カリウム塩、アンモニウム塩が好ましい。Ａ3で表されるイオン性親水性基は、スルホ基であることが好ましく、スルホ基のカリウム塩であることが更に好ましい。
【００９７】
式（Ｙ−２−２）中、Ｒ1、及びＲ2は式（Ｙ−２）におけるＲ1、及びＲ2と同義であり好ましいものも同様である。
【００９８】
式（Ｙ−２−２）中、ｎ４は０〜４であり、１〜４であることが好ましく、１〜２であることがより好ましい。
【００９９】
式（Ｙ−２−２）中、ｎ３は２〜４であることが好ましく、２〜４であることがより好ましく、２〜３であることが更に好ましい。水性液体媒体中での式（Ｙ−２−２）の化合物の溶解度が改善されるためである。
【０１００】
式（Ｙ−２−２）で表される化合物は、下記式（Ｙ−２−３）で表される化合物であることが更に好ましい。
【化２５】
0006520452.tif 000028
（式（Ｙ−２−３）中、Ｒ8はヒドロキシル基、又は−ＮＲ8Ｒ9を表し、Ｒ9は、各々独立して、水素原子、ヒドロキシル基、炭素原子数１〜４のアルキル基、炭素原子数１〜４のアルコキシ基、カルボン酸基、−ＮＲ8Ｒ9又はＮＨＣＯＮＨ2を表し、Ｒ8及びＲ9は、各々独立して、Ｈ、置換されていてもよい炭素原子数１〜８のアルキル基、置換されていてもよいアリール基（例えばフェニル基）、置換されていてもよい複素環式基であるか、又はＲ8及びＲ9は、それらが結合している窒素原子と一緒に、置換されていてもよい五員環又は六員環を形成することができ、Ｒ10は、各々独立して、カルボキシル基又はスルホ基を表す。）
【０１０１】
式（Ｙ−２−３）中、Ｒ8及びＲ9が形成する五員環又は六員環としては、例えば、ピペリジン、ピロリドン、ピリジン、ピペリザイン（ｐｉｐｅｒｉｚｉｎｅ）又はモルホリンが挙げられる。これらは置換基を有していてもよく、置換基の例としては、前記群Ａが挙げられる。Ｒ8で表されるアミノ基、Ｒ9で表されるアルキル基、アルコキシ基、スルホ基、アミノカルボニルアミノ基、及びＲ10で表されるスルホ基は、前述の群Ａにおけるアミノ基、アルキル基、アルコキシ基、スルホ基、アミノカルボニルアミノ基、スルホ基と同義であり好ましいものも同様である。
【０１０２】
式（Ｙ−２−３）中、Ｒ10は、スルホ基であることが好ましく、スルホ基のカリウム塩であることが更に好ましい。
【０１０３】
式（Ｙ−２）〜（Ｙ−２−３）で表される化合物は対称的又は非対称的であってもよい。次に本実施形態の上記式（Ｙ−２）で表される色材の具体例を下記に示す。
【化２６】
0006520452.tif 000029
【０１０４】
【化２７】
0006520452.tif 000030
【０１０５】
【化２８】
0006520452.tif 000031
【０１０６】
式（Ｙ−２）で表される色材は、一般的な合成法で合成することが可能であり、例えば特表２００８−５３７７５６号公報中に記載のジアゾ成分及びカップリング成分を変更、種々組み合わせることで合成することができる。
【０１０７】
式（Ｙ−２）で表される色材の含有量は、イエローインクの総量に対して、好ましくは１．０〜７．０質量％であり、より好ましくは２．０〜６．０質量％であり、さらに好ましくは３．０〜５．０質量％である。式（Ｙ−２）で表される色材の含有量が上記範囲内であることにより、着色力、耐光性、及び色相に優れる画像が得られる傾向にある。
【０１０８】
〔マゼンタインク〕
マゼンタインクは、下記式（Ｍ−１）及び下記式（Ｍ−２）で表される色材からなる群より選ばれる１種以上を含む。マゼンタインクは、下記式（Ｍ−１）及び下記式（Ｍ−２）で表される色材を含むことが好ましい。下記式（Ｍ−１）及び下記式（Ｍ−２）で表される色材を含むことにより、発色性及び耐湿性に優れる画像が得られる傾向にある。
【０１０９】
〔式（Ｍ−１）で表される色材〕
以下、式（Ｍ−１）で表される色材について詳細に説明する。式（Ｍ−１）で表される色材は、塩を形成していてもよい。
【化２９】
0006520452.tif 000032
（式（Ｍ−１）中、ＡM1は、炭素数１もしくは２のアルキレン基、フェニレン基を含有する炭素数１もしくは２のアルキレン基又は下記式（Ｍ−１−１）で表される基を表し、ＸM1は、アミノ基、ヒドロキシ基、塩素原子、又はスルホ基もしくはカルボキシ基で置換されたフェノキシ基を表す。）
【化３０】
0006520452.tif 000033
（式（Ｍ−１−１）中、ＲM1は、水素原子又はアルキル基を表す。）
上記式（Ｍ−１）中、ＡM1は、炭素数１又は２のアルキレン基が好ましく、炭素数２のアルキレン基であることがより好ましい。
【０１１０】
式（Ｍ−１）中、ＸM1は、アミノ基、ヒドロキシ基、塩素原子、又はスルホ基もしくはカルボキシ基で置換されたフェノキシ基を表す。これらの中でもスルホ基又はカルボキシ基で置換されたフェノキシ基が好ましく、カルボキシ基で置換されたフェノキシ基がより好ましい。カルボキシ基で置換されたフェノキシ基は、良好な耐湿性の改善効果を備え、２つのカルボキシ基で置換されたフェノキシ基は、より良好な耐湿性を有しており特に好ましい。
【０１１１】
式（Ｍ−１）中、スルホ基又はカルボキシ基で置換されたフェノキシ基の具体例としては、４−スルホフェノキシ、２，４−ジスルホフェノキシ、４−カルボキシフェノキシ、３，５−ジカルボキシフェノキシであり、より好ましくは、４−カルボキシフェノキシ、３，５−ジカルボキシフェノキシであり、さらに好ましくは３，５−ジカルボキシフェノキシである。
【０１１２】
式（Ｍ−１）で表される化合物の塩としては、アンモニウム塩又はアルカリ金属塩が挙
げられる。
【０１１３】
式（Ｍ−１）で表される色材の含有量は、マゼンタインクの総量に対して、好ましくは０．５質量％〜１０質量％であり、より好ましくは１．０〜９．０質量％であり、さらに好ましくは３．０〜８．０質量％である。式（Ｍ−１）で表される色材の含有量が上記範囲内であることにより、発色性及び耐湿性に優れる画像が得られる傾向にある。
【０１１４】
〔式（Ｍ−２）で表される色材〕
以下、式（Ｍ−２）で表される色材について詳細に説明する。式（Ｍ−２）で表される色材は、塩を形成していてもよい。
【化３１】
0006520452.tif 000034
（上記式（Ｍ−２）中、ＡM2は、５員複素環基を表し、
ＢM21及びＢM22は、各々−ＣＲM21＝、−ＣＲM22＝を表すか、あるいはいずれか一方が窒素原子，他方が−ＣＲM21＝又は−ＣＲM22＝を表し、
ＲM23，ＲM24は、各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表わし、ＲM23，ＲM24は、更に置換基を有していてもよく、
ＧM2、ＲM21、ＲM22は、各々独立して、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又は複素環基で置換されたアミノ基、アシルアミノ基、ウレイド基、スルフアモイルアミノ基、アルコキシカルボニルアミノ基、アリールオキシカルボニルアミノ基、アルキル及びアリールスルホニルアミノ基、アリールオキシカルボニルアミノ基、ニトロ基、アルキル及びアリールチオ基、アルキル及びアリールスルホニル基、アルキル及びアリールスルフィニル基、スルファモイル基、スルホ基、又はヘテロ環チオ基を表し、ＧM2、ＲM21、ＲM22は、更に置換されていてもよく、
ＲM21とＲM23、あるいはＲM23とＲM24が結合して５〜６員環を形成してもよい。）
【０１１５】
式（Ｍ−２）中、５員複素環基としては、例えば、ピラゾール環、イミダゾール環、チアゾール環、イソチアゾール環、チアジアゾール環、ベンゾチアゾール環、ベンゾオキサゾール環、ベンゾイソチアゾール環を挙げることができ、各複素環基は更に置換基を有していてもよい。また、複素環のなかでも、ピラゾール環が好ましい。
【０１１６】
式（Ｍ−２）中、ＲM21において、水素原子又はアルキル基が好ましく、水素原子がより好ましい。
【０１１７】
式（Ｍ−２）中、ＲM22において、脂肪族基が好ましく、メチル基、エチル基、分岐していてもよいプロピル基、又は分岐していてもよいブチル基がより好ましい。
【０１１８】
式（Ｍ−２）中、ＲM23，ＲM24は、各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表わす。ＲM23，ＲM24は、更に置換基を有していてもよい。
【０１１９】
式（Ｍ−２）中、ＲM23において、芳香族基が好ましく、具体的には、ベンゼン環基又はナフタレン環基が挙げられる。上記のＲM24において、複素環基が好ましく、具体的には、ベンゾチアゾール環基が挙げられる。
【０１２０】
式（Ｍ−２）中、ＧM2、ＲM21、ＲM22は、各々独立して、水素原子、ハロゲン原子、脂肪族基、芳香族基、複素環基、シアノ基、カルボキシル基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、ヘテロ環オキシ基、アルコキシカルボニルオキシ基、アリールオキシカルボニルオキシ基、アルキル基又はアリール基又は複素環基で置換されたアミノ基、アシルアミノ基、ウレイド基、スルフアモイルアミノ基、アルコキシカルボニルアミノ基、アリールオキシカルボニルアミノ基、アルキル及びアリールスルホニルアミノ基、アリールオキシカルボニルアミノ基、ニトロ基、アルキル及びアリールチオ基、アルキル及びアリールスルホニル基、アルキル及びアリールスルフィニル基、スルファモイル基、スルホ基、又はヘテロ環チオ基を表す。ＲM23，ＲM24は、更に置換されていてもよい。また、ＲM21とＲM23、あるいはＲM23とＲM24が結合して５〜６員環を形成してもよい。
【０１２１】
式（Ｍ−２）で表される色材の中でも、下記式（Ｍ−２１）で表される化合物が好ましい。
【化３２】
0006520452.tif 000035
（式（Ｍ−２１）中、ＲM25、ＲM26、ＲM27、ＲM28、ＲM29は、水素原子、アルキル基、スルホ基又はその塩を表す。式（Ｍ−２１）において、ＲM25，ＲM29は，共にアルキル基であるときは、該アルキル基を構成する炭素数の合計が３以上であって、それらに置換基を有していてもよい。ＸM2は水素原子、脂肪族基、芳香族基、又は複素環基を表し、ＹM2及びＺM2は各々独立して、水素原子、脂肪族基、芳香族基、複素環基、アシル基、アルコキシカルボニル基、アリールオキシカルボニル基、カルバモイル基、アルキルスルホニル基、アリールスルホニル基、又はスルファモイル基を表す。各基は更に置換基を有していてもよい。また、ＲM25〜ＲM29にスルホ基が含まれる場合には−ＳＯ3Ｍの形となっている。その場合、Ｍとしては、アルカリ金属原子が好ましく、より好ましくはＬｉ及びＮａの少なくとも１種である。）
【０１２２】
式（Ｍ−２１）中、ＸM2において、特に芳香族基、脂環式基、複素環基が好ましく、具体例としては、例えばベンゼン環、シクロペンタン環、シクロヘキサン環、シクロヘプタン環、シクロオクタン環、シクロヘキセン環、ピリジン環、ピリミジン環、ピラジン環、ピリダジン環、トリアジン環、イミダゾール環，ベンゾイミダゾール環、オキサゾール環、ベンゾオキサゾール環、チアゾール環、ベンゾチアゾール環、オキサン環、スルホラン環及びチアン環等が挙げられる。これらの中でも、複素環がより好ましい。
【０１２３】
式（Ｍ−２１）中、ＹM2及びＺM2の好ましい具体例は、染料（Ｍ−２）におけるＲM23及びＲM24の好ましい具体例と同様である。
【０１２４】
式（Ｍ−２１）で表される化合物の中でも、優れた発色性と耐オゾン性を有していることから、下記式（Ｍ−２２）で表される化合物が特に好ましい。
【化３３】
0006520452.tif 000036
（式（Ｍ−２２）中、ＲM25、ＲM26、ＲM27、ＲM28、ＲM29、ＲM210、ＲM211、ＲM212、ＲM213、ＲM214は、水素原子、アルキル基、スルホ基又はその塩を表し、ＭM2は、水素原子又はアルカリ金属原子を表す。また、ＲM25及びＲM29が共にアルキル基である場合には、そのアルキル基を構成する炭素数の合計が３以上であって、それらはさらに置換基を有してもよく、ＲM210及びＲM214が共にアルキル基である場合には、そのアルキル基を構成する炭素数の合計が３以上であって、それらはさらに置換基を有してもよい。）
【０１２５】
式（Ｍ−２）で表される色材の含有量は、マゼンタインクの総量に対して、好ましくは０．５質量％〜１０質量％であり、より好ましくは１．０〜９．０質量％であり、さらに好ましくは３．０〜８．０質量％である。式（Ｍ−２）で表される色材の含有量が上記範囲内であることにより、発色性及び耐湿性に優れる画像が得られる傾向にある。
【０１２６】
また、マゼンタインクにおいて、式（Ｍ−１）で表される色材と式（Ｍ−２）で表される色材とを併用する場合には、式（Ｍ−１）で表される色材と式（Ｍ−２）で表される色材との含有比率は、好ましくは１：２〜１５：１であり、より好ましくは５：１〜１３：１である。両染料をこのような比率で含有させることにより、耐湿性、耐オゾン性を高次元で満足させることができる傾向にある。
【０１２７】
マゼンタインクは、色調などの調整のため、耐光性をはじめとする各特性を大きく損ねない範囲で、上記以外のマゼンタ系染料を含有してもよい。
【０１２８】
〔シアンインク〕
シアンインクは、下記式（Ｃ−１）及び下記式（Ｃ−２）で表される色材からなる群より選ばれる１種以上を含む。シアンインクは、下記式（Ｃ−１）及び下記式（Ｃ−２）で表される色材を含むことが好ましい。下記式（Ｃ−１）及び下記式（Ｃ−２）で表される色材を含むことにより、α−位置換型の式（Ｃ−２）で表される色材とβ−位置換型の式（Ｃ−２）で表される色材とを用いることにより、分子内ではなく分子間でのα位とβ位の比率調整が可能となり、結果、良好な堅牢性と高い印画濃度を有する画像が得られる傾向にある。
【０１２９】
〔式（Ｃ−１）で表される色材〕
以下、式（Ｃ−１）で表される色材について詳細に説明する。
【化３４】
0006520452.tif 000037
（式（Ｃ−１）中、
Ｒ2、Ｒ3、Ｒ6、Ｒ7、Ｒ10、Ｒ11、Ｒ14及びＲ15は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ1、Ｚ2、Ｚ3、及びＺ4は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ1、Ｚ2、Ｚ3、及びＺ4のうち少なくとも１つは、イオン性親水性基を置換基として有する。
ｌ、ｍ、ｎ、ｐ、ｑ1、ｑ2、ｑ3及びｑ4は、各々独立して、１又は２を表す。
Ｍ1は、水素原子、金属元素、金属酸化物、金属水酸化物又は金属ハロゲン化物を表す。）
【０１３０】
式（Ｃ−１）中、Ｒ2、Ｒ3、Ｒ6、Ｒ7、Ｒ10、Ｒ11、Ｒ14及びＲ15は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。置換基としては、上記置換基群Ａに記載の置換基が挙げられる。
【０１３１】
式（Ｃ−１）中、Ｒ2、Ｒ3、Ｒ6、Ｒ7、Ｒ10、Ｒ11、Ｒ14及びＲ15が表すハロゲン原子としては、フッ素原子、塩素原子及び臭素原子が挙げられる。
【０１３２】
式（Ｃ−１）中、Ｒ2、Ｒ3、Ｒ6、Ｒ7、Ｒ10、Ｒ11、Ｒ14及びＲ15が表すアルキル基には、置換基を有するアルキル基及び無置換のアルキル基が含まれる。アルキル基としては、置換基を除いたときの炭素原子数が１〜１２のアルキル基が好ましい。置換基の例には、ヒドロキシル基、アルコキシ基、シアノ基、及びハロゲン原子及びイオン性親水性基が含まれる。アルキル基の例には、メチル、エチル、ブチル、イソプロピル、ｔ−ブチル、ヒドロキシエチル、メトキシエチル、シアノエチル、トリフルオロメチル、３−スルホプロピル及び４−スルホブチルが含まれる。
【０１３３】
式（Ｃ−１）中、Ｒ2、Ｒ3、Ｒ6、Ｒ7、Ｒ10、Ｒ11、Ｒ14及びＲ15が表すシクロアルキル基には、置換基を有するシクロアルキル基及び無置換のシクロアルキル基が含まれる。シクロアルキル基としては、置換基を除いたときの炭素原子数が５〜１２のシクロアルキル基が好ましい。置換基の例には、イオン性親水性基が含まれる。シクロアルキル基の例には、シクロヘキシル基が含まれる。
【０１３４】
式（Ｃ−１）中、Ｒ2、Ｒ3、Ｒ6、Ｒ7、Ｒ10、Ｒ11、Ｒ14及びＲ15が表すアルケニル基には、置換基を有するアルケニル基及び無置換のアルケニル基が含まれる。アルケニル基としては、置換基を除いたときの炭素原子数が２〜１２のアルケニル基が好ましい。置換基の例には、イオン性親水性基が含まれる。アルケニル基の例には、ビニル基、アリル基等が含まれる。
【０１３５】
式（Ｃ−１）中、Ｒ2、Ｒ3、Ｒ6、Ｒ7、Ｒ10、Ｒ11、Ｒ14及びＲ15が表すアラルキル基としては、置換基を有するアラルキル基及び無置換のアラルキル基が含まれる。アラルキル基としては、置換基を除いたときの炭素原子数が７〜１２のアラルキル基が好ましい。置換基の例には、イオン性親水性基が含まれる。アラルキル基の例には、ベンジル基、及び２−フェネチル基が含まれる。
【０１３６】
式（Ｃ−１）中、Ｒ2、Ｒ3、Ｒ6、Ｒ7、Ｒ10、Ｒ11、Ｒ14及びＲ15が表すアリール基には、置換基を有するアリール基及び無置換のアリール基が含まれる。アリール基としては、置換基を除いたときの炭素原子数が６〜１２のアリール基が好ましい。置換基の例には、アルキル基、アルコキシ基、ハロゲン原子、アルキルアミノ基及びイオン性親水性基が含まれる。アリール基の例には、フェニル、ｐ−トリル、ｐ−メトキシフェニル、ｏ−クロロフェニル及びｍ−（３−スルホプロピルアミノ）フェニルが含まれる。
【０１３７】
式（Ｃ−１）中、Ｒ2、Ｒ3、Ｒ6、Ｒ7、Ｒ10、Ｒ11、Ｒ14及びＲ15が表すヘテロ環基には、置換基を有するヘテロ環基及び無置換のヘテロ環基が含まれる。ヘテロ環基としては、５員又は６員環のヘテロ環基が好ましい。置換基の例には、イオン性親水性基が含まれる。へテロ環基の例には、２−ピリジル基、２−チエニル基及び２−フリル基が含まれる。
【０１３８】
式（Ｃ−１）中、Ｒ2、Ｒ3、Ｒ6、Ｒ7、Ｒ10、Ｒ11、Ｒ14及びＲ15が表すアルキルアミノ基には、置換基を有するアルキルアミノ基及び無置換のアルキルアミノ基が含まれる。アルキルアミノ基としては、置換基を除いたときの炭素原子数１〜６のアルキルアミノ基が好ましい。置換基の例には、イオン性親水性基が含まれる。アルキルアミノ基の例には、メチルアミノ基及びジエチルアミノ基が含まれる。
【０１３９】
式（Ｃ−１）中、Ｒ2、Ｒ3、Ｒ6、Ｒ7、Ｒ10、Ｒ11、Ｒ14及びＲ15が表すアルコキシ基には、置換基を有するアルコキシ基及び無置換のアルコキシ基が含まれる。置換基を除いたときのアルコキシ基としては、炭素原子数が１〜１２のアルコキシ基が好ましい。置換基の例には、アルコキシ基、ヒドロキシル基及びイオン性親水性基が含まれる。アルコキシ基の例には、メトキシ基、エトキシ基、イソプロポキシ基、メトキシエトキシ基、ヒドロキシエトキシ基及び３−カルボキシプロポキシ基が含まれる。
【０１４０】
式（Ｃ−１）中、Ｒ2、Ｒ3、Ｒ6、Ｒ7、Ｒ10、Ｒ11、Ｒ14及びＲ15が表すアリールオキシ基には、置換基を有するアリールオキシ基及び無置換のアリールオキシ基が含まれる。アリールオキシ基としては、置換基を除いたときの炭素原子数が６〜１２のアリールオキシ基が好ましい。置換基の例には、アルコキシ基及びイオン性親水性基が含まれる。アリールオキシ基の例には、フェノキシ基、ｐ−メトキシフェノキシ基及びｏ−メトキシフェノキシ基が含まれる。
【０１４１】
式（Ｃ−１）中、Ｒ2、Ｒ3、Ｒ6、Ｒ7、Ｒ10、Ｒ11、Ｒ14及びＲ15が表すアミド基には、置換基を有するアミド基及び無置換のアミド基が含まれる。アミド基としては、置換基を除いたときの炭素原子数が２〜１２のアミド基が好ましい。置換基の例には、イオン性親水性基が含まれる。アミド基の例には、アセトアミド基、プロピオンアミド基、ベンズアミド基及び３，５−ジスルホベンズアミド基が含まれる。
【０１４２】
式（Ｃ−１）中、Ｒ2、Ｒ3、Ｒ6、Ｒ7、Ｒ10、Ｒ11、Ｒ14及びＲ15が表すアリールアミノ基には、置換基を有するアリールアミノ基及び無置換のアリールアミノ基が含まれる。アリールアミノ基としては、置換基を除いたときの炭素原子数が６〜１２のアリールアミノ基が好ましい。置換基の例としては、ハロゲン原子及びイオン性親水性基が含まれる。アリールアミノ基の例としては、アニリノ基及び２−クロロアニリノ基が含まれる。
【０１４３】
式（Ｃ−１）中、Ｒ2、Ｒ3、Ｒ6、Ｒ7、Ｒ10、Ｒ11、Ｒ14及びＲ15が表すウレイド基には、置換基を有するウレイド基及び無置換のウレイド基が含まれる。ウレイド基としては、置換基を除いたときの炭素原子数が１〜１２のウレイド基が好ましい。置換基の例には、アルキル基及びアリール基が含まれる。ウレイド基の例には、３−メチルウレイド基、３，３−ジメチルウレイド基及び３−フェニルウレイド基が含まれる。
【０１４４】
式（Ｃ−１）中、Ｒ2、Ｒ3、Ｒ6、Ｒ7、Ｒ10、Ｒ11、Ｒ14及びＲ15が表すスルファモイルアミノ基には、置換基を有するスルファモイルアミノ基及び無置換のスルファモイルアミノ基が含まれる。置換基の例には、アルキル基が含まれる。スルファモイルアミノ基の例には、Ｎ，Ｎ−ジプロピルスルファモイルアミノ基が含まれる。
【０１４５】
式（Ｃ−１）中、Ｒ2、Ｒ3、Ｒ6、Ｒ7、Ｒ10、Ｒ11、Ｒ14及びＲ15が表すアルキルチオ基には、置換基を有するアルキルチオ基及び無置換のアルキルチオ基が含まれる。アルキルチオ基としては、置換基を除いたときの炭素原子数が１〜１２のアルキルチオ基が好ましい。置換基の例には、イオン性親水性基が含まれる。アルキルチオ基の例には、メチルチオ基及びエチルチオ基が含まれる。
【０１４６】
式（Ｃ−１）中、Ｒ2、Ｒ3、Ｒ6、Ｒ7、Ｒ10、Ｒ11、Ｒ14及びＲ15が表すアリールチオ基には、置換基を有するアリールチオ基及び無置換のアリールチオ基が含まれる。アリールチオ基としては、置換基を除いたときの炭素原子数が６〜１２のアリールチオ基が好ましい。置換基の例には、アルキル基、及びイオン性親水性基が含まれる。アリールチオ基の例には、フェニルチオ基及びｐ−トリルチオ基が含まれる。
【０１４７】
式（Ｃ−１）中、Ｒ2、Ｒ3、Ｒ6、Ｒ7、Ｒ10、Ｒ11、Ｒ14及びＲ15が表すアルコキシカルボニルアミノ基には、置換基を有するアルコキシカルボニルアミノ基及び無置換のアルコキシカルボニルアミノ基が含まれる。アルコキシカルボニルアミノ基としては、置換基を除いたときの炭素原子数が２〜１２のアルコキシカルボニルアミノ基が好ましい。置換基の例には、イオン性親水性基が含まれる。アルコキシカルボニルアミノ基の例には、エトキシカルボニルアミノ基が含まれる。
【０１４８】
式（Ｃ−１）中、Ｒ2、Ｒ3、Ｒ6、Ｒ7、Ｒ10、Ｒ11、Ｒ14及びＲ15が表すスルホンアミド基には、置換基を有するスルホンアミド基及び無置換のスルホンアミド基が含まれる。スルホンアミド基としては、置換基を除いたときの炭素原子数が１〜１２のスルホンアミド基が好ましい。置換基の例には、イオン性親水性基が含まれる。スルホンアミド基の例には、メタンスルホンアミド、ベンゼンスルホンアミド、及び３−カルボキシベンゼンスルホンアミドが含まれる。
【０１４９】
式（Ｃ−１）中、Ｒ2、Ｒ3、Ｒ6、Ｒ7、Ｒ10、Ｒ11、Ｒ14及びＲ15が表すカルバモイル基には、置換基を有するカルバモイル基及び無置換のカルバモイル基が含まれる。置換基の例には、アルキル基が含まれる。カルバモイル基の例には、メチルカルバモイル基及びジメチルカルバモイル基が含まれる。
【０１５０】
式（Ｃ−１）中、Ｒ2、Ｒ3、Ｒ6、Ｒ7、Ｒ10、Ｒ11、Ｒ14及びＲ15が表すスルファモイル基には、置換基を有するスルファモイル基及び無置換のスルファモイル基が含まれる。置換基の例には、アルキル基、アリ−ル基が含まれる。スルファモイル基の例には、ジメチルスルファモイル基及びジ−（２−ヒドロキシエチル）スルファモイル基、フェニルスルファモイル基が含まれる。
【０１５１】
式（Ｃ−１）中、Ｒ2、Ｒ3、Ｒ6、Ｒ7、Ｒ10、Ｒ11、Ｒ14及びＲ15が表すアルコキシカルボニル基には、置換基を有するアルコキシカルボニル基及び無置換のアルコキシカルボニル基が含まれる。アルコキシカルボニル基としては、置換基を除いたときの炭素原子数が２〜１２のアルコキシカルボニル基が好ましい。置換基の例には、イオン性親水性基が含まれる。アルコキシカルボニル基の例には、メトキシカルボニル基及びエトキシカルボニル基が含まれる。
【０１５２】
式（Ｃ−１）中、Ｒ2、Ｒ3、Ｒ6、Ｒ7、Ｒ10、Ｒ11、Ｒ14及びＲ15が表すヘテロ環オキシ基には、置換基を有するヘテロ環オキシ基及び無置換のヘテロ環オキシ基が含まれる。ヘテロ環オキシ基としては、５員又は６員環のヘテロ環を有するヘテロ環オキシ基が好ましい。置換基の例には、ヒドロキシル基、及びイオン性親水性基が含まれる。ヘテロ環オキシ基の例には、２−テトラヒドロピラニルオキシ基が含まれる。
【０１５３】
式（Ｃ−１）中、Ｒ2、Ｒ3、Ｒ6、Ｒ7、Ｒ10、Ｒ11、Ｒ14及びＲ15が表すアゾ基には、置換基を有するアゾ基及び無置換のアゾ基が含まれる。アゾ基の例には、ｐ−ニトロフェニルアゾ基が含まれる。
【０１５４】
式（Ｃ−１）中、Ｒ2、Ｒ3、Ｒ6、Ｒ7、Ｒ10、Ｒ11、Ｒ14及びＲ15が表すアシルオキシ基には、置換基を有するアシルオキシ基及び無置換のアシルオキシ基が含まれる。アシルオキシ基としては、置換基を除いたときの炭素原子数１〜１２のアシルオキシ基が好ましい。置換基の例には、イオン性親水性基が含まれる。アシルオキシ基の例には、アセトキシ基及びベンゾイルオキシ基が含まれる。
【０１５５】
式（Ｃ−１）中、Ｒ2、Ｒ3、Ｒ6、Ｒ7、Ｒ10、Ｒ11、Ｒ14及びＲ15が表すカルバモイルオキシ基には、置換基を有するカルバモイルオキシ基及び無置換のカルバモイルオキシ基が含まれる。置換基の例には、アルキル基が含まれる。カルバモイルオキシ基の例には、Ｎ−メチルカルバモイルオキシ基が含まれる。
【０１５６】
式（Ｃ−１）中、Ｒ2、Ｒ3、Ｒ6、Ｒ7、Ｒ10、Ｒ11、Ｒ14及びＲ15が表すシリルオキシ基には、置換基を有するシリルオキシ基及び無置換のシリルオキシ基が含まれる。置換基の例には、アルキル基が含まれる。シリルオキシ基の例には、トリメチルシリルオキシ基が含まれる。
【０１５７】
式（Ｃ−１）中、Ｒ2、Ｒ3、Ｒ6、Ｒ7、Ｒ10、Ｒ11、Ｒ14及びＲ15が表すアリールオキシカルボニル基には、置換基を有するアリールオキシカルボニル基及び無置換のアリールオキシカルボニル基が含まれる。アリールオキシカルボニル基としては、置換基を除いたときの炭素原子数が７〜１２のアリールオキシカルボニル基が好ましい。置換基の例には、イオン性親水性基が含まれる。アリールオキシカルボニル基の例には、フェノキシカルボニル基が含まれる。
【０１５８】
式（Ｃ−１）中、Ｒ2、Ｒ3、Ｒ6、Ｒ7、Ｒ10、Ｒ11、Ｒ14及びＲ15が表すアリールオキシカルボニルアミノ基には、置換基を有するアリールオキシカルボニルアミノ基及び無置換のアリールオキシカルボニルアミノ基が含まれる。アリールオキシカルボニルアミノ基としては、置換基を除いたときの炭素原子数が７〜１２のアリールオキシカルボニルアミノ基が好ましい。置換基の例には、イオン性親水性基が含まれる。アリールオキシカルボニルアミノ基の例には、フェノキシカルボニルアミノ基が含まれる。
【０１５９】
式（Ｃ−１）中、Ｒ2、Ｒ3、Ｒ6、Ｒ7、Ｒ10、Ｒ11、Ｒ14及びＲ15が表すイミド基には、置換基を有するイミド基及び無置換のイミド基が含まれる。イミド基の例には、Ｎ−フタルイミド基及びＮ−スクシンイミド基が含まれる。
【０１６０】
式（Ｃ−１）中、Ｒ2、Ｒ3、Ｒ6、Ｒ7、Ｒ10、Ｒ11、Ｒ14及びＲ15が表すヘテロ環チオ基には、置換基を有するヘテロ環チオ基及び無置換のヘテロ環チオ基が含まれる。ヘテロ環チオ基としては、５員又は６員環のヘテロ環を有することが好ましい。置換基の例には、イオン性親水性基が含まれる。へテロ環チオ基の例には、２−ピリジルチオ基が含まれる。
【０１６１】
式（Ｃ−１）中、Ｒ2、Ｒ3、Ｒ6、Ｒ7、Ｒ10、Ｒ11、Ｒ14及びＲ15が表すホスホリル基には、置換基を有するホスホリル基及び無置換のホスホリル基が含まれる。ホスホリル基の例には、フェノキシホスホリル基及びフェニルホスホリル基が含まれる。
【０１６２】
式（Ｃ−１）中、Ｒ2、Ｒ3、Ｒ6、Ｒ7、Ｒ10、Ｒ11、Ｒ14及びＲ15が表すアシル基には、置換基を有するアシル基及び無置換のアシル基が含まれる。アシル基としては、置換基を除いたときの炭素原子数が１〜１２のアシル基が好ましい。置換基の例には、イオン性親水性基が含まれる。アシル基の例には、アセチル基及びベンゾイル基が含まれる。
【０１６３】
式（Ｃ−１）中、Ｒ2、Ｒ3、Ｒ6、Ｒ7、Ｒ10、Ｒ11、Ｒ14及びＲ15が表すイオン性親水性基には、スルホ基、カルボキシル基、及び４級アンモニウム基等が含まれる。イオン性親水性基としては、カルボキシル基及びスルホ基が好ましく、特にスルホ基が好ましい。カルボキシル基及びスルホ基は塩の状態であってもよく、塩を形成する対イオンの例には、アルカリ金属イオン（例、ナトリウムイオン、カリウムイオン）及び有機カチオン（例、テトラメチルグアニジウムイオン）が含まれる。
【０１６４】
式（Ｃ−１）中、Ｒ2、Ｒ3、Ｒ6、Ｒ7、Ｒ10、Ｒ11、Ｒ14及びＲ15は、なかでも、水素原子、ハロゲン原子、アルキル基、アリール基、シアノ基、アルコキシ基、アミド基、ウレイド基、スルホンアミド基、カルバモイル基、スルファモイル基及びアルコキシカルボニル基が好ましく、特に水素原子、ハロゲン原子、シアノ基が好ましく、水素原子が最も好ましい。
【０１６５】
式（Ｃ−１）中、Ｚ1、Ｚ2、Ｚ3、及びＺ4は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ1、Ｚ2、Ｚ3、及びＺ4のうち少なくとも１つは、イオン性親水性基を置換基として有する。置換基としては、上記置換基群Ａに記載の置換基が挙げられる。
【０１６６】
式（Ｃ−１）中、Ｚ1、Ｚ2、Ｚ3、及びＺ4が表すアルキル基には、置換基を有するアルキル基及び無置換のアルキル基が含まれる。アルキル基は、置換基を除いたときの炭素原子数が１〜１２のアルキル基が好ましい。置換基の例には、ヒドロキシル基、アルコキシ基、シアノ基、アルキルアミノ基（ＲＮＨ−、ＲＲ’Ｎ−）、カルバモイル基（―ＣＯＮＨＲ）、スルファモイル基（―ＳＯ2ＮＨＲ、―ＳＯ2ＮＲＲ’）、スルホニルアミノ基（―ＮＨＳＯ2Ｒ）、−ＳＯＮＨＲ基、−ＳＯＮＲＲ’基、ハロゲン原子及びイオン性親水性基が含まれる。（なお前記Ｒ、Ｒ’はアルキル基、フェニル基を表し、さらにこれらは置換基を有してもよい。置換基としては、アルキルアミノ基、ヒドロキシル基、イオン性親水性基などが挙げられる。Ｒ、Ｒ’は化学結合により環を形成していてもよい。）アルキル基の例には、メチル、エチル、ブチル、ｎ−プロピル、イソプロピル、ｔ−ブチル、ヒドロキシエチル、メトキシエチル、シアノエチル、トリフルオロメチル、３−スルホプロピル及び４−スルホブチルが含まれる。
【０１６７】
式（Ｃ−１）中、Ｚ1、Ｚ2、Ｚ3、及びＺ4が表すシクロアルキル基には、置換基を有するシクロアルキル基及び無置換のシクロアルキル基が含まれる。シクロアルキル基としては、置換基を除いたときの炭素原子数が５〜１２のシクロアルキル基が好ましい。置換基の例には、イオン性親水性基が含まれる。シクロアルキル基の例には、シクロヘキシル基が含まれる。
【０１６８】
式（Ｃ−１）中、Ｚ1、Ｚ2、Ｚ3、及びＺ4が表すアルケニル基には、置換基を有するアルケニル基及び無置換のアルケニル基が含まれる。アルケニル基としては、置換基を除いたときの炭素原子数が２〜１２のアルケニル基が好ましい。置換基の例には、イオン性親水性基が含まれる。アルケニル基の例には、ビニル基、アリル基等が含まれる。
【０１６９】
式（Ｃ−１）中、Ｚ1、Ｚ2、Ｚ3、及びＺ4が表すアラルキル基としては、置換基を有するアラルキル基及び無置換のアラルキル基が含まれる。アラルキル基としては、置換基を除いたときの炭素原子数が７〜１２のアラルキル基が好ましい。置換基の例には、イオン性親水性基が含まれる。アラルキル基の例には、ベンジル基、及び２−フェネチル基が含まれる。
【０１７０】
式（Ｃ−１）中、Ｚ1、Ｚ2、Ｚ3、及びＺ4が表すアリール基には、置換基を有するアリール基及び無置換のアリール基が含まれる。アリール基としては、置換基を除いたときの炭素原子数が６〜１２のアリール基が好ましい。アリール基の例には、フェニル、ｐ−トリル、ｐ−メトキシフェニル、ｏ−クロロフェニル及びｍ−（３−スルホプロピルアミノ）フェニル、ｍ−スルホフェニルが含まれる。置換基の例には、アルキル基（Ｒ−）、アルコキシ基（ＲＯ―）、アルキルアミノ基（ＲＮＨ−、ＲＲ’Ｎ−）、カルバモイル基（―ＣＯＮＨＲ）、スルファモイル基（―ＳＯ2ＮＨＲ）、スルホニルアミノ基（―ＮＨＳＯ2Ｒ）、ハロゲン原子、イオン性親水性基が含まれる（なお前記Ｒ、Ｒ’はアルキル基、フェニル基を表し、さらにこれらはイオン性親水性基を有してもよい）。
【０１７１】
式（Ｃ−１）中、Ｚ1、Ｚ2、Ｚ3、及びＺ4が表すヘテロ環基は、置換基を有するヘテロ環基及び無置換のヘテロ環基が含まれ、さらに他の環と縮合環を形成していてもよい。ヘテロ環基としては、５員又は６員環のヘテロ環基が好ましい。ヘテロ環基は、さらに他の環と縮合環を形成していてもよい。へテロ環基の例には、ヘテロ環の置換位置を限定せずに挙げると、各々独立して、イミダゾール、ベンゾイミダゾール、ピラゾール、ベンゾピラゾール、トリアゾール、チアゾール、ベンゾチアゾール、イソチアゾール、ベンゾイソチアゾール、オキサゾール、ベンゾオキサゾール、チアジアゾール、オキサジアゾール、ピロール、ベンゾピロール、インドール、イソオキサゾール、ベンゾイソオキサゾール、チオフェン、ベンゾチオフェン、フラン、ベンゾフラン、ピリジン、キノリン、イソキノリン、ピリダジン、ピリミジン、ピラジン、シンノリン、フタラジン、キナゾリン、キノクサリン、トリアジン等が含まれる。置換基の例には、アルキル基（Ｒ−）、アリール基（Ｒ−）、アルコキシ基（ＲＯ―）、アルキルアミノ基（ＲＮＨ−、ＲＲ’Ｎ−）、カルバモイル基（―ＣＯＮＨＲ）、スルファモイル基（―ＳＯ2ＮＨＲ）、スルホニルアミノ基（―ＮＨＳＯ2Ｒ）、スルホニル基（−ＳＯ2Ｒ）、アシルアミノ基（−ＮＨＣＯＲ）、ハロゲン原子、イオン性親水性基が含まれる（なお前記Ｒ、Ｒ’はアルキル基、アリール基を表し、さらにこれらはイオン性親水性基、又はイオン性親水性基を有する置換基を有してもよい）。
【０１７２】
式（Ｃ−１）中、Ｚ1、Ｚ2、Ｚ3、及びＺ4は、置換もしくは無置換のアルキル基、置換もしくは無置換のアリール基、置換もしくは無置換のヘテロ環基が好ましく、置換のアルキル基、置換のアリール基、置換のヘテロ環基がより好ましく、置換のアルキル基であることがさらに好ましい。
【０１７３】
式（Ｃ−１）中、Ｚ1、Ｚ2、Ｚ3、及びＺ4のうち少なくとも１つは、イオン性親水性基を置換基として有する。置換基としてのイオン性親水性基には、スルホ基、カルボキシル基、及び４級アンモニウム基等が含まれる。該イオン性親水性基としては、カルボキシル基及びスルホ基が好ましく、特にスルホ基が好ましい。カルボキシル基及びスルホ基は塩の状態であってもよく、塩を形成する対イオンの例には、アルカリ金属イオン（例、ナトリウムイオン、カリウムイオン）及び有機カチオン（例、テトラメチルグアニジウムイオン）が含まれる。
【０１７４】
式（Ｃ−１）中、ｌ、ｍ、ｎ及びｐは、各々独立して、１又は２を表す。すなわち、４≦ｌ＋ｍ＋ｎ＋ｐ≦８を満たす。好ましくは４≦ｌ＋ｍ＋ｎ＋ｐ≦６を満たすことであり、最も好ましくは、それぞれが１（ｌ＝ｍ＝ｎ＝ｐ＝１）である場合である。
【０１７５】
式（Ｃ−１）中、ｑ1、ｑ2、ｑ3及びｑ4は、各々独立して、１又は２を表す。特にｑ1＝ｑ2＝ｑ3＝ｑ4＝２であることが好ましい。
【０１７６】
式（Ｃ−１）中、Ｍ1は、水素原子、金属元素、金属酸化物、金属水酸化物又は金属ハロゲン化物を表す。
【０１７７】
式（Ｃ−１）中、Ｍ1として好ましいものは、水素原子の他に、金属元素として、Ｌｉ、Ｎａ、Ｋ、Ｍｇ、Ｔｉ、Ｚｒ、Ｖ、Ｎｂ、Ｔａ、Ｃｒ、Ｍｏ、Ｗ、Ｍｎ、Ｆｅ、Ｃｏ、Ｎｉ、Ｒｕ、Ｒｈ、Ｐｄ、Ｏｓ、Ｉｒ、Ｐｔ、Ｃｕ、Ａｇ、Ａｕ、Ｚｎ、Ｃｄ、Ｈｇ、Ａｌ、Ｇａ、Ｉｎ、Ｓｉ、Ｇｅ、Ｓｎ、Ｐｂ、Ｓｂ、Ｂｉ等が挙げられる。なかでも特に、Ｃｕ、Ｎｉ、Ｚｎ、Ａｌ等が好ましく、Ｃｕが最も好ましい。金属酸化物としては、ＶＯ、ＧｅＯ等が好ましく挙げられる。また、金属水酸化物としては、Ｓｉ（ＯＨ）2、Ｃｒ（ＯＨ）2、Ｓｎ（ＯＨ）2等が好ましく挙げられる。さらに、金属ハロゲン化物としては、ＡｌＣｌ、ＳｉＣｌ2、ＶＣｌ、ＶＣｌ2、ＶＯＣｌ、ＦｅＣｌ、ＧａＣｌ、ＺｒＣｌ等が挙げられる。
【０１７８】
式（Ｃ−１）で表される色材の含有量は、シアンインクの総量に対して、好ましくは０．０５０〜１．０質量％であり、より好ましくは０．１０〜０．８０質量％であり、さらに好ましくは０．２０〜０．６０質量％である。式（Ｃ−１）で表される色材の含有量が上記範囲内であることにより、良好な堅牢性と高い印画濃度を有する画像が得られる傾向にある。
【０１７９】
〔式（Ｃ−２）で表される色材〕
以下、式（Ｃ−２）で表される色材について詳細に説明する。
【化３５】
0006520452.tif 000038
（式（Ｃ−２）中、
Ｒ1、Ｒ4、Ｒ5、Ｒ8、Ｒ9、Ｒ12、Ｒ13及びＲ16は、各々独立して、水素原子、ハロゲン原子、アルキル基、シクロアルキル基、アルケニル基、アラルキル基、アリール基、ヘテロ環基、シアノ基、ヒドロキシル基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、ホスホリル基、アシル基又はイオン性親水性基を表す。これらの基は、さらに置換基を有していてもよい。
Ｚ5、Ｚ6、Ｚ7、及びＺ8は、各々独立して、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。但し、Ｚ5、Ｚ6、Ｚ7、及びＺ8のうち少なくとも１つは、イオン性親水性基を置換基として有する。
ｔ、ｕ、ｖ、ｗ、ｑ5、ｑ6、ｑ7及びｑ8は、各々独立して、１又は２を表す。
Ｍ2は、水素原子、金属元素、金属酸化物、金属水酸化物又は金属ハロゲン化物を表す。）
【０１８０】
式（Ｃ−２）中、Ｒ1、Ｒ4、Ｒ5、Ｒ8、Ｒ9、Ｒ12、Ｒ13及びＲ16は、各々独立して、前記式（Ｃ−１）中のＲ2、Ｒ3、Ｒ6、Ｒ7、Ｒ10、Ｒ11、Ｒ14及びＲ15と各々同義である。
【０１８１】
式（Ｃ−２）中、Ｚ5、Ｚ6、Ｚ7、及びＺ8は、各々独立して、前記式（Ｃ−１）中のＺ1、Ｚ2、Ｚ3、及びＺ4と各々同義である。
【０１８２】
式（Ｃ−２）中、ｔ、ｕ、ｖ、ｗ、ｑ5、ｑ6、ｑ7及びｑ8は、各々独立して、１又は２を表す。
【０１８３】
式（Ｃ−２）中、Ｍ2は、前記式（Ｃ−１）中のＭ1と同義である。
【０１８４】
式（Ｃ−２）中、Ｒ1、Ｒ4、Ｒ5、Ｒ8、Ｒ9、Ｒ12、Ｒ13及びＲ16は、各々独立して、前記式（Ｃ−１）中のＲ2、Ｒ3、Ｒ6、Ｒ7、Ｒ10、Ｒ11、Ｒ14及びＲ15と各々同義であり、水素原子、ハロゲン原子、アルキル基、アリール基、シアノ基、アルコキシ基、アミド基、ウレイド基、スルホンアミド基、カルバモイル基、スルファモイル基及びアルコキシカルボニル基が好ましく、特に水素原子、ハロゲン原子、シアノ基が好ましく、水素原子が最も好ましい。これらの基は、さらに置換基を有していてもよい。置換基としては、上記置換基群Ａに記載の置換基が挙げられる。
【０１８５】
式（Ｃ−２）中、Ｚ5、Ｚ6、Ｚ7、及びＺ8は、各々独立して、前記式（Ｃ−１）中のＺ1、Ｚ2、Ｚ3、及びＺ4と各々同義である。
【０１８６】
式（Ｃ−２）中、Ｚ5、Ｚ6、Ｚ7、及びＺ8は、置換もしくは無置換のアルキル基、置換もしくは無置換のアリール基、置換もしくは無置換のヘテロ環基が好ましく、置換のアルキル基、置換のアリール基、置換のヘテロ環基がより好ましく、置換のアルキル基であることがさらに好ましい。また、置換のアルキル基が有する置換基の少なくとも一つが、−ＳＯＮＨＲ基であることがオゾン堅牢性の観点から最も好ましい。
【０１８７】
式（Ｃ−２）中、Ｚ5、Ｚ6、Ｚ7、及びＺ8のうち少なくとも１つが置換基として有するイオン性親水性基は、前記式（Ｃ−１）中のＺ1、Ｚ2、Ｚ3、及びＺ4が置換基として有するイオン性親水性基と同義であり、好ましい例も同様である。
【０１８８】
式（Ｃ−２）中、ｔ、ｕ、ｖ及びｗは、各々独立して、１又は２を表す。すなわち、４≦ｔ＋ｕ＋ｖ＋ｗ≦８を満たす。好ましくは４≦ｔ＋ｕ＋ｖ＋ｗ≦６を満たすことであり、最も好ましくは、それぞれが１（ｔ＝ｕ＝ｖ＝ｗ＝１）である場合である。
【０１８９】
式（Ｃ−２）中、ｑ5、ｑ6、ｑ7及びｑ8は、各々独立して、１又は２を表す。特にｑ5＝ｑ6＝ｑ7＝ｑ8＝２であることが好ましい。
【０１９０】
式（Ｃ−２）中、Ｍ2は、前記式（Ｃ−１）中のＭ1と同義であり、好ましい例も同様である。
【０１９１】
式（Ｃ−２）で表される色材の含有量は、シアンインクの総量に対して、好ましくは２．５〜７．５質量％であり、より好ましくは３．０〜５．０質量％であり、さらに好ましくは３．５〜４．５質量％である。式（Ｃ−２）で表される色材の含有量が上記範囲内であることにより、良好な堅牢性と高い印画濃度を有する画像が得られる傾向にある。
【０１９２】
式（Ｃ−１）及び式（Ｃ−２）で表される色材は、例えば白井−小林共著、（株）アイピーシー発行「フタロシアニン−化学と機能−」（Ｐ．１〜６２）、Ｃ．Ｃ．Ｌｅｚｎｏｆｆ−Ａ．Ｂ．Ｐ．Ｌｅｖｅｒ共著、ＶＣＨ発行‘Ｐｈｔｈａｌｏｃｙａｎｉｎｅｓ−Ｐｒｏｐｅｒｔｉｅｓ  ａｎｄ  Ａｐｐｌｉｃａｔｉｏｎｓ’（Ｐ．１〜５４）等に記載、引用もしくはこれらに類似の方法を組み合わせて合成することができる。
【０１９３】
以下、式（Ｃ−２）で表される色材の合成を例にとって説明する。式（Ｃ−２）で表される色材のうちＲ1、Ｒ4、Ｒ5、Ｒ8、Ｒ9、Ｒ12、Ｒ13及びＲ16が水素、ｑ5、ｑ6、ｑ7及びｑ8が２である化合物は、例えば下記式（Ｃ−２−１）で表されるフタロニトリル誘導体及び／又は下記式（Ｃ−２−２）で表されるジイミノイソインドリン誘導体と下記Ｍ−（Ｙ）ｄで表される金属誘導体を反応させることにより合成される。
【０１９４】
【化３６】
0006520452.tif 000039
【０１９５】
式（Ｃ−２−１）式及び／又は式（Ｃ−２−２）中、ｘは式（Ｃ−２）中のｔ、ｕ、ｖ、ｗと同義である。ＺはＺ5、Ｚ6、Ｚ7、及びＺ8に対応する置換基を表す。
【０１９６】
Ｙはハロゲン原子、酢酸陰イオン、アセチルアセトネート、酸素などの１価又は２価の配位子を示し、ｄは１〜４の整数である。
【０１９７】
Ｍ−（Ｙ）ｄで表される金属誘導体としては、Ａｌ、Ｓｉ、Ｔｉ、Ｖ、Ｍｎ，Ｆｅ、Ｃｏ、Ｎｉ、Ｃｕ、Ｚｎ、Ｇｅ、Ｒｕ、Ｒｈ、Ｐｄ、Ｉｎ、Ｓｎ、Ｐｔ、Ｐｂのハロゲン化物、カルボン酸誘導体、硫酸塩、硝酸塩、カルボニル化合物、酸化物、錯体等が挙げられる。具体例としては塩化銅、臭化銅、沃化銅、塩化ニッケル、臭化ニッケル、酢酸ニッケル、塩化コバルト、臭化コバルト、酢酸コバルト、塩化鉄、塩化亜鉛、臭化亜鉛、沃化亜鉛、酢酸亜鉛、塩化バナジウム、オキシ三塩化バナジウム、塩化パラジウム、酢酸パラジウム、塩化アルミニウム、塩化マンガン、酢酸マンガン、アセチルアセトンマンガン、塩化マンガン、塩化鉛、酢酸鉛、塩化インジウム、塩化チタン、塩化スズ等が挙げられる。
【０１９８】
かくして得られる、前記式（Ｃ−２）で表される色材のうちＲ1、Ｒ4、Ｒ5、Ｒ8、Ｒ9、Ｒ12、Ｒ13及びＲ16が水素、ｑ5、ｑ6、ｑ7及びｑ8が２で表されるフタロシアニン化合物（例えば：ｔ＝ｕ＝ｖ＝ｗ＝１の場合）は、通常、Ｒａ（ＳＯ2−Ｚ5）、Ｒｂ（ＳＯ2−Ｚ6）、Ｒｃ（ＳＯ2−Ｚ7）、Ｒｄ（ＳＯ2−Ｚ8）の各置換位置における異性体である下記式（ａ）−１〜（ａ）−４で表される化合物の混合物となっている。
【化３７】
0006520452.tif 000040
【０１９９】
すなわち、上記式（Ｃ−２−３）−（Ｃ−２−６）で表される化合物は、β−位置換型（下記式（Ｃ−２）におけるＲ1〜Ｒ16をそれぞれ１位〜１６位とした場合、２及び又は３位、６及び又は７位、１０及び又は１１位、１４及び又は１５位に特定の置換基を有するフタロシアニン化合物）である。
【０２００】
式（Ｃ−１）で表される色材は、α−位置換型（１及び又は４位、５及び又は８位、９及び又は１２位、１３及び又は１６位に特定の置換基を有するフタロシアニン化合物）にあたる。
【０２０１】
また、式（Ｃ−２）で表される色材はβ−位置換型（２及び又は３位、６及び又は７位、１０及び又は１１位、１４及び又は１５位に特定の置換基を有するフタロシアニン化合物）にあたる。本実施形態ではいずれの置換型においても、−ＳＯ−Ｚ及び／又は−ＳＯ2−Ｚで表される特定の置換基を有することが、良好な堅牢性のために重要である。
【０２０２】
式（Ｃ−１）又は式（Ｃ−２）で表される色材の具体例を、式（Ｃ−２−７）を用いて以下に示すが、本実施形態に用いられるフタロシアニン染料は、下記の例に限定されるものではない。
【化３８】
0006520452.tif 000041
【０２０３】
（式（Ｃ−１）で表される色材の例示）
※以下、（Ｒ1，Ｒ4）（Ｒ2，Ｒ3）（Ｒ5，Ｒ8）（Ｒ6，Ｒ7）（Ｒ9，Ｒ12）（Ｒ10，Ｒ11）（Ｒ13，Ｒ16）（Ｒ14，Ｒ15）の各組の具体例は、各々独立に順不同である。
【化３９】
0006520452.tif 000042
【０２０４】
【化４０】
0006520452.tif 000043
【０２０５】
【化４１】
0006520452.tif 000044
【０２０６】
（式（Ｃ−２）で表される色材の例示）
※以下、（Ｒ1，Ｒ4）（Ｒ2，Ｒ3）（Ｒ5，Ｒ8）（Ｒ6，Ｒ7）（Ｒ9，Ｒ12）（Ｒ10，Ｒ11）（Ｒ13，Ｒ16）（Ｒ14，Ｒ15）の各組の具体例は、各々独立に順不同である。
【化４２】
0006520452.tif 000045
【０２０７】
【化４３】
0006520452.tif 000046
【０２０８】
【化４４】
0006520452.tif 000047
【０２０９】
〔ブラックインク〕
インクセットは、染料ブラックインク及び顔料ブラックインクの少なくとも一方を、さらに備えてもよい。
【０２１０】
〔染料ブラックインク〕
染料ブラックインクは、下記式（Ｂｋ−１）で表されるアゾ化合物又はその塩、下記式（Ｂｗ−１）で表される色材、下記式（ｂ−１）で表される色材、下記式（ｂ−３）で表される色材及びからなる群より選ばれる少なくとも１種を含むことが好ましく、下記式（Ｂｋ−１）で表されるアゾ化合物又はその塩、及び下記式（Ｂｗ−１）で表される色材、からなる群より選ばれる少なくとも１種を含むことがより好ましい。
【０２１１】
〔式（Ｂｋ−１）で表されるアゾ化合物又はその塩〕
以下、式（Ｂｋ−１）で表されるアゾ化合物又はその塩について詳細に説明する。
【化４５】
0006520452.tif 000048
（式（Ｂｋ−１）中、Ｒ1、Ｒ2、Ｒ5、Ｒ6及びＲ7は各々独立して水素原子、ハロゲン原子、シアノ基、ヒドロキシル基、カルボキシル基、スルホ基、スルファモイル基、Ｎ−アルキルアミノスルホニル基、Ｎ−フェニルアミノスルホニル基、ヒドロキシル基で置換されてもよい炭素数１〜４のアルキルスルホニル基、ホスホ基、ニトロ基、アシル基、ウレイド基、炭素数１〜４のアルキル基（ヒドロキシル基又は炭素数１〜４のアルコキシ基で置換されていてもよい）、炭素数１〜４のアルコキシ基（アルキル基はヒドロキシル基、炭素数１〜４のアルコキシ基、スルホ基又はカルボキシル基で置換されていてもよい）、アシルアミノ基、アルキルスルホニルアミノ基又はフェニルスルホニルアミノ基（フェニル基はハロゲン原子、アルキル基又はニトロ基で置換されていてもよい）を、Ｒ3及びＲ4は各々独立して水素原子、ハロゲン原子、シアノ基、カルボキシル基、スルホ基、ニトロ基、炭素数１〜４のアルキル基（ヒドロキシル基又は炭素数１〜４のアルコキシ基で置換されていてもよい）、炭素数１〜４のアルコキシ基（アルキル基はヒドロキシル基、炭素数１〜４のアルコキシ基、スルホ基又はカルボキシル基で置換されていてもよい）、アシルアミノ基、アルキルスルホニルアミノ基又はフェニルスルホニルアミノ基（フェニル基はハロゲン原子、アルキル基又はニトロ基で置換されてもよい）を、ｎは０又は１をそれぞれ表す。）
【０２１２】
式（Ｂｋ−１）中、特に炭素数の記載のないアルキル基、アルコキシ基、アシル基等における炭素数は、本実施形態の効果を達成しうる範囲で特に限定はないが、通常炭素数１〜２０程度で有り、好ましくは炭素数１〜１０程度であり、更に好ましくはアルキル基、アルコキシ基又は脂肪族のアシル基の場合、炭素数１〜４程度であり、芳香族のアシル基の場合は炭素数７〜１１で有り、具体的にはベンゾイル基、ナフトイル基などが挙げられる。
【０２１３】
式（Ｂｋ−１）中、Ｒ1、Ｒ2、Ｒ5、Ｒ6及びＲ7において、Ｎ−アルキルアミノスルホニル基の例としては例えば、Ｎ−メチルアミノスルホニル基、Ｎ−エチルアミノスルホニル基、Ｎ−（ｎ−ブチル）アミノスルホニル基、Ｎ，Ｎ−ジメチルアミノスルホニル基、Ｎ，Ｎ−ジ（ｎ−プロピル）アミノスルホニル基等が挙げられる。
【０２１４】
式（Ｂｋ−１）中、Ｒ1、Ｒ2、Ｒ5、Ｒ6及びＲ7において、ヒドロキシル基で置換されてもよい炭素数１〜４のアルキルスルホニル基の例としては例えば、メチルスルホニル、エチルスルホニル、プロピルスルホニル、ブチルスルホニル、ヒドロキシエチルスルホニル、２−ヒドロキシプロピルスルホニル等が挙げられる。
【０２１５】
式（Ｂｋ−１）中、Ｒ1、Ｒ2、Ｒ5、Ｒ6及びＲ7において、アシル基の好ましい例としては例えば、アセチル、プロピオニル、ブチリル又はイソブチリル等の炭素数１〜４のアルキルカルボニル、又はベンゾイル、ナフトイル等のＣ７〜Ｃ１１の芳香族カルボニル等が挙げられる。
【０２１６】
式（Ｂｋ−１）中、Ｒ1からＲ7において、ヒドロキシ基若しくは炭素数１〜４のアルコキシ基で置換されてもよい炭素数１〜４のアルキル基の例としては例えば、メチル、エチル、ｎ−プロピル、イソプロピル、ｎ−ブチル、イソブチル、ｓｅｃ−ブチル、ｔｅｒｔ−ブチル、２−ヒドロキシエチル、２−ヒドロキシプロピル、３−ヒドロキシプロピル、メトキシエチル、２−エトキシエチル、ｎ−プロポキシエチル、イソプロポキシエチル、ｎ−ブトキシエチル、メトキシプロピル、エトキシプロピル、ｎ−プロポキシプロピル、イソプロポキシブチル、ｎ−プロポキシブチル等が挙げられる。
【０２１７】
式（Ｂｋ−１）中、Ｒ1からＲ7において、ヒドロキシ基、炭素数１〜４のアルコキシ、スルホ基又はカルボキシル基からなる群から選ばれる置換基で置換されてもよい炭素数１〜４のアルコキシ基の例としては例えば、メトキシ、エトキシ、ｎ−プロポキシ、イソプロポキシ、ｎ−ブトキシ、ｓｅｃ−ブトキシ、ｔｅｒｔ−ブトキシ、２−ヒドロキシエトキシ、２−ヒドロキシプロポキシ、３−ヒドロキシプロポキシ、メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ、２−ヒドロキシエトキシエトキシ、カルボキシメトキシ、２−カルボキシエトキシ、３−カルボキシプロポキシ、３−スルホプロポキシ、４−スルホブトキシ等が挙げられる。
【０２１８】
式（Ｂｋ−１）中、Ｒ1からＲ7において、アシルアミノ基の好ましいアシル基としては例えば前記アシル基の項で挙げた好ましいアシル基が挙げられ、好ましいアシルアミノ基としては例えば、アセチルアミノ、プロピオニルアミノ、ブチリルアミノ、イソブチリルアミノ、ベンゾイルアミノ、ナフトイルアミノ等が挙げられる。
【０２１９】
式（Ｂｋ−１）中、Ｒ1からＲ7において、アルキルスルホニルアミノ基の好ましい例としては例えば、メチルスルホニルアミノ、エチルスルホニルアミノ、プロピルスルホニルアミノ等が挙げられる。
【０２２０】
式（Ｂｋ−１）中、Ｒ1からＲ7において、ハロゲン原子、アルキル基若しくはニトロ基からなる群から選ばれる基で置換されてもよいフェニルスルホニルアミノ基の好ましい例としては例えば、ベンゼンスルホニルアミノ、トルエンスルホニルアミノ、クロロベンゼンスルホニルアミノ、ニトロベンゼンスルホニルアミノ等が挙げられる。
【０２２１】
式（Ｂｋ−１）中、好ましいＲ1及びＲ2は、各々独立して、水素原子、塩素原子、臭素原子、シアノ基、カルボキシル基、スルホ基、スルファモイル基、Ｎ−メチルアミノスルホニル基、Ｎ−フェニルアミノスルホニル基、メチルスルホニル基、ヒドロキシエチルスルホニル基、リン酸基、ニトロ基、アセチル基、ベンゾイル基、ウレイド基、メチル基、メトキシ基、エチル基、エトキシ基、プロピル基、プロポキシ基、２−ヒドロキシエトキシ基、２−メトキシエトキシ基、２−エトキシエトキシ基、３−スルホプロポキシ基、４−スルホブトキシ基、カルボキシメトキシ基、２−カルボキシエトキシ基、アセチルアミノ基、ベンゾイルアミノ基等であり、さらに好ましくは、水素原子、塩素原子、シアノ基、スルファモイル基、アセチル基、ニトロ基、カルボキシル基又はスルホ基であり、より好ましくは、水素原子、カルボキシル基又はスルホ基である。さらに好ましいＲ1は、カルボキシル基又はスルホ基であり、スルホ基が特に好ましい。Ｒ2は水素原子が特に好ましい。
【０２２２】
式（Ｂｋ−１）中、置換位置は、Ｒ1の置換位置がアゾ基に対しオルト位の場合、ニトロ基の置換位置がアゾ基に対しパラ位であり、Ｒ1の置換位置がアゾ基に対しパラ位の場合、ニトロ基の置換位置がアゾ基に対しオルト位であることが好ましい。
【０２２３】
式（Ｂｋ−１）中、好ましいＲ3及びＲ4は、各々独立して、水素原子、シアノ基、カルボキシル基、スルホ基、ニトロ基、メチル基、メトキシ基、エチル基、エトキシ基、プロピル基、プロポキシ基、２−ヒドロキシエトキシ基、２−メトキシエトキシ基、２−エトキシエトキシ基、３−スルホプロポキシ基、４−スルホブトキシ基、カルボキシメトキシ基、２−カルボキシエトキシ基又はアセチルアミノ基であり、より好ましくは、水素原子、カルボキシル基、スルホ基、メチル基、メトキシ基又は３−スルホプロポキシ基であり、更に好ましくは、水素原子又はスルホ基である。また、Ｒ3がスルホ基、Ｒ4が水素原子の組み合わせが特に好ましい。
【０２２４】
式（Ｂｋ−１）中、好ましいＲ5からＲ7は、各々独立して、水素原子、塩素原子、臭素原子、シアノ基、カルボキシル基、スルホ基、スルファモイル基、Ｎ−メチルアミノスルホニル基、Ｎ−フェニルアミノスルホニル基、メチルスルホニル基、ヒドロキシエチルスルホニル基、リン酸基、ニトロ基、アセチル基、ベンゾイル基、ウレイド基、メチル基、メトキシ基、エチル基、エトキシ基、プロピル基、プロポキシ基、２−ヒドロキシエトキシ基、２−メトキシエトキシ基、２−エトキシエトキシ基、３−スルホプロポキシ基、４−スルホブトキシ基、カルボキシメトキシ基、２−カルボキシエトキシ基、アセチルアミノ基、ベンゾイルアミノ基等であり、さらに好ましくは、水素原子、塩素原子、シアノ基、スルファモイル基、アセチル基、ニトロ基、カルボキシル基又はスルホ基であり、より好ましくは、水素原子、カルボキシル基又はスルホ基である。特に好ましいＲ5は水素原子、カルボキシル基又はスルホ基、特に好ましいＲ6はカルボキシル基又はスルホ基、特に好ましいＲ7は水素原子である。
【０２２５】
式（Ｂｋ−１）中、Ｒ1及びＲ2として好ましいものは、いずれか一方が水素原子又はスルホ基であり、他方がカルボキシル基、スルホ基又は炭素数１〜４のアルコキシ基の場合であり、より好ましくは、いずれか一方が水素原子で、他方がカルボキシル基又はスルホ基の場合である。ｎは０又は１何れでもよいが、１がより好ましい。
【０２２６】
式（Ｂｋ−１）中、Ｒ3及びＲ4として好ましいものは、一方がスルホ基又はスルホ炭素数１〜４のアルコキシ基であり、他方が水素原子、スルホ基又は炭素数１〜４のアルキル基の場合であり、より好ましくは、一方がスルホ基で他方が水素原子の場合である。
また、Ｒ5、Ｒ6及びＲ7として好ましいものは、いずれか１つが、スルホ基、カルボキシル基、スルホプロポキシ基、ヒドロキシ基又はヒドロキシ炭素数１〜４のアルキルスルホニル基から選ばれるもの、より好ましくはスルホ基又はカルボキシル基、更に好ましくはスルホ基であり、他のいずれか１つが、水素原子、スルホ基、カルボキシル基、炭素数１〜４のアルキル基、ニトロ基又はアミノスルホニル基であり、より好ましくは水素原子、スルホ基又はカルボキシル基であり、残りの１つが、水素原子、スルホ基、トルエンスルホニルアミノ基又はアセチルアミノ基であり、より好ましくは水素原子である。
【０２２７】
これらの好ましいもの同士の組み合わせはより好ましく、好ましいものとより好ましいものの組み合わせは更に好ましく、より好ましい同士の組み合わせは最も好ましい。
【０２２８】
式（Ｂｋ−１）で示される化合物の塩は、無機又は有機の陽イオンの塩である。そのうち無機塩の具体例としては、アルカリ金属塩、アルカリ土類金属塩及びアンモニウム塩が挙げられ、好ましい無機塩は、リチウム、ナトリウム、カリウムの塩及びアンモニウム塩であり、又、有機の陽イオンの塩としては例えば下記式（Ｂｋ−２）で示される化合物の塩があげられるがこれらに限定されるものではない。
【化４６】
0006520452.tif 000049
（式（Ｂｋ−２）中、Ｚ１、Ｚ2、Ｚ3、Ｚ4は、各々独立して、アルキル基、ヒドロキシアルキル基、又はヒドロキシアルコキシアルキル基を示す。）
【０２２９】
式（Ｂｋ−２）中、Ｚ１、Ｚ2、Ｚ3、Ｚ4のアルキル基の例としてはメチル、エチル、ｎ−プロピル、イソプロピル、ｎ−ブチル、イソブチル、ｓｅｃ−ブチル、ｔｅｒｔ−ブチルなどが挙げられる。ヒドロキシアルキル基の例としてはヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等のヒドロキシ−炭素数１〜４のアルキル基が挙げられる。ヒドロキシアルコキシアルキル基の例としては、ヒドロキシエトキシメチル基、２−ヒドロキシエトキシエチル基、３−ヒドロキシエトキシプロピル基、２−ヒドロキシエトキシプロピル基、４−ヒドロキシエトキシブチル基、３−ヒドロキシエトキシブチル基、２−ヒドロキシエトキシブチル基等のヒドロキシ炭素数１〜４のアルコキシ−炭素数１〜４のアルキル基が挙げられる。これらのうちヒドロキシエトキシ−炭素数１〜４のアルキル基が好ましい。特に好ましいものとしては水素原子；メチル基；ヒドロキシメチル基、ヒドロキシエチル基、３−ヒドロキシプロピル基、２−ヒドロキシプロピル基、４−ヒドロキシブチル基、３−ヒドロキシブチル基、２−ヒドロキシブチル基等のヒドロキシ−炭素数１〜４のアルキル基；ヒドロキシエトキシメチル基、２−ヒドロキシエトキシエチル基、３−ヒドロキシエトキシプロピル基、２−ヒドロキシエトキシプロピル基、４−ヒドロキシエトキシブチル基、３−ヒドロキシエトキシブチル基、２−ヒドロキシエトキシブチル基等のヒドロキシエトキシ−炭素数１〜４のアルキル基が挙げられる。
【０２３０】
式（Ｂｋ−２）中、Ｚ1、Ｚ2、Ｚ3、Ｚ4の具体例を以下に示す。
【化４７】
0006520452.tif 000050
【０２３１】
式（Ｂｋ−１）で示される化合物は、特許第４７６４８２９に記載の方法により製造することができる。
【０２３２】
式（Ｂｋ−１）で示される化合物の好適な例として、特に限定されるものではないが、具体的に下記の構造が挙げられる。
【化４８】
0006520452.tif 000051
【０２３３】
式（Ｂｋ−１）で表される色材の含有量は、ブラックインクの総量に対して、好ましくは２．５〜７．５質量％であり、より好ましくは３．０〜５．０質量％であり、さらに好ましくは３．５〜４．５質量％である。式（Ｂｋ−１））で表される色材の含有量が上記範囲内であることにより、目視にて優れた黒色を呈する傾向にある。
【０２３４】
〔式（Ｂｗ−１）で表されるアゾ化合物又はその塩〕
以下、式（Ｂｗ−１）で表される色材について詳細に説明する。式（Ｂｗ−１）で表される色材は、式（Ｂｋ−１）で表される色材の色補正用の染料である。そのため、インク中における式（Ｂｋ−１）で表される色材及び式（Ｂｗ−１）で表される色材の含有量や、これらの染料の含有比率を調整することによって、インクを用いて形成される画像の色相を容易に無彩色に近づけることができる。つまり、インクを用いて記録される画像の色相は、式（Ｂｋ−１）で表される色材及び式（Ｂｗ−１）で表される色材の相補的な作用よって、目視にて優れた黒色を呈するものにできる。
【０２３５】
本明細書において、優れた黒色とは、画像のａ*値が−３以上３以下の範囲内にあり、かつ、ｂ*値が−３以上３以下であることを意味する。前記ａ*値及びｂ*値は、Ｌ*ａ*ｂ*表色系としてＣＩＥ（国際照明委員会）で規定されているものである。
【０２３６】
また、式（Ｂｗ−１）で表される色材は、式（Ｂｋ−１）で表される色材とともにインクに含有されることで、発色性に優れた画像を得ることができる。特に、式（Ｂｋ−１）で表される色材及び式（Ｂｗ−１）で表される色材を含有するインクを用いて高ｄｕｔｙ値で画像の記録を行った場合であっても、ブロンズ現象が起こり難い。「ブロンズ現象」とは、高ｄｕｔｙ値で画像の記録を行った場合に起こりやすい現象であり、本来の色相とは異なる色相を示したり、又は、金属光沢を示すことで、発色性や色相が損なわれる現象である。
【０２３７】
なお、「ｄｕｔｙ値」とは、「ｄｕｔｙ（％）＝実吐出ドット数／（縦解像度×横解像度）×１００（式中、「実吐出ドット数」は単位面積当たりの実吐出ドット数であり、「縦解像度」及び「横解像度」はそれぞれ単位面積当たりの解像度である。）」により算出される値である。
【０２３８】
また、式（Ｂｗ−１）で表される色材は、式（Ｂｋ−１）で表される色材と同様に、インク中で分解しにくい性質を備える。そのため、インクは、保存安定性に優れている。また、式（Ｂｗ−１）で表される色材は、式（Ｂｋ−１）で表される色材と同様に、光の照射を受けたり、大気中のガス（特に、オゾン）に晒されたりしても、分解しにくい性質を備えている。そのため、インクを用いて形成された画像は、耐光性、耐ガス性（特に、耐オゾン性）に優れているので、光や大気の影響による変色や退色を起こしにくい。なお、式（Ｂｋ−１）で表される色材及び式（Ｂｗ−１）で表される色材は、インク中において相乗的に作用するので、インクの貯蔵安定性をより向上させたり、インクを用いて記録される画像の発色濃度、耐光性、耐オゾン性等をより向上させる。
【０２３９】
ブラックインクにおいて、式（Ｂｋ−１）で表される色材の含有量［ＭＡ（質量％）］と、式（Ｂｗ−１）で表される色材の含有量［ＭＢ（質量％）］と、の比率（ＭＢ／ＭＡ）は、０．２以上１以下であることが好ましく、０．４以上１以下であることがより好ましい。式（Ｂｋ−１）で表される色材と式（Ｂｗ−１）で表される色材との含有量の比率が上記範囲内にあると、良好な黒色を呈する（無彩色に近い）画像を得ることができたり、記録される画像の発色濃度を向上させたり、耐光性及び耐ガス性を向上させたりすることができる。
【０２４０】
【化４９】
0006520452.tif 000052
（上記式（Ｂｗ−１）中、Ｒ21、Ｒ22、Ｒ23、Ｒ24、Ｒ25、Ｒ26、Ｒ27及びＲ28は、各々独立して、水素原子；ハロゲン原子；スルホ基；カルボキシ基；スルファモイル基；カルバモイル基；炭素数１〜４のアルキル基；炭素数１〜４のアルコキシ基；置換基として、ヒドロキシ基、炭素数１〜４のアルコキシ基、ヒドロキシ炭素数１〜４のアルコキシ基、スルホ基、及びカルボキシ基よりなる群から選択される少なくとも１種類の基で置換された炭素数１〜４のアルコキシ基；炭素数１〜４のアルキルカルボニルアミノ基；カルボキシ基で置換された炭素数１〜４のアルキルカルボニルアミノ基；ウレイド基；モノ炭素数１〜４のアルキルウレイド基；ジ炭素数１〜４のアルキルウレイド基；置換基として、ヒドロキシ基、スルホ基、及びカルボキシ基よりなる群から選択される少なくとも１種類の基で置換されたモノ炭素数１〜４のアルキルウレイド基；置換基として、ヒドロキシ基、スルホ基、及びカルボキシ基よりなる群から選択される少なくとも１種類の基で置換されたジ炭素数１〜４のアルキルウレイド基；ベンゾイルアミノ基；ベンゼン環が、ハロゲン原子、炭素数１〜４のアルキル基、ニトロ基、スルホ基、及びカルボキシ基よりなる群から選択される少なくとも１種類の基で置換されたベンゾイルアミノ基；ベンゼンスルホニルアミノ基；又は、ベンゼン環が、ハロゲン原子、炭素数１〜４のアルキル基、ニトロ基、スルホ基、及びカルボキシ基よりなる群から選択される少なくとも１種類の基で置換されたフェニルスルホニルアミノ基；を表す。）
【０２４１】
式（Ｂｗ−１）中、Ｘは、２価の架橋基を表す。
【０２４２】
式（Ｂｗ−１）中、Ｒ21〜Ｒ28におけるハロゲン原子としては、フッ素原子、塩素原子、臭素原子、及びヨウ素原子が挙げられる。これらの中では、フッ素原子、塩素原子、及び臭素原子が好ましく、塩素原子が特に好ましい。
【０２４３】
式（Ｂｗ−１）中、Ｒ21〜Ｒ28における炭素数１〜４のアルキル基としては、直鎖、又は分岐鎖のものが挙げられ、直鎖のものが好ましい。炭素数１〜４のアルキル基としては、例えば、メチル、エチル、ｎ−プロピル、ｎ−プチルといった直鎖のもの；イソプロピル、イソプチル、ｓｅｃ−プチル、ｔ−プチルといった分岐鎖のもの；が挙げられる。好ましい具体例としては、メチル、エチルが挙げられ、メチルが特に好ましい。
【０２４４】
式（Ｂｗ−１）中、Ｒ21からＲ28における炭素数１〜４のアルコキシ基としては、直鎖又は分岐鎖のものが挙げられる。具体例としてはメトキシ、エトキシ、ｎ−プロポキシ、ｎ−ブトキシといった直鎖のもの；イソプロポキシ、イソブトキシ、ｓｅｃ−ブトキシ、ｔ−ブトキシといった分岐鎖のもの；等が挙げられる。好ましい具体例としてはメトキシ、エトキシが挙げられ、メトキシが特に好ましい。
【０２４５】
式（Ｂｗ−１）中、Ｒ21〜Ｒ28における、置換基として、ヒドロキシ基、炭素数１〜４のアルコキシ基、ヒドロキシ炭素数１〜４のアルコキシ基、スルホ基、及びカルボキシ基よりなる群から選択される少なくとも１種類の基で置換された炭素数１〜４のアルコキシ基としては、炭素数１〜４のアルコキシ基における任意の炭素原子に、これらの置換基を有するものが挙げられる。該置換基の数は、通常１又は２、好ましくは１である。置換基の位置は特に制限されないが、同一の炭素原子に２つ以上の酸素原子が置換しないものが好ましい。具体例としては、２−ヒドロキシエトキシ、２−ヒドロキシプロポキシ、３−ヒドロキシプロポキシ等のヒドロキシ炭素数１〜４のアルコキシ基；メトキシエトキシ、エトキシエトキシ、ｎ−プロポキシエトキシ、イソプロポキシエトキシ、ｎ−ブトキシエトキシ、メトキシプロポキシ、エトキシプロポキシ、ｎ−プロポキシプロポキシ、イソプロポキシブトキシ、ｎ−プロポキシブトキシ等の炭素数１〜４のアルコキシ炭素数１〜４のアルコキシ基；２−ヒドロキシエトキシエトキシ等のヒドロキシ炭素数１〜４のアルコキシ炭素数１〜４のアルコキシ基；カルボキシメトキシ、２−カルボキシエトキシ、３−カルボキシプロポキシ等のカルボキシ炭素数１〜４のアルコキシ基；２−スルホエトキシ、３−スルホプロポキシ、４−スルホブトキシ等のスルホ炭素数１〜４のアルコキシ基；等が挙げられる。
【０２４６】
式（Ｂｗ−１）中、Ｒ21〜Ｒ28における、炭素数１〜４のアルキルカルボニルアミノ基としては、直鎖又は分岐鎖のものが挙げられ、直鎖のものが好ましい。具体例としては、アセチルアミノ（メチルカルボニルアミノ）、エチルカルボニルアミノ、プロピルカルボニルアミノ、ブチルカルボニルアミノ等の直鎖のもの；イソプロピルカルボニルアミノ、ｔ−ブチルカルボニルアミノ等の分岐鎖のもの；等が挙げられる。
【０２４７】
式（Ｂｗ−１）中、Ｒ21〜Ｒ28における、カルボキシ基で置換された炭素数１〜４のアルキルカルボニルアミノ基の具体例としては例えば、２−カルボキシエチルカルボニルアミノ、３−カルボキシプロピルカルボニルアミノ等のカルボキシ炭素数１〜４のアルキルカルボニルアミノ基；等が挙げられる。カルボキシ基の置換数は、通常１又は２、好ましくは１である。
【０２４８】
式（Ｂｗ−１）中、Ｒ21〜Ｒ28における、モノ炭素数１〜４のアルキルウレイド基としては、アルキル部分が直鎖又は分岐鎖のものが挙げられる。該炭素数１〜４のアルキルの置換位置は特に制限されないが、「Ｎ’」に置換するのが好ましい。本明細書において、「モノ炭素数１〜４のアルキルウレイド基」とは、「炭素数１〜４のアルキルＮＨ−ＣＯ−ＮＨ−」基又は「Ｈ2Ｎ−ＣＯ−Ｎ（炭素数１〜４のアルキル）−」基を意味し、Ｒ21〜Ｒ28が結合するベンゼン環において、該ベンゼン環に直接結合する窒素原子を「Ｎ」、この窒素原子とカルボニル（ＣＯ）基を介して結合する窒素原子を「Ｎ’」として記載する。したがって、該炭素数１〜４のアルキルの置換位置としては前者が「Ｎ’」、後者が「Ｎ」である。その具体例としては、Ｎ’−エチルウレイド、Ｎ’−プロピルウレイド、Ｎ’−ブチルウレイド等の直鎖のもの；Ｎ’−イソプロピルウレイド、Ｎ’−イソブチルウレイド、Ｎ’−ｔ−ブチルウレイド等の分岐鎖のもの；等が挙げられる。
【０２４９】
式（Ｂｗ−１）中、Ｒ21〜Ｒ28における、ジ炭素数１〜４のアルキルウレイド基としては、直鎖又は分岐鎖のものが挙げられる。該炭素数１〜４のアルキルの置換位置は特に制限されず、前記「モノ炭素数１〜４のアルキルウレイド基」における置換位置に準じて「Ｎ」及び「Ｎ’」に１つずつ、又は「Ｎ’」に２つ置換してもよいが、後者が好ましい。また２つの該炭素数１〜４のアルキルは、同一であっても異なっていてもよいが、同一のものが好ましい。その具体例としては、Ｎ’，Ｎ’−ジメチルウレイド、Ｎ’，Ｎ’−ジエチルウレイド、Ｎ’，Ｎ’−ジプロピルウレイド、Ｎ’，Ｎ’−ジブチルウレイド等の直鎖のもの；Ｎ’，Ｎ’−ジイソプロピルウレイド、Ｎ’，Ｎ’−ジイソブチルウレイド等の分岐のもの；等が挙げられる。
【０２５０】
式（Ｂｗ−１）中、Ｒ21からＲ28における、置換基として、ヒドロキシ基、スルホ基、及びカルボキシ基よりなる群から選択される少なくとも１種類の基で置換されたモノ炭素数１〜４のアルキルウレイド基としては、前記モノ炭素数１〜４のアルキルウレイド基における任意の炭素原子に、これらの置換基を有するものが挙げられる。該置換基の数は、通常１又は２、好ましくは１である。置換基の位置は特に制限されないが、同一の炭素原子に窒素原子とヒドロキシ基とが置換しないものが好ましい。具体例としては、Ｎ’−２−ヒドロキシエチルウレイド、Ｎ’−３−ヒドロキシプロピルウレイド等のＮ’−モノ（ヒドロキシ炭素数１〜４のアルキル）ウレイド基；Ｎ’−２−スルホエチルウレイド、Ｎ’−３−スルホプロピルウレイド等のＮ’−モノ（スルホ炭素数１〜４のアルキル）ウレイド基；Ｎ’−カルボキシメチルウレイド、Ｎ’−２−カルボキシエチルウレイド、Ｎ’−３−カルボキシプロピルウレイド、Ｎ’−４−カルボキシブチルウレイド等のＮ’−モノ（カルボキシ炭素数１〜４のアルキル）ウレイド基；等が挙げられる。
【０２５１】
式（Ｂｗ−１）中、Ｒ21からＲ28における、置換基として、ヒドロキシ基、スルホ基、及びカルボキシ基よりなる群から選択される少なくとも１種類の基で置換されたジ炭素数１〜４のアルキルウレイド基としては、前記ジ炭素数１〜４のアルキルウレイド基における任意の炭素原子に、これらの置換基を有するものが挙げられる。該置換基の数は、通常１又は２、好ましくは２である。置換基の位置は特に制限されないが、同一の炭素原子に窒素原子とヒドロキシ基とが置換しないものが好ましい。また、置換基を複数有するとき、その種類としては同一でも異なっていてもよいが、同一のものが好ましい。具体例としては、Ｎ’，Ｎ’−ジ（２−ヒドロキシエチル）ウレイド、Ｎ’，Ｎ’−ジ（２−ヒドロキシプロピル）ウレイド、Ｎ’，Ｎ’−ジ（３−ヒドロキシプロピル）ウレイド等のＮ’，Ｎ’−ジ（ヒドロキシ炭素数１〜４のアルキル）ウレイド基；Ｎ’，Ｎ’−ジ（３−スルホプロピル）ウレイド等のＮ’，Ｎ’−ジ（スルホ炭素数１〜４のアルキル）ウレイド基；Ｎ’，Ｎ’−ジ（カルボキシメチル）ウレイド等のＮ’，Ｎ’−ジ（カルボキシ炭素数１〜４のアルキル）ウレイド基；等が挙げられる。
【０２５２】
式（Ｂｗ−１）中、Ｒ21からＲ28における、ベンゼン環が、置換基として、ハロゲン原子（フッ素原子、塩素原子、臭素原子、及びヨウ素原子が挙げられ、塩素原子が特に好ましい。）、炭素数１〜４のアルキル基、ニトロ基、スルホ基、及びカルボキシ基よりなる群から選択される少なくとも１種類の基で置換されたベンゾイルアミノ基としては、これらの置換基を１ないし３つ、好ましくは１又は２つ有するものが挙げられる。置換基を複数有するとき、その種類としては同一でも異なっていてもよく、同一であるものが好ましい。その具体例としては、２−クロロベンゾイルアミノ、４−クロロベンゾイルアミノ、２，４−ジクロロベンゾイルアミノ等のハロゲン原子置換ベンゾイルアミノ基；２−メチルベンゾイルアミノ、３−メチルベンゾイルアミノ、４−メチルベンゾイルアミノ等の炭素数１〜４のアルキル置換ベンゾイルアミノ基；２−ニトロベンゾイルアミノ、４−ニトロベンゾイルアミノ、３，５−ジニトロベンゾイルアミノ等のニトロ置換ベンゾイルアミノ基；２−スルホベンゾイルアミノ、４−スルホベンゾイルアミノ等のスルホ置換ベンゾイルアミノ基；２−カルボキシベンゾイルアミノ、４−カルボキシベンゾイルアミノ、３，５−ジカルボキシベンゾイルアミノ等のカルボキシ置換ベンゾイルアミノ基；等が挙げられる。
【０２５３】
式（Ｂｗ−１）中、Ｒ21からＲ28において、ハロゲン原子、炭素数１〜４のアルキル基、ニトロ基、スルホ基及びカルボキシ基よりなる群から選択される少なくとも１種類の基でベンゼン環が置換されたフェニルスルホニルアミノ基としては、これらの置換基を１ないし３つ、好ましくは１又は２つ、より好ましくは１つ有するものが挙げられる。置換基を複数有するとき、その種類としては同一でも異なっていてもよい。その具体例としては、２−クロロフェニルスルホニルアミノ、４−クロロフェニルスルホニルアミノ等のハロゲン原子置換フェニルスルホニルアミノ基；２−メチルフェニルスルホニルアミノ、４−メチルフェニルスルホニルアミノ、４−ｔ−ブチルフェニルスルホニルアミノ等の炭素数１〜４のアルキル置換フェニルスルホニルアミノ基；２−ニトロフェニルスルホニルアミノ、３−ニトロフェニルスルホニルアミノ、４−ニトロフェニルスルホニルアミノ等のニトロ置換フェニルスルホニルアミノ基；３−スルホフェニルスルホニルアミノ、４−スルホフェニルスルホニルアミノ等のスルホ置換フェニルスルホニルアミノ基；３−カルボキシフェニルスルホニルアミノ、４−カルボキシフェニルスルホニルアミノ等のカルボキシ置換フェニルスルホニルアミノ基；等が挙げられる。
【０２５４】
式（Ｂｗ−１）中、Ｒ21からＲ28としては、水素原子；ハロゲン原子；炭素数１〜４のアルキル基；炭素数１〜４のアルコキシ基；スルホ基又はカルボキシ基で置換されたＣｌ−Ｃ４アルコキシ基；炭素数１〜４のアルキルカルボニルアミノ基；が好ましい。これらの中でも、水素原子、メチル、エチル、ｔ−ブチル、２−カルボキシエトキシ、３−カルボキシプロポキシ、２−スルホエトキシ、３−スルホプロポキシ、４−スルホブトキシ；がより好ましい。さらに、これらのなかでも、水素原子、メチル、３−スルホプロポキシが特に好ましい。
【０２５５】
式（Ｂｗ−１）中、Ｒ21からＲ28としては、少なくとも１つがスルホ基で置換された炭素数１〜４のアルコキシ基であるのが好ましい。また、Ｒ21からＲ24が各々独立して、水素原子、炭素数１〜４のアルキル基、又はスルホ基で置換された炭素数１〜４のアルコキシ基であり、かつ、Ｒ21からＲ24の少なくとも１つがスルホ基で置換された炭素数１〜４のアルコキシ基であり、Ｒ25からＲ28が、各々独立して、水素原子又は炭素数１〜４のアルキル基であるのがより好ましい。また、Ｒ21及びＲ22の少なくとも一方がスルホプロポキシ基であり、Ｒ23及びＲ24の少なくとも一方がスルホプロポキシ基であり、Ｒ25からＲ28が炭素数１〜４のアルキル基であるのがさらに好ましい。
【０２５６】
式（Ｂｗ−１）中、Ｒ21からＲ28の置換位置は特に制限されないが、これらが置換するそれぞれのベンゼン環において、トリアジン環に結合する窒素原子の置換位置を１位、アゾ基の置換位置を４位として、Ｒ21からＲ24が２位、Ｒ25からＲ28が５位に置換するのが好ましい。
【０２５７】
式（Ｂｗ−１）中、Ｘを表す架橋基としては、式（Ｂｗ−１）で表される化合物が水に対して溶解性を示す範囲で、２価のものであれば特に制限されない。ここで、水に対する式（Ｂｗ−１）で表される化合物の溶解性としては、１リットルの水に対して式（Ｂｗ−１）で表される化合物が通常５ｇ以上、好ましくは１０ｇ以上、より好ましくは２５ｇ以上、さらに好ましくは５０ｇ以上、特に好ましくは１００ｇ以上、それぞれ溶解するのがよい。その具体例としては、窒素原子、酸素原子、硫黄原子等の２価の原子（好ましくは２価のヘテロ原子）；それぞれＣ１−Ｃ８の、アルキレンジアミノ基、アルキレンジオキシ基もしくはアルキレンジチオ基；Ｎ，Ｎ’−ヒドラジンジイル基；アミノアルコキシアルキルアミノ基といった、酸素原子に２つのアルキルアミノ基が置換したもの；及び、アミノアルコキシアルコキシアルキルアミノ基等のエーテル結合を１つ以上含むアルキレンオキシド鎖の末端に、アミノ基及びアルキルアミノ基が１つずつ置換したもの；等が挙げられる。Ｘを表す２価の架橋基は、炭素原子の置換基として、ヒドロキシ基、カルボキシ基及びアルコキシ基よりなる群から選択される基を；また、窒素原子の置換基として、アルキル部分がヒドロキシ基若しくはカルボキシ基で置換されていてもよいアルキル基を；それぞれ有してもよい。
【０２５８】
式（Ｂｗ−１）中、Ｘを表す２価の架橋基としては、Ｃ１−Ｃ８アルキレンジアミノ基；ヒドロキシ基もしくはカルボキシ基で置換されたＣ１−Ｃ８アルキレンジアミノ基；Ｎ−炭素数１〜４のアルキル−Ｃ１−Ｃ６アルキレンジアミノ基；アルキル部分がヒドロキシ基もしくはカルボキシ基で置換されたＮ−炭素数１〜４のアルキル−Ｃ１−Ｃ６アルキレンジアミノ基；アミノＣ１−Ｃ６アルコキシＣ１−Ｃ６アルキルアミノ基；アミノ炭素数１〜４のアルコキシ炭素数１〜４のアルコキシ炭素数１〜４のアルキルアミノ基；キシリレンジアミノ基；ピペラジン−１，４−ジイル基；炭素数１〜４のアルキル基もしくは炭素数１〜４のアルコキシ基で置換されたピペラジン−１，４−ジイル基；又はフェニレンジアミノ基；よりなる群から選択されるいずれかの基が好ましい。なお、これらの２価の架橋基は、いずれもアミノ基を２つ有する「ジアミノ」基である。したがって、該「ジアミノ」は、ピペラジン−１，４−ジイル等の一部の基を除き、いずれか１つの窒素原子で架橋する（すなわち、Ｎ，Ｎ−ジイルとなる）場合、又は異なる２つの窒素原子で架橋する（すなわち、Ｎ，Ｎ’−ジイルとなる）場合、の両者を含む。これらのうち、「Ｎ，Ｎ’−ジイル」となる後者の場合が特に好ましい。
【０２５９】
式（Ｂｗ−１）中、Ｘにおける、Ｃ１−Ｃ８アルキレンジアミノ基としては、直鎖、又は分岐鎖のものが挙げられ、直鎖のものが好ましい。炭素数の範囲としては通常Ｃ１−Ｃ８、好ましくはＣ２−Ｃ８、より好ましくはＣ２−Ｃ６、さらに好ましくはＣ２−Ｃ４が挙げられる。その具体例としては例えば、エチレンジアミノ、１，３−プロピレンジアミノ、１，４−ブチレンジアミノ、１，５−ペンチレンジアミノ、１，６−へキシレンジアミノ、１，７−ヘプチレンジアミノ、１，８−オクチレンジアミノといった直鎖のもの；２−メチル−１，３−プロピレンジアミノ、３−メチル−１，４−ブチレンジアミノ、４−メチル−１，６−ヘキシレンジアミノ等の分岐鎖のもの；等が挙げられる。
【０２６０】
式（Ｂｗ−１）中、Ｘにおける、ヒドロキシ基又はカルボキシ基で置換されたＣ１−Ｃ８アルキレンジアミノ基としては、前記Ｃ１−Ｃ８アルキレンジアミノ基における任意の炭素原子に、これらの置換基を有するものが挙げられる。該置換基の数は特に制限されないが、好ましくは１又は２である。また、置換基を複数有するとき、その種類としては同一でも異なっていても良く、同一のものが好ましい。その具体例としては例えば、２−ヒドロキシ−１，３−プロピレンジアミノ、２−ヒドロキシ−１，４−ブチレンジアミノ、３−ヒドロキシ−１，６−へキシレンジアミノ等のヒドロキシ置換Ｃ１−Ｃ８アルキレンジアミノ基；１−カルボキシエチレンジアミノ、１−カルボキシ−１，３−プロピレンジアミノ、１−カルボキシ−１，４−ブチレンジアミノ、１−カルボキシ−１，５−ペンチレンジアミノ、１，５−ジカルボキシ−１，５−ペンチレンジアミノ等のカルボキシ置換Ｃ１−Ｃ８アルキレンジアミノ基；等が挙げられる。
【０２６１】
式（Ｂｗ−１）中、Ｘにおける、Ｎ−炭素数１〜４のアルキル−Ｃ１−Ｃ６アルキレンジアミノ基としては、Ｃ１−Ｃ６アルキレンジアミノ基の一方の窒素原子が、炭素数１〜４のアルキル基で置換されたものを意味する。本明細書においては、ジアミノ基のうち炭素数１〜４のアルキル基で置換された窒素原子を「Ｎ」と表記し、必要に応じて他方の窒素原子を「Ｎ’」と表記する。アルキレン部分の炭素原子数の範囲としては通常Ｃ１−Ｃ６、好ましくはＣ２−Ｃ４、特に好ましくはＣ２又はＣ３である。該炭素数１〜４のアルキル基としては、直鎖又は分岐鎖のものが挙げられ、直鎖のものが好ましい。その具体例としては、Ｎ−メチルエチレンジアミノ基、Ｎ−エチルエチレンジアミノ基、Ｎ−プロピルエチレンジアミノ基、Ｎ−プチルエチレンジアミノ基といったＮ−直鎖炭素数１〜４のアルキル−Ｃ１−Ｃ６アルキレンジアミノ基；Ｎ−イソプロピルエチレンジアミノ基、Ｎ−イソブチルエチレンジアミノ基、Ｎ−ｓｅｃ−ブチルエチレンジアミノ基、Ｎ−ｔｅｒｔ−ブチルエチレンジアミノ基といったＮ−分岐鎖炭素数１〜４のアルキル−Ｃ１−Ｃ６アルキレンジアミノ基；等が挙げられる。
【０２６２】
式（Ｂｗ−１）中、Ｘにおける、アルキル部分がヒドロキシ基又はカルボキシ基で置換されたＮ−炭素数１〜４のアルキル−Ｃ１−Ｃ６アルキレンジアミノ基とは、前記Ｎ−炭素数１〜４のアルキル−Ｃ１−Ｃ６アルキレンジアミノ基における、Ｎ−炭素数１〜４の
アルキル基のアルキル部分の任意の炭素原子に、これらの置換基を有するものが挙げられる。置換基の位置は特に制限されないが、窒素原子とヒドロキシ基とが同一の炭素原子に置換しないものが好ましい。アルキレン部分の炭素原子数の範囲としては、好ましいものも含めて前記Ｎ−炭素数１〜４のアルキル−Ｃ１−Ｃ６アルキレンジアミノ基におけるのと同じ範囲が挙げられる。また、アルキル部分の炭素数の範囲としては、通常炭素数１〜４の、好ましくはＣ２−Ｃ４、より好ましくはＣ２−Ｃ３である。該置換基の数は、通常１又は２、好ましくは１である。また、置換基を複数有するとき、その種類としては同一でも異なっていてもよいが、同一のものが好ましい。その具体例としては、Ｎ−（２−ヒドロキシエチル）エチレンジアミノ基、Ｎ−（３−ヒドロキシプロピル）エチレンジアミノ基、Ｎ−（２−ヒドロキシプロピル）エチレンジアミノ基、Ｎ−（４−ヒドロキシブチル）エチレンジアミノ基等のＮ−ヒドロキシ置換炭素数１〜４のアルキル−Ｃ１−Ｃ６アルキレンジアミノ基；Ｎ−（カルボキシメチル）エチレンジアミノ基、Ｎ−（２−カルボキシエチル）エチレンジアミノ基、Ｎ−（３−カルボキシプロピル）エチレンジアミノ基、Ｎ−（４−カルボキシブチル）エチレンジアミノ基等のＮ−カルボキシ置換炭素数１〜４のアルキル−Ｃ１−Ｃ６アルキレンジアミノ基；等が挙げられる。
【０２６３】
式（Ｂｗ−１）中、Ｘにおける、アミノＣ１−Ｃ６アルコキシＣ１−Ｃ６アルキルアミノ基としては、直鎖、又は分岐鎖のものが挙げられ、直鎖のものが好ましい。なお、アミノＣ１−Ｃ６アルコキシＣ１−Ｃ６アルキルアミノ基のうち、好ましい炭素数の範囲を有するものとしてアミノＣ２−Ｃ４アルコキシＣ２−Ｃ４アルキルアミノ基が挙げられ、特に好ましい炭素数の範囲を有するものとしてアミノＣ２−Ｃ３アルコキシＣ２−Ｃ３アルキルアミノ基が挙げられる。その具体例としては、アミノエトキシエチルアミノ、アミノエトキシプロピルアミノ、アミノプロポキシプロピルアミノ、アミノエトキシペンチルアミノ等が挙げられる。
【０２６４】
式（Ｂｗ−１）中、Ｘにおける、アミノ炭素数１〜４のアルコキシ炭素数１〜４のアルコキシ炭素数１〜４のアルキルアミノ基としては、直鎖、又は分岐鎖のものが挙げられ、直鎖のものが好ましい。なお、アミノ炭素数１〜４のアルコキシ炭素数１〜４のアルコキシ炭素数１〜４のアルキルアミノ基のうち、好ましい炭素数の範囲を有するものとしてアミノＣ２−Ｃ４アルコキシＣ２−Ｃ４アルコキシＣ２−Ｃ４アルキルアミノ基が挙げられ、特に好ましい炭素数の範囲を有するものとしてアミノＣ２−Ｃ３アルコキシＣ２−Ｃ３アルコキシＣ２−Ｃ３アルキルアミノ基が挙げられる。その具体例としては、アミノエトキシエトキシエチルアミノ、アミノエトキシプロポキシエチルアミノ、アミノエトキシブトキシエチルアミノ等の直鎖のもの；アミノエトキシ（２−メチルエトキシ）エチルアミノ、アミノエトキシ（２−メチルプロポキシ）エチルアミノ等の分岐鎖のもの；等が挙げられる。
【０２６５】
式（Ｂｗ−１）中、Ｘにおけるキシリレンジアミノ基としては、例えば、ｏ−キシリレンジアミノ基、ｍ−キシリレンジアミノ基、ｐ−キシリレンジアミノ基が挙げられ、ｍ−キシリレンジアミノ基又はｐ−キシリレンジアミノ基が好ましい。
【０２６６】
式（Ｂｗ−１）中、Ｘにおける、炭素数１〜４のアルキル基又は炭素数１〜４のアルコキシ基で置換されたピペラジン−１，４−ジイル基としては、ピペラジン環の環構成原子の任意の炭素原子に、これらの置換基を有するものが挙げられる。該置換基の数は、通常１又は２、好ましくは１である。また、置換基を複数有するとき、その種類としては同一でも異なっていてもよく、同一のものが好ましい。その具体例としては、２−メチルピペラジン−１，４−ジイル基、２−エチルピペラジン−１，４−ジイル基、２，５−ジメチルピペラジン−１，４−ジイル基、２，６−ジメチルピペラジン−１，４−ジイル基、２，５−ジエチルピペラジン−１，４−ジイル基、２−メチル−５−エチルピペラジン−１，４−ジイル基；等が挙げられる。
【０２６７】
式（Ｂｗ−１）中、Ｘにおけるフェニレンジアミノ基としては、ｏ−、ｍ−、及びｐ−フェニレンジアミノ基が挙げられ、ｍ一又はｐ−フェニレンジアミノ基が好ましい。
【０２６８】
以上のなかでも、Ｘは、Ｃ１−Ｃ８アルキレンジアミノ基；カルボキシ基で置換されたＣ１−Ｃ８アルキレンジアミノ基；アルキル部分がヒドロキシで置換されたＮ−炭素数１〜４のアルキル−Ｃ１−Ｃ６アルキレンジアミノ基；アミノ炭素数１〜４のアルコキシ炭素数１〜４のアルコキシ炭素数１〜４のアルキルアミノ基；キシリレンジアミノ基；又はピペラジン−１，４−ジイル基；であることが好ましい。これらの中でも、Ｘは、Ｃ１−Ｃ８アルキレンジアミノ基；キシリレンジアミノ基；又はピペラジン−１，４−ジイル基；であることがより好ましい。これらのうち、好ましい具体例としては、１，２−エチレンジアミノ：１，３−プロピレンジアミノ；１，４−ブチレンジアミノ；１−カルボキシペンチレン−１，５−ジアミノ；Ｎ−２−ヒドロキシエチル−エチレンジアミノ；アミノエトキシエトキシエチルアミノ；ｍ−キシリレンジアミノ；又は、ピペラジン−１，４−ジイル；が挙げられる。
【０２６９】
式（Ｂｗ−１）中、置換位置が特定されていない４つのスルホ基の置換位置は、特に制限されない。１つのアゾ結合を有するベンゼン環に置換したスルホ基は、該アゾ結合の置換位置を１位として、２、３もしくは４位に置換してもよく、４位に置換することが好ましい。
【０２７０】
式（Ｂｗ−１）で表される色材は、下記式（Ｂｗ−１−１）で表される化合物であることが好ましく、下記式（Ｂｗ−１−２）で表される化合物であることがより好ましい。
【０２７１】
【化５０】
0006520452.tif 000053
（上記式（Ｂｗ−１−１）中、Ｒ21〜Ｒ28及びＸは、式（Ｂｗ−１）におけるものと同じ意味を表す。）
【化５１】
0006520452.tif 000054
（上記式（Ｂｗ−１−２）中、Ｒ21〜Ｒ28及びＸは、式（Ｂｗ−１）におけるものと同じ意味を表す。）
【０２７２】
式（Ｂｗ−１）〜（Ｂｗ−１−２）におけるＲ21からＲ28、式（Ｂｗ−１）におけるＲ21〜Ｒ28の置換位置、ならびに式（Ｂｗ−１）及び式（Ｂｗ−１−１）における置換位置が特定されていないスルホの置換位置等について、好ましいもの同士を組み合わせた化合物はより好ましく、より好ましいもの同士を組み合わせたものはさらに好ましい。さらに好ましいもの同士、好ましいものとより好ましいものとの組み合わせ等についても同様である。
【０２７３】
式（Ｂｗ−１）で表される化合物の塩は、無機又は有機の陽イオンの塩であることができる。無機塩としては、アルカリ金属塩、アルカリ土類金属塩、及びアンモニウム塩が挙げられる。これらの中でも好ましい無機塩は、リチウム、ナトリウム、カリウム等のアルカリ金属塩及びアンモニウム塩である。また、有機の陽イオンの塩としては、例えば、上記式（７）で示される４級アンモニウムイオンが挙げられるが、これに限定されるものではない。
【０２７４】
また、式（Ｂｗ−１）で表される色材の遊離酸及びそれらの各種の塩は、混合物であってもよい。例えば、式（Ｂｗ−１）で表される色材のナトリウム塩と式（Ｂｗ−１）で表される色材のアンモニウム塩との混合物、式（Ｂｗ−１）で表される色材の遊離酸と式（Ｂｗ−１）で表される色材のナトリウム塩との混合物、式（Ｂｗ−１）で表される色材のリチウム塩、式（Ｂｗ−１）で表される色材のナトリウム塩及び式（Ｂｗ−１）で表される色材のアンモニウム塩の混合物等、いずれの組み合わせを用いてもよい。塩の種類によっては溶解性等の物性が異なる場合も有り、必要に応じて適宜塩の種類を選択したり、複数の塩などを含む場合にその比率を変化させたりすることにより、目的に合った物性を有する混合物を得ることができる。
【０２７５】
式（Ｂｗ−１）で表される色材の好適な具体例として、特に限定されるものではないが、以下に示す構造式で表される化合物などが挙げられる。各表においてスルホ基及びカルボキシ基等の官能基は、便宜上、遊離酸の形で記載するものとする。
【０２７６】
【化５２】
0006520452.tif 000055
【０２７７】
【化５３】
0006520452.tif 000056
【０２７８】
【化５４】
0006520452.tif 000057
【０２７９】
【化５５】
0006520452.tif 000058
【０２８０】
【化５６】
0006520452.tif 000059
【０２８１】
【化５７】
0006520452.tif 000060
【０２８２】
【化５８】
0006520452.tif 000061
【０２８３】
【化５９】
0006520452.tif 000062
【０２８４】
式（Ｂｗ−１）で表される色材の合成方法は、特に限定されないが、例えば、特開２０１２−１７２０３１号公報に記載された方法を用いることが得きる。
【０２８５】
式（Ｂｗ−１）で表される色材の含有量は、ブラックインクの総量に対して、好ましくは０．０５０〜５．０質量％であり、より好ましくは０．１０〜３．０質量％であり、さらに好ましくは０．５０〜１．０質量％である。式（Ｂｗ−１）で表される色材の含有量が上記範囲内であることにより、目視にて優れた黒色を呈する傾向にある。
【０２８６】
〔式（ｂ−１）で表される色材（染料（ｂ−１））〕
以下、式（ｂ−１）で表される色材について詳細に説明する。染料（ｂ−１）は、下記一般式（ｂ−１）で表される。染料（ｂ−１）は、光の照射を受けたり、大気中のガス（特に、オゾン）に晒されたりしても、分解しにくい性質を備えている。そのため、染料ブラックインクを用いて形成された画像は、耐光性、耐ガス性に優れ、光や大気の影響による変色や退色を起こしにくい。
【０２８７】
また、染料（ｂ−１）は、耐湿性に優れるという性質を備える。そのため、水分等の影響による画像の滲み等が生じにくい。
【０２８８】
染料（ｂ−１）の含有量は、染料ブラックインクの全質量に対して、１質量％以上１０質量％以下であることが好ましく、１質量％以上５質量％以下であることがより好ましい。染料（ｂ−１）の含有量が上記範囲内にあると、記録される画像の発色濃度を向上させたり、耐光性および耐ガス性を向上させたりすることができる。
【０２８９】
【化６０】
0006520452.tif 000063
【０２９０】
上記式（ｂ−１）中、ｎは、０または１であり、ＲB11は、カルボキシ基；Ｃ１−Ｃ８アルコキシカルボニル基；Ｃ１−Ｃ４アルキル基；Ｃ１−Ｃ８アルコキシカルボニル基もしくはカルボキシ基で置換されたＣ１−Ｃ４アルキル基；フェニル基；またはヒドロキシ基、スルホ基もしくはカルボキシ基で置換されたフェニル基を表す。
【０２９１】
また、ＲB12、ＲB13およびＲB14は、それぞれ独立に、水素原子；塩素原子；ヒドロキシ基；スルホ基；カルボキシ基；スルファモイル基；カルバモイル基；Ｃ１−Ｃ４アルキル基；Ｃ１−Ｃ４アルコキシ基；ヒドロキシ基、Ｃ１−Ｃ４アルコキシ基、ヒドロキシＣ１−Ｃ４アルコキシ基、スルホ基もしくはカルボキシ基で置換されたＣ１−Ｃ４アルコキシ基；ヒドロキシ基、スルホ基もしくはカルボキシ基で置換されたモノもしくはジＣ１−Ｃ４アルキルアミノ基；Ｃ１−Ｃ４アルキルカルボニルアミノ基；ヒドロキシ基もしくはカルボキシ基で置換されたＣ１−Ｃ４アルキルカルボニルアミノ基；ヒドロキシ基、スルホ基もしくはカルボキシ基で置換されたＮ’−Ｃ１−Ｃ４アルキルウレイド基；ベンゼン環が塩素原子、Ｃ１−Ｃ４アルキル基、ニトロ基、スルホ基もしくはカルボキシ基で置換されたフェニルアミノ基；ベンゼン環が塩素原子、Ｃ１−Ｃ４アルキル基、ニトロ基、スルホ基もしくはカルボキシ基で置換されたベンゾイルアミノ基；またはベンゼン環が塩素原子、Ｃ１−Ｃ４アルキル基、ニトロ基、スルホ基もしくはカルボキシ基で置換されたフェニルスルホニルアミノ基；をそれぞれ表す。
【０２９２】
また、基ＡB1は、下記一般式（ｂ−１−１）で表される置換複素環基である。
【０２９３】
【化６１】
0006520452.tif 000064
【０２９４】
上記一般式（ｂ−１−１）中、ＲB16、ＲB17およびＲB18は、それぞれ独立に、水素原子；塩素原子；カルボキシ基；スルホ基；ニトロ基；ヒドロキシ基；カルバモイル基；スルファモイル基；Ｃ１−Ｃ４アルキル基；Ｃ１−Ｃ４アルコキシ基；ヒドロキシ基、Ｃ１−Ｃ４アルコキシ基、スルホ基もしくはカルボキシ基で置換されたＣ１−Ｃ４アルコキシ基；Ｃ１−Ｃ４アルキルスルホニル基；ヒドロキシ基、スルホ基もしくはカルボキシ基で置換されたＣ１−Ｃ４アルキルスルホニル基；またはベンゼン環が塩素原子、Ｃ１−Ｃ４アルキル基、ニトロ基、スルホ基もしくはカルボキシ基で置換されたフェニルスルホニル基；をそれぞれ表す。
【０２９５】
また、基ＢB1は、フェニル基または置換されたフェニル基もしくはナフチル基または置換されたナフチル基である。なお、基ＢB1が置換フェニル基の場合は、ヒドロキシ基；スルホ基；カルボキシ基；Ｃ１−Ｃ４アルキル基；Ｃ１−Ｃ４アルコキシ基；Ｃ１−Ｃ４アルキルスルホニル基；ニトロ基；アミノ基；モノもしくはジＣ１−Ｃ４アルキルアミノ基；アセチルアミノ基；およびベンゼン環が塩素原子、Ｃ１−Ｃ４アルキル基、ニトロ基、スルホ基もしくはカルボキシ基で置換されたベンゾイルアミノ基；よりなる群から選択される置換基を有する。一方、基ＢB1が置換ナフチル基の場合は、ヒドロキシ基；スルホ基；Ｃ１−Ｃ４アルコキシ基；およびベンゼン環がメチル基、ニトロ基または塩素原子で置換されたフェニルスルホニルオキシ基；よりなる群から選択される置換基を有する。
【０２９６】
染料（ｂ−１）は、互変異性体を有する化合物である。互変異性体としては、下記一般式（ｂ−１−２）〜（ｂ−１−４）等の化合物が挙げられ、これらの互変異性体も本実施形態に係る染料（ｂ−１）として用いることができる。
【０２９７】
【化６２】
0006520452.tif 000065
【０２９８】
上記一般式（ｂ−１−２）〜（ｂ−１−４）におけるｎ、ＲB11、ＲB12、ＲB13、ＲB14、基ＡB1および基ＢB1は、式（ｂ−１）におけるものと同じ意味を表す。
【０２９９】
式（ｂ−１）におけるＲB11は、上記の中でも、カルボキシ基；Ｃ１−Ｃ４アルコキシカルボニル基；無置換Ｃ１−Ｃ４アルキル基；カルボキシ基置換Ｃ１−Ｃ４アルキル基；または無置換フェニル基が好ましい。式（ｂ−１）における好ましいＲB11の具体例としては、メチル、エチル、ｔｅｒｔ−ブチル、カルボキシメチル、３−カルボキシプロピル、カルボキシ、フェニルであり、より好ましくはメチル、カルボキシメチル、カルボキシ、フェニルであり、さらに好ましくはメチル、カルボキシである。
【０３００】
一般式（ｂ−１）におけるＲB12〜ＲB14は、上記の中でも、水素原子；スルホ基；カルボキシ基；Ｃ１−Ｃ４アルキル基；Ｃ１−Ｃ４アルコキシ基；またはスルホ基置換Ｎ’−Ｃ１−Ｃ４アルコキシ基が好ましい。一般式（ｂ−１）における好ましいＲB12〜ＲB14の具体例は、水素原子、スルホ、メチル、メトキシ、２−スルホエトキシ、３−スルホプロポキシ、４−スルホブトキシであり、さらに好ましくは、水素原子、スルホ、メチル、メトキシ、３−スルホプロポキシである。
【０３０１】
一般式（ｂ−１）における好ましいＲB12〜ＲB14の組み合わせは、ＲB12が３−スルホプロポキシまたは４−スルホブトキシ、ＲB13が水素原子、ＲB14がメチルである。
【０３０２】
一般式（ｂ−１−１）におけるＲB16〜ＲB18は、上記の中でも、水素原子；塩素原子；カルボキシ基；スルホ基；ニトロ基；Ｃ１−Ｃ４アルキル基；Ｃ１−Ｃ４アルコキシ基；Ｃ１−Ｃ４アルキルスルホニル基が好ましい。一般式（ｂ−１−１）における好ましいＲB16〜ＲB18の具体例は、水素原子、塩素原子、カルボキシ、スルホ、ニトロ、メチル、メトキシ、メチルスルホニルであり、さらに好ましくは、水素原子、スルホ、メトキシである。また、ＲB16〜ＲB18のうち、少なくとも１つが水素原子であることが好ましく、少なくとも１つが水素原子以外の置換基であることが好ましい。
【０３０３】
一般式（ｂ−１−１）における好ましいＲB16、ＲB17、ＲB18の組み合わせは、水素原子、メトキシおよびスルホ、または一つがスルホで他方二つが水素原子である。一つがスルホで他方二つが水素原子である場合は、スルホの置換位置がベンゾチアゾール環の６位の場合がより好ましい。
【０３０４】
一般式（ｂ−１）において、基ＢB1はフェニル基または置換されたフェニル基であり、基ＢB1が置換フェニル基の場合は、ヒドロキシ基；スルホ基；カルボキシ基；Ｃ１−Ｃ４アルキル基；Ｃ１−Ｃ４アルコキシ基；アミノ基；モノまたはジＣ１−Ｃ４アルキルアミノ基；アセチルアミノ基；ベンゼン環が塩素原子、Ｃ１−Ｃ４アルキル基、ニトロ基、スルホ基またはカルボキシ基で置換されたベンゾイルアミノ基；よりなる群から選択される置換基を有する。
【０３０５】
一般式（ｂ−１）における基ＢB1が置換基を有するフェニル基であり、該置換基がＣ１−Ｃ４アルコキシ基である場合、該アルコキシ基は、好ましいものも含めて、一般式（ｂ−１）のＲB12〜ＲB14が無置換のＣ１−Ｃ４アルコキシ基である場合と同じでよい。
【０３０６】
一般式（ｂ−１）における基ＢB1がモノまたはジＣ１−Ｃ４アルキルアミノ基置換フェニル基である場合、該モノまたはジＣ１−Ｃ４アルキルアミノ基は、好ましいものも含めて一般式（ｂ−１）のＲB12〜ＲB14が無置換のモノまたはジＣ１−Ｃ４アルキルアミノ基である場合と同じでよい。
【０３０７】
一般式（ｂ−１）においてｎは１の場合が好ましい。
【０３０８】
一般式（ｂ−１）における基ＢB1は、上記の中でも、置換されたフェニル基が好ましく、当該置換基は、ヒドロキシ基；スルホ基；カルボキシ基；Ｃ１−Ｃ４アルキル基；Ｃ１−Ｃ４アルコキシ基が好ましい。一般式（ｂ−１）における基ＢB1が置換フェニル基である場合の好ましい置換基の具体例は、ヒドロキシ、スルホ、カルボキシ、メチル、メトキシ、であり、さらに好ましくは、スルホ、カルボキシである。
【０３０９】
一般式（ｂ−１）における好ましい基ＢB1の具体例は、４−スルホフェニル、２，４−ジスルホフェニル、４−カルボキシフェニル、３，５−ジカルボキシフェニル、４−メチルフェニル、５−スルホ−３−カルボキシ−２−ヒドロキシフェニル、４−メトキシフェニルであり、より好ましくは、４−スルホフェニル、４−カルボキシフェニル、３，５−ジカルボキシフェニルである。
【０３１０】
一般式（ｂ−１）および（ｂ−１−１）〜（ｂ−１−４）の置換基について記載した好ましいもの同士を組み合わせた化合物は、より好ましく、より好ましいもの同士を組み合わせた化合物は、さらに好ましい。なお、さらに好ましいもの同士を組み合わせた場合等についても同様である。なお、上記の通り、一般式（ｂ−１−２）〜（ｂ−１−４）中のｎ、ＲB11〜ＲB14、基ＡB1および基ＢB1は、一般式（ｂ−１）におけるものと同じ意味を示す。
【０３１１】
一般式（ｂ−１）で表される化合物の塩は、無機または有機の陽イオンの塩である。無機塩の具体例としては、アルカリ金属塩、アルカリ土類金属塩およびアンモニウム塩等が挙げられる。これらの中でも好ましい無機塩としては、リチウム、ナトリウム、カリウムの塩およびアンモニウム塩である。
【０３１２】
また、本実施形態に係る染料（ｂ−１）の遊離酸、その互変異性体、およびそれらの各種の塩は、混合物であってもよい。例えば、染料（ｂ−１）のナトリウム塩と染料（ｂ−１）のアンモニウム塩との混合物、染料（ｂ−１）の遊離酸と染料（ｂ−１）のナトリウム塩との混合物、第１染料のリチウム塩、染料（ｂ−１）のナトリウム塩および染料（ｂ−１）のアンモニウム塩の混合物など、いずれの組み合わせを用いてもよい。塩の種類によっては溶解性などの物性値が異なる場合があるので、必要に応じて適宜塩の種類を選択したり、複数の塩などを含む場合にその比率を変化させたりすることにより、目的に合った物性を有する混合物を得ることができる。
【０３１３】
染料（ｂ−１）の好適な具体例として、特に限定されるものではないが、下記表に示す構造式で表される化合物などが挙げられる。各表においてスルホ基及びカルボキシ基などの官能基は、便宜上、遊離酸の形で記載するものとする。
【０３１４】
【化６３】
0006520452.tif 000066
【０３１５】
【化６４】
0006520452.tif 000067
【０３１６】
【化６５】
0006520452.tif 000068
【０３１７】
【化６６】
0006520452.tif 000069
【０３１８】
〔式（ｂ−３）で表される色材（染料（ｂ−３））〕
以下、式（ｂ−３）で表される色材について詳細に説明する。染料ブラックインクが染料（ｂ−３）を含有する場合において、染料（ｂ−１）の含有量［ＭＡ（質量％）］と、染料（ｂ−３）の含有量［ＭＣ（質量％）］と、の比率（ＭＣ／ＭＡ）は、０．５以上１．５以下であることが好ましく、０．７以上１．３以下であることがより好ましい。染料（ｂ−１）と染料（ｂ−３）との含有量の比率が上記範囲内にあると、良好な黒色を呈する（無彩色に近い）画像をより一層容易に得ることができたり、記録される画像の色再現性を向上させたり、耐光性を向上させたりすることができる。
【０３１９】
【化６７】
0006520452.tif 000070
【０３２０】
上記一般式（ｂ−３）中、ＲB31は、ハロゲン原子；水素原子；ＳＯ3Ｍ；またはＣＯＯＭ；を表す。また、ＲB32およびＲB33は、それぞれ独立に、水素原子；ＳＯ3Ｍ；またはＣＯＯＭ；を表す。また、ＭB3は、それぞれ独立に、ＬｉおよびＮａの少なくとも一方を表す。ただし、一般式（ｂ−３）中、ＲB32およびＲB33がいずれも水素原子である場合はない。
【０３２１】
一般式（ｂ−３）で表される化合物としては、例えば、下記一般式（ｂ−３１）で表される化合物、下記一般式（ｂ−３２）で表される化合物、および下記一般式（ｂ−３３）で表される化合物が挙げられる。なお、これらの一般式（ｂ−３１）〜（ｂ−３３）で表される化合物は、１種類のみ単独で用いてもよいし、２種類以上を混合して用いてもよいが、一般式（ｂ−３１）で表される化合物を単独で用いることが好ましい。
【０３２２】
【化６８】
0006520452.tif 000071
【０３２３】
一般式（ｂ−３１）中、ＭB3は、それぞれ独立に、ＬｉおよびＮａの少なくとも一方を表す。
【０３２４】
【化６９】
0006520452.tif 000072
【０３２５】
一般式（ｂ−３２）中、ＭB3は、それぞれ独立に、ＬｉおよびＮａの少なくとも一方を表す。
【０３２６】
【化７０】
0006520452.tif 000073
【０３２７】
一般式（ｂ−３３）中、ＭB3は、それぞれ独立に、ＬｉおよびＮａの少なくとも一方を表す。
【０３２８】
〔顔料ブラックインク〕
顔料ブラックインクに使用される顔料としては、特に限定されないが、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）が挙げられる。
【０３２９】
顔料ブラックインクは、自己分散型顔料を含むことが好ましい。「自己分散型顔料」とは、分散剤なしに水性媒体中に分散又は溶解することが可能な顔料である。ここで「分散剤なしに水性媒体中に分散又は溶解する」とは、顔料を分散させるための分散剤を用いなくても、その表面の親水基により、水性媒体中に安定に存在している状態を言う。そのため、分散剤に起因する消泡性の低下による発泡がほとんど無く、吐出安定性に優れるインクが調製しやすい傾向にある。また、分散剤に起因する大幅な粘度上昇が抑えられるため、顔料をより多く含有することが可能となり印字濃度を十分に高めることが可能になる等、取り扱いが容易となる傾向にある。
【０３３０】
上記の親水基としては、特に限定されないが、例えば、−ＯＭ、−ＣＯＯＭ、−ＣＯ−、−ＳＯ3Ｍ、−ＳＯ2Ｍ、−ＳＯ2ＮＨ2、−ＲＳＯ2Ｍ、−ＰＯ3ＨＭ、−ＰＯ3Ｍ2、−ＳＯ2ＮＨＣＯＲ、−ＮＨ3、及び−ＮＲ3からなる群から選択される一以上の親水基が挙げられる。
【０３３１】
なお、これらの化学式中、Ｍは、水素原子、アルカリ金属、アンモニウム、置換基を有していてもよいフェニル基、又は有機アンモニウムを表し、Ｒは、炭素原子数１〜１２のアルキル基または置換基を有していてもよいナフチル基を表す。また、上記のＭ及びＲは、それぞれ互いに独立して選択される。
【０３３２】
自己分散型顔料は、例えば、顔料に物理的処理または化学的処理を施すことで、親水基を顔料の表面に結合（グラフト）させることにより製造される。当該物理的処理としては、例えば真空プラズマ処理等が例示できる。また、当該化学的処理としては、例えば水中で酸化剤により酸化する湿式酸化法や、ｐ−アミノ安息香酸を顔料表面に結合させることによりフェニル基を介してカルボキシル基を結合させる方法等が例示できる。
【０３３３】
〔色材以外の成分〕
以下、イエローインク、マゼンタインク、シアンインク、及びブラックインク（全てを指して、単に「インク」ともいう。）に含まれうる色材以外の成分について説明する。
【０３３４】
〔主鎖の炭素数が１２以上であるアセチレングリコールのアルキレンオキサイド付加物、及び、主鎖の炭素数が１０以上であるアセチレングリコール〕
イエローインク、マゼンタインク、シアンインク、又は必要に応じて用いられるブラックインクは、主鎖の炭素数が１２以上であるアセチレングリコールのアルキレンオキサイド付加物と、主鎖の炭素数が１０以上であるアセチレングリコールと、を含むことが好ましい。アセチレングリコールのアルキレンオキサイド付加物と、主鎖の炭素数が１０以上であるアセチレングリコールと、を含むことにより、色再現性、ブリードが抑制され画質がより向上する傾向にある。
【０３３５】
〔主鎖の炭素数が１２以上であるアセチレングリコールのアルキレンオキサイド付加物〕
主鎖の炭素数が１２以上であるアセチレングリコールのアルキレンオキサイド付加物（以下、「アセチレングリコールＡ」ともいう。）は、後述する主鎖の炭素数が１０以上であるアセチレングリコールとともに、アセチレングリコール系界面活性剤（ノニオン系界面活性剤）に含まれるものである。ノニオン系界面活性剤は、被記録媒体上でインクを均一に拡げる作用がある。そのため、ノニオン系界面活性剤を含むインクを用いてインクジェット記録を行った場合、滲みの少ない比較的高精細な画像が得られる。なお、本明細書における「主鎖」とは、ＩＵＰＡＣ命名法に基づく主鎖を意味する。
【０３３６】
特に、アセチレングリコールＡは、主鎖の炭素数が１２以上であることにより、インク流路を構成するゴムやプラスチック等の高分子部材及びインクにおける気泡発生の一因となり得る異物に対する濡れ性に優れる。そのため、アセチレングリコールＡを用いることにより、インクタンクからヘッドまでの高分子部材の流路面に、発生した気泡が残留することを抑制することができる。また、これにより、初期充填性が優れるとともに、残留した気泡の成長、及び流路面に付着していた気泡の離脱に起因するドット抜けを共に防止できることから、連続印刷安定性が良好となる。さらに、アセチレングリコールＡは、アルキレンオキサイド付加物であることによりインク中における溶解性が優れたものとなる。
【０３３７】
アセチレングリコールＡのＨＬＢ（Hydrophile - Lipophile Balance）値は、上記の濡れ性が一層優れたものとなるため、好ましくは８〜１５である。なお、ここでＨＬＢ値は、グリフィン法で定義されるＨＬＢ値とする。
【０３３８】
アセチレングリコールＡとしては、以下に限定されないが、例えば、下記式（１）で表される化合物が挙げられる。
【化７１】
0006520452.tif 000074
（上記式（１）中、Ｒ1、Ｒ1'、Ｒ2、及びＲ2'は互いに独立して炭素数１〜５のアルキル基を表し、主鎖の炭素数は１２以上であり、−ＯＲ3は−ＯＨ又は−Ｏ（Ｃ2Ｈ4Ｏ）mＨを表し、−ＯＲ3'は−ＯＨ又は−Ｏ（Ｃ2Ｈ4Ｏ）nＨを表す。その際、ｍ及びｎは互いに独立して０．５〜２５の小数を含む値であり、ｍ＋ｎは１〜４０の小数を含む値である（ただし、−ＯＲ3及び−ＯＲ3'が共に−ＯＨである場合を除く。）。）
【０３３９】
アセチレングリコールＡの具体例としては、特に限定されないが、例えば、２，５，８，１１−テトラメチル−６−ドデシン−５，８−ジオールのエトキシル化物及び５，８−ジメチル−６−ドデシン−５，８−ジオールのエトキシル化物が挙げられる。上記アセチレングリコールのアルキレンオキサイド付加物の中でもアセチレングリコールのエチレンオキサイド付加物及びアセチレングリコールのプロピレンオキサイド付加物が好ましく、アセチレングリコールのエチレンオキサイド付加物がより好ましい。
【０３４０】
アセチレングリコール中のアルキレンオキサイド単位の付加モル数は、Ｒ3及びＲ3'それぞれにおいて、好ましくは１〜２０モルである。また、当該付加モル数の総数（Ｒ3及びＲ3'の合計）は、好ましくは２〜４０モルである。アルキレンオキサイドの付加モル数の総数が４０モル以下であると、静的及び動的表面張力を小さくすることができ、インクの吸収性能が良好となる。
【０３４１】
アセチレングリコールＡの市販品としては、以下に限定されないが、例えば、オルフィンＥＸＰ４３００（日信化学工業社（Nissin Chemical Industry CO.,Ltd.）製商品名、
炭素数１２、エチレンオキサイド付加物）が挙げられる。
【０３４２】
アセチレングリコールＡは、１種単独で用いてもよく、２種以上を組み合わせて用いてもよい。
【０３４３】
イエローインク、マゼンタインク、シアンインク、又は必要に応じて用いられるブラックインクに含まれるアセチレングリコールＡの含有量は、インクの総量に対して、好ましくは０．０５０〜１．０質量％であり、より好ましくは０．０７５質量％〜０．５０質量％であり、さらに好ましくは０．１０〜０．３０質量％である。アセチレングリコールＡの含有量が０．０５０質量％以上であることにより、疎水面への濡れ性が上がり充填性がより向上する傾向にある。また、アセチレングリコールＡの含有量が０．３０質量％以下であることにより、溶解安定性がより向上する傾向にある。
【０３４４】
イエローインクに含まれるアセチレングリコールＡの含有量は、マゼンタインク又はシアンインクに含まれるアセチレングリコールＡの含有量よりも多いことが好ましい。これにより、カラー間の滲みバランスがより向上する傾向にある。
【０３４５】
〔主鎖の炭素数が１０以上であるアセチレングリコール〕
主鎖の炭素数が１０以上のアセチレングリコール（以下、「アセチレングリコールＢ」ともいう。）は、インク中に発生した気泡を効果的に消泡させることができる。これにより、初期充填性及び連続印刷安定性が優れたものとなる。
【０３４６】
アセチレングリコールＢのＨＬＢ値は、消泡性に優れるため、７以下が好ましく、３〜５がより好ましい。
【０３４７】
アセチレングリコールＢとしては、特に限定されないが、例えば、下記式（２）で表されるアセチレングリコールが挙げられる。
【化７２】
0006520452.tif 000075
（上記式（２）中、Ｒ1、Ｒ1'、Ｒ2、及びＲ2'は互いに独立して炭素数１〜５のアルキル基を表し、主鎖の炭素数は１０以上である。なお、当該式（２）中のＲ1、Ｒ1'、Ｒ2、及びＲ2'は、上述した式（１）中のＲ1、Ｒ1'、Ｒ2、及びＲ2'と関係のないものである。）
【０３４８】
アセチレングリコールＢの具体例としては、以下に限定されないが、２，５，８，１１−テトラメチル−６−ドデシン−５，８−ジオール、５，８−ジメチル−６−ドデシン−５，８−ジオール、２，４，７，９−テトラメチル−５−デシン−４，７−ジオール及び４，７−ジメチル−５−デシン−４，７−ジオールが好ましく挙げられる。
【０３４９】
アセチレングリコールＢの市販品としては、以下に限定されないが、例えば、サーフィノール１０４ＰＧ５０（２，４，７，９−テトラメチル−５−デシン−４，７−ジオール）、サーフィノールＤＦ１１０Ｄ（２，５，８，１１−テトラメチル−６−ドデシン−５，８−ジオール）（以上、エアプロダクツ社製商品名）が挙げられる。
【０３５０】
アセチレングリコールＢは、１種単独で用いてもよく、２種以上を組み合わせて用いてもよい。
【０３５１】
イエローインク、マゼンタインク、シアンインク、又は必要に応じて用いられるブラックインクに含まれるアセチレングリコールＢの含有量は、インクの総量に対して、好ましくは０．０５０〜１．０質量％であり、より好ましくは０．０７５〜０. ５０質量％であり、さらに好ましくは０．１０〜０．３０質量％である。アセチレングリコールＢの含有量が０．０５０質量％以上であることにより、抑泡性が上がり、充填性がより向上する傾向にある。また、アセチレングリコールＢの含有量が０．３０質量％以下であることにより、溶解安定性がより向上する傾向にある。
【０３５２】
イエローインク、マゼンタインク、シアンインク、又は必要に応じて用いられるブラックインクに含まれるアセチレングリコールＡ及びアセチレングリコールＢの総含有量は、インクの総量に対して、好ましくは０．１０〜０．６０質量％であり、より好ましくは０．１０〜０．５０質量％であり、さらに好ましくは０．２０〜０．４５質量％である。アセチレングリコールＡ及びアセチレングリコールＢの総含有量が前記範囲内にあることにより、インクに対する溶解性が良好となり、これらのアセチレングリコールを配合した際に凝集物が発生するのを効果的に防止できる。
【０３５３】
〔ポリオキシアルキレンアルキルエーテル〕
イエローインク、マゼンタインク、シアンインク、又は必要に応じて用いられるブラックインクは、ポリオキシアルキレンアルキルエーテルを含んでもよい。ポリオキシアルキレンアルキルエーテルを含むことにより、アセチレングリコールＡとアセチレングリコールＢの溶解性、分散性がより向上する傾向にある。また、ポリオキシアルキレンアルキルエーテルは、アセチレングリコールＡとアセチレングリコールＢの有する低い動的表面張力に影響を及ぼしにくい。
【０３５４】
ところで、インク連続供給システム（ＣＩＳＳ）は、疎水性の材料からなるインク流路やインクタンクが使用されることが多いため、インク連続供給システムに用いるインクセットにおいては、各インクが比較的疎水性の界面活性剤を使用することが効果的である。この観点から、アセチレングリコールＡ及びアセチレングリコールＢを併用することが有効であるが、アセチレングリコールＡ及びアセチレングリコールＢの効果を得つつ、さらに、溶解安定性、初期充填性、連続印刷安定性を向上させる観点から、特に、本実施形態のインクセットを、インク連続供給システム（ＣＩＳＳ）を備える記録装置に対して用いる場合には、インクがポリオキシアルキレンアルキルエーテルを含むことが好ましい。
【０３５５】
ここで、「インク供給システム」とは、空気導入口を有するインク収容容器（インクタンク）と、インク収容容器内の上記液体を吐出するノズルを有するプリントヘッドと、上記インク収容容器及び上記プリントヘッドを接続し、上記インク収容容器から上記プリントヘッドへ上記液体を供給するインク供給路と、を備えるものをいう。
【０３５６】
また、「インク流路」とは、インクジェット記録装置において、インクを流通させるための流路をいう。インク流路としては、例えば、インクを貯留するインク収容容器からインクジェット式記録ヘッドにインクを供給するためのインク供給路や、インクジェット式記録ヘッド内においてインクをノズル開口部まで流通させるための流路が挙げられる。
【０３５７】
ポリオキシアルキレンアルキルエーテルのＨＬＢ値は、好ましくは１１〜１６であり、より好ましくは１２〜１５である。ポリオキシアルキレンアルキルエーテルのＨＬＢ値が上記範囲内であることにより、初期充填性及び連続印刷安定性がより向上する傾向にある。
【０３５８】
ポリオキシアルキレンアルキルエーテルとしては、以下に限定されないが、例えば、下記式（３）で表される化合物が挙げられる。このようなポリオキシアルキレンアルキルエーテルを用いることにより、保存安定性及び連続印刷安定性がより向上する傾向にある。
Ｒ6Ｏ（Ｃ2Ｈ4Ｏ）w（Ｃ3Ｈ6Ｏ）x（Ｃ2Ｈ4Ｏ）y（Ｃ3Ｈ6Ｏ）zＨ・・・（３）
（上記式（３）中、Ｒ6は、炭素数１〜２０のアルキル基を表し、好ましくは炭素数５〜１５のアルキル基を表し、より好ましくは炭素数１０〜１５のアルキル基を表す。また、ｗは１〜２０の値であり、ｘ、ｙ、及びｚは互いに独立して０又は１〜２０の値である。さらに、ｗ、ｘ、ｙ、及びｚは、５≦ｗ＋ｘ＋ｙ＋ｚ≦３０を満たし、好ましくは５≦ｗ＋ｘ＋ｙ＋ｚ≦２５を満たす。）
【０３５９】
ポリオキシアルキレンアルキルエーテルとしては、特に限定されないが、具体的には、
Ｃ12Ｈ25Ｏ（Ｃ2Ｈ4Ｏ）6（Ｃ3Ｈ6Ｏ）2（Ｃ2Ｈ4Ｏ）6（Ｃ3Ｈ6Ｏ）8Ｈ、  Ｃ13Ｈ27Ｏ（Ｃ2Ｈ4Ｏ）6（Ｃ3Ｈ6Ｏ）2（Ｃ2Ｈ4Ｏ）6（Ｃ3Ｈ6Ｏ）8Ｈ、
Ｃ12Ｈ25Ｏ（Ｃ2Ｈ4Ｏ）w（Ｃ3Ｈ6Ｏ）x（Ｃ2Ｈ4Ｏ）y（Ｃ3Ｈ6Ｏ）zＨ
（ここで、ｗ＋ｙ＝１５、ｘ＋ｚ＝４）、
Ｃ13Ｈ27Ｏ（Ｃ2Ｈ4Ｏ）w（Ｃ3Ｈ6Ｏ）x（Ｃ2Ｈ4Ｏ）y（Ｃ3Ｈ6Ｏ）zＨ
（ここで、ｗ＋ｙ＝１５、ｘ＋ｚ＝４）、
Ｃ12Ｈ25Ｏ（Ｃ2Ｈ4Ｏ）8（Ｃ3Ｈ6Ｏ）2（Ｃ2Ｈ4Ｏ）6Ｈ、
Ｃ13Ｈ27Ｏ（Ｃ2Ｈ4Ｏ）8（Ｃ3Ｈ6Ｏ）2（Ｃ2Ｈ4Ｏ）6Ｈ、
Ｃ12Ｈ25Ｏ（Ｃ2Ｈ4Ｏ）12（Ｃ3Ｈ6Ｏ）2（Ｃ2Ｈ4Ｏ）12Ｈ、
Ｃ13Ｈ27Ｏ（Ｃ2Ｈ4Ｏ）12（Ｃ3Ｈ6Ｏ）2（Ｃ2Ｈ4Ｏ）12Ｈ、
ＣＨ3（ＣＨ2）9（ＣＨ3）ＣＨＯ（Ｃ2Ｈ4Ｏ）7（Ｃ3Ｈ6Ｏ）4.5Ｈ、
ＣＨ3（ＣＨ2）11（ＣＨ3）ＣＨＯ（Ｃ2Ｈ4Ｏ）7（Ｃ3Ｈ6Ｏ）4.5Ｈ、
ＣＨ3（ＣＨ2）9（ＣＨ3）ＣＨＯ（Ｃ2Ｈ4Ｏ）5（Ｃ3Ｈ6Ｏ）3.5Ｈ、
ＣＨ3（ＣＨ2）11（ＣＨ3）ＣＨＯ（Ｃ2Ｈ4Ｏ）5（Ｃ3Ｈ6Ｏ）3.5Ｈ、
Ｃ14Ｈ29Ｏ（Ｃ2Ｈ4Ｏ）14（Ｃ3Ｈ6Ｏ）2Ｈ、
Ｃ11Ｈ23Ｏ（Ｃ2Ｈ4Ｏ）8Ｈ、
Ｃ10Ｈ21Ｏ（Ｃ2Ｈ4Ｏ）11Ｈ、及び
Ｃ12Ｈ25Ｏ（Ｃ2Ｈ4Ｏ）15Ｈが挙げられる。
【０３６０】
ポリオキシアルキレンアルキルエーテルの市販品としては、特に限定されないが、具体的には、
ノイゲンＤＬ−０４１５（Ｒ6Ｏ（Ｃ2Ｈ4Ｏ）W（Ｃ3Ｈ6Ｏ）x（Ｃ2Ｈ4Ｏ）y（Ｃ3Ｈ6Ｏ）zＨ、「Ｒ6」：炭素数１２，１３のアルキル、ｗ＋ｙ＝１５、ｘ＋ｚ＝４、ＨＬＢ値１５．０）、
ノイゲンＥＴ−１１６Ｂ（Ｒ6Ｏ（Ｃ2Ｈ4Ｏ）7（Ｃ3Ｈ6Ｏ）4.5Ｈ、「Ｒ6」：炭素数１２，１４のアルキル、ＨＬＢ値１２．０）、
ノイゲンＥＴ−１０６Ａ（Ｒ6Ｏ（Ｃ2Ｈ4Ｏ）5（Ｃ3Ｈ6Ｏ）3.5Ｈ、「Ｒ6」：炭素数１２，１４のアルキル、ＨＬＢ値１０．９）、
ノイゲンＤＨ−０３００（Ｒ6Ｏ（Ｃ2Ｈ4Ｏ）2Ｈ、「Ｒ6」：炭素数１４のアルキル、ＨＬＢ値４．０）、
ノイゲンＹＸ−４００（Ｒ6Ｏ（Ｃ2Ｈ4Ｏ）40Ｈ、「Ｒ6」：炭素数１２のアルキル、ＨＬＢ値１８．１）、
ノイゲンＥＡ−１６０（Ｃ9Ｈ19Ｃ6Ｈ4Ｏ（Ｃ2Ｈ4Ｏ）16.8Ｈ、ＨＬＢ値１５．４）（以上、第一工業製薬社製）、及び
エマルゲン１１０８（花王社製商品名、Ｒ6Ｏ（Ｃ2Ｈ4Ｏ）8Ｈ、「Ｒ6」：炭素数１１のアルキル、ＨＬＢ値１３．４）が挙げられる。
【０３６１】
ポリオキシアルキレンアルキルエーテルは、１種単独で用いてもよく、２種以上を組み合わせて用いてもよい。
【０３６２】
イエローインク、マゼンタインク、シアンインク、又は必要に応じて用いられるブラックインクに含まれるポリオキシアルキレンアルキルエーテルの含有量は、インクの総量に対し、好ましくは０．０１０〜０．５０質量％であり、より好ましくは０．０５０〜０．３０質量％であり、さらに好ましくは０．１０〜０．３０質量％である。ポリオキシアルキレンアルキルエーテルの含有量が上記範囲であることにより、保存安定性及び連続印刷安定性がより向上する傾向にある。
【０３６３】
また、ポリオキシアルキレンアルキルエーテルの含有量は、アセチレングリコールＡの含有量１質量部に対して、好ましくは０．１０〜１．０であり、より好ましくは０．３０〜０．７０である。ポリオキシアルキレンアルキルエーテルの含有量が上記範囲内であることにより、アセチレングリコールＡが十分に可溶化し、水溶性が良好となる傾向にある。そのため、配合した際に凝集物が発生したりインクの吸収性にバラツキが発生したりすることを抑制できる傾向にある。
【０３６４】
さらに、ポリオキシアルキレンアルキルエーテルの含有量は、アセチレングリコールＡ及びアセチレングリコールＢの総含有量１質量部に対して、好ましくは０．１０〜０．５であり、より好ましくは０．１０〜０．４０である。ポリオキシアルキレンアルキルエーテルの含有量が上記範囲内にあることにより、アセチレングリコールＡ及びアセチレングリコールＢが十分に可溶化して水溶性が良好となる。そのため、ポリオキシアルキレンアルキルエーテル及びアセチレングリコールＡ及びアセチレングリコールＢを配合する際に凝集物が発生したり、インクの吸収性にバラツキが発生したりすることを抑制できる傾向にある。
【０３６５】
〔上記以外の界面活性剤〕
本実施形態で用いるインクは、界面活性剤を含むことが好ましい。当該界面活性剤としては、特に限定されないが、例えば、フッ素系界面活性剤及びシリコーン系界面活性剤のうち少なくともいずれかが好ましい。インクがこれらの界面活性剤を含むことにより、布帛に付着したインクの乾燥性が一層良好となり、かつ、高速印刷が可能となる。
【０３６６】
これらの中でも、インクへの溶解度が大きくなりインク中に異物が一層発生し難くなるため、シリコーン系界面活性剤がより好ましい。
【０３６７】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド化合物が挙げられる。フッ素系界面活性剤の市販品としては、特に限定されないが、例えば、Ｓ−１４４、Ｓ−１４５（旭硝子株式会社製）；ＦＣ−１７０Ｃ、ＦＣ−４３０、フロラード−ＦＣ４４３０（住友スリーエム株式会社製）；ＦＳＯ、ＦＳＯ−１００、ＦＳＮ、ＦＳＮ−１００、ＦＳ−３００（Ｄｕｐｏｎｔ社製）；ＦＴ−２５０、２５１（株式会社ネオス製）などが挙げられる。フッ素系界面活性剤は、１種単独で使用してもよいし、２種以上を併用してもよい。
【０３６８】
シリコーン系界面活性剤としては、ポリシロキサン系化合物、ポリエーテル変性オルガノシロキサン等が挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー・ジャパン株式会社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学株式会社製）等が挙げられる。
【０３６９】
界面活性剤の含有量は、インクの総質量に対し、好ましくは０．１〜５質量％であり、より好ましくは０．１〜３質量％である。界面活性剤の含有量が上記範囲内であることにより、被記録媒体に付着したインクの濡れ性がより向上する傾向にある。
【０３７０】
〔溶剤〕
インクは、溶剤をさらに含んでもよい。溶剤としては、特に限定されないが、例えば、有機溶剤又は水を用いることができる。
【０３７１】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インクを長期保存する場合にカビやバクテリアの発生を防止することができる。これにより貯蔵安定性がより向上する傾向にある。
【０３７２】
有機溶剤の中でも、揮発性の水溶性有機溶剤がより好ましい。有機溶剤としては、特に限定されないが、具体的には、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類又はグリコール類、Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホラン、及び１，１，３，３−テトラメチル尿素が挙げられる。
【０３７３】
溶剤は、１種単独で用いてもよく、２種以上を組み合わせて用いてもよい。有機溶剤の含有量は特に制限されず、必要に応じて適宜決定することができる。例えば、被記録媒体へのインクの浸透性を優れたものとする場合には、１，２−ヘキサンジオール、トリエチレングリコールモノブチルエーテル、及びジプロピレングリコールモノプロピルエーテルからなる群より選択される一種以上を用いることが好ましい。
【０３７４】
〔ｐＨ調整剤〕
本実施形態で用いるインクは、ｐＨ調整剤を含んでもよい。ｐＨ調整剤は、インクのｐＨ値の調整を容易にすることができる。ｐＨ調整剤としては、特に限定されないが、例えば、無機酸（例えば、硫酸、塩酸、硝酸等）、無機塩基（例えば、水酸化リチウム、水酸化ナトリウム、水酸化カリウム、アンモニア等）、有機塩基（トリエタノールアミン、ジエタノールアミン、モノエタノールアミン、トリプロパノールアミン）、有機酸（例えば、アジピン酸、クエン酸、コハク酸等）等が挙げられる。ｐＨ調整剤は、１種単独で用いてもよいし、２種以上混合して用いてもよい。
【０３７５】
〔その他の成分〕
本実施形態で用いるインクは、その保存安定性及びヘッドからの吐出安定性を良好に維持するため、目詰まり改善のため、又はインクの劣化を防止するため、溶解助剤、粘度調整剤、ｐＨ調整剤、酸化防止剤、防腐剤、防黴剤、腐食防止剤、及び分散に影響を与える金属イオンを捕獲するためのキレート化剤などの、種々の添加剤を適宜添加することもできる。
【実施例】
【０３７６】
以下、本発明を実施例及び比較例を用いてより具体的に説明する。本発明は、以下の実施例によって何ら限定されるものではない。
【０３７７】
［インク用の材料］
下記の実施例及び比較例において使用したインク用の主な材料は、以下の通りである。（表８から表１２を参照）
〔色材〕
Ｙ−１      ：表８参照
Ｙ−２      ：表８参照
Ｙ−３      ：Ｄｉｒｅｃｔ  Ｙｅｌｌｏｗ１３２
Ｙ−４      ：Ａｃｉｄ  Ｙｅｌｌｏｗ２３
Ｍ−１      ：表９参照
Ｍ−２      ：表９参照
Ｍ−３      ：Ｒｅａｃｔｉｖｅ  Ｒｅｄ  １４１
Ｍ−４      ：Ａｃｉｄ  Ｒｅｄ  ２４９
Ｃ−１      ：表１０参照
Ｃ−２      ：表１０参照
Ｃ−３      ：Ｄｉｒｅｃｔ  Ｂｌｕｅ１９９
Ｃ−４      ：Ａｃｉｄ  Ｂｌｕｅ  ９
Ｂｋ−１    ：表１１参照
Ｂｗ−１    ：表１１参照
Ｂｋ−２    ：Ｄｉｒｅｃｔ  Ｂｌａｃｋ  １９５
Ｂｋ−３    ：表１２参照
Ｂｋ−４    ：表１２参照
Ｐｉｇ−Ｂｋ：ＣＷＥー５０、材料；カーボンブラック（自己分散型）
〔界面活性剤〕
ＳＡＡ１：オルフィンＥＸＰ４３００：主鎖の炭素数１２、エチレンオキサイドの付加あり、２，５，８，１１−テトラメチル−６−ドデシン−５，８−ジオールエトキシレート（日信化学工業社）
ＳＡＡ２：サーフィノールＤＦ１１０Ｄ：主鎖の炭素数１２、エチレンオキサイドの付加なし、２，５，８，１１−テトラメチル−６−ドデシン−５，８−ジオール（エアプロダクツ社製商品名）
ＳＡＡ３：サーフィノール１０４ＰＧ５０：主鎖の炭素数１０、エチレンオキサイドの付加なし、２，４，７，９−テトラメチル−５−デシン−４，７−ジオール（エアプロダクツ社製商品名）
ＳＡＡ４：オルフィンＥ１０１０：主鎖の炭素数１０、エチレンオキサイドの付加モル数１０、２，４，７，９−テトラメチル−５−デシン−４，７−ジオールのエトキシレート（日信化学工業社）
ＳＡＡ５：オルフィンＥ１００４：主鎖の炭素数１０、エチレンオキサイド付加モル数４、２，４，７，９−テトラメチル−５−デシン−４，７−ジオールのエトキシレート    （日信化学工業社）
ＳＡＡ６：オルフィン８２Ｗ：主鎖の炭素数８、エチレンオキサイドの付加なし、３，６−ジメチル−４−オクチン−３，６−ジオール（日信化学工業社）
〔ポリオキシアルキレンアルキルエーテル〕
ＰＯＡＡＥ１：ノイゲンＤＬ−０４１５（第一工業製薬社製）
ＰＯＡＡＥ２：ノイゲンＥＴ−１１６Ｂ（第一工業製薬社製）
ＰＯＡＡＥ３：ノイゲンＥＴ−１０６Ａ（第一工業製薬社製）
〔溶剤〕
トリエチレングリコール
トリエチレングリコールモノブチルエーテル
プロピレングリコール
ジプロピレングリコール
グリセリン
〔ｐＨ調整剤〕
トリエタノールアミン
【０３７８】
［インクの調製］
各材料を下記の表１〜５に示す組成で混合し、十分に撹拌し、各インクを得た。具体的には、各材料を均一に混合し、フィルタで不溶解物を除去することにより、各インクを調製した。なお、下記の表１〜５中、数値の単位は質量％であり、合計は１００．０質量％である。
【０３７９】
〔インクセットの製造〕
上記のようにして得られた各インクを表４〜５に示す組み合わせで組み合わせてインクセットとした。
【０３８０】
【表１】
0006520452.tif 000076
【０３８１】
【表２】
0006520452.tif 000077
【０３８２】
【表３】
0006520452.tif 000078
【０３８３】
【表４】
0006520452.tif 000079
【０３８４】
【表５】
0006520452.tif 000080
【０３８５】
〔耐オゾン性〕
インクジェットプリンタＥＰ−８０３（セイコーエプソン株式会社製）を使用し、さらに上記インクセットを用いて、写真用紙＜光沢＞（セイコーエプソン株式会社製）にイエロー、マゼンタ、シアン、及びブラック（但し、インクセットがブラックインク組成物を含む場合のみブラックを含む。）からなり、それぞれの色のＯＤ値が０．９〜１．１になるように調整されたベタ画像を印刷することによって記録物を作成した。
【０３８６】
得られた記録物のＯＤ値（Ｄ０）を反射濃度計（商品名：Ｓｐｅｃｔｒｏｌｉｎｏ、Ｇｒｅｔａｇ社製）を用いて測定した。その後、記録物をオゾンウェザーメーター（商品名：ＯＭＳ―Ｌ、スガ試験機株式会社製）を使用し、温度が２３℃、湿度が５０％ＲＨ、オゾン濃度５ｐｐｍの条件下で４０時間、６０時間、８０時間曝露した。曝露後、記録物のＯＤ値（Ｄ）を、反射濃度計（商品名：Ｓｐｅｃｔｒｏｌｉｎｏ、Ｇｒｅｔａｇ社製）を用いて測定し、次式により光学濃度残存率（ＲＯＤ）を求め、下記判定基準により、耐オゾン性を評価した。
ＲＯＤ（％）＝（Ｄ／Ｄ０）×１００
測定条件：光源フィルタなし、光源：Ｄ５０、視野角２度
（評価基準）
Ａ  ：  ８０時間曝露しても、ＲＯＤが７０％以上である。
Ｂ  ：  ６０時間曝露しても、ＲＯＤが７０％以上であるが、８０時間曝露するとＲＯＤが７０％未満となる。
Ｃ  ：  ４０時間曝露しても、ＲＯＤが７０％以上であるが、６０時間曝露するとＲＯＤが７０％未満となる。
Ｄ  ：  ４０時間曝露するとＲＯＤが７０％未満となる。
【０３８７】
〔色バランス〕
上記「耐オゾン性の評価」によって得られた曝露後の記録物について、各色のＲＯＤの最大値と最小値との差（ＲＯＤ差）を求め、下記判定基準により、色バランスを評価した。
（評価基準）
Ａ  ：  ８０時間曝露しても、ＲＯＤ差が１５ポイント未満である。
Ｂ  ：  ６０時間曝露しても、ＲＯＤ差が１５ポイント未満であるが、８０時間曝露するとＲＯＤ差が１５ポイントを超える。
Ｃ  ：  ４０時間曝露しても、ＲＯＤ差が１５ポイント未満であるが、６０時間曝露するとＲＯＤ差が１５ポイントを超える。
Ｄ  ：  ４０時間曝露するとＲＯＤ差が１５ポイントを超える。
【０３８８】
〔耐湿性〕
インクジェットプリンタＥＰ−８０３（セイコーエプソン株式会社製）を使用し、さらに上記インクセットを用いて、写真用紙＜光沢＞（セイコーエプソン株式会社製）にイエロー、マゼンタ、シアン、及びブラック（但し、インクセットがブラックインク組成物を含む場合のみブラックを含む。）の色の文字、及び白抜き文字（各色のベタ画像に、白抜きで文字を形成したもの）を印刷し、２４℃、５０％ＲＨ環境下で２４時間乾燥することによって記録物を作成した。
【０３８９】
得られた記録物を、４０℃、８５％ＲＨの環境下に７日間静置した。記録物の文字及び白抜き文字の滲みの程度を目視により観察し、下記判定基準により、耐湿性を評価した。（評価基準）
Ａ  ：  色材の滲み出しが全く観察されない。
Ｂ  ：  色材の滲み出しが殆ど観察されない。
Ｃ  ：  色材の滲み出しが観察され、文字の輪郭が崩れている。
Ｄ  ：  色材の滲み出しが観察され、文字太りがあり、白抜き文字の全体が色材色に染まっている。
【０３９０】
〔色再現性〕
インクジェットプリンタＥＰ−８０３（セイコーエプソン株式会社製）を使用し、さらに上記インクセットを用いて、写真用紙設定、きれい、Ｂｉ−Ｄ、色補正なしのモードで、写真用紙＜光沢＞（セイコーエプソン株式会社製）にルックアップテーブルを印刷することによって記録物を作成した。
【０３９１】
記録物を測定して得られたＬ＊値、ａ＊値、ｂ＊値から、ＣＩＥで規定するＬ＊値、ａ＊値、ｂ＊値が全て１であるときのガマット体積を１として、色再現範囲体積（ガマット体積）を算出した。また、同様に、特開２００５−１０５１３５号公報の実施例２で公開されているインクセット（基準インクセット）を用いて記録物を作成し、ガマット体積を算出した。基準インクセットのガマット体積を１００％とした場合の、上記インクセットのガマット体積率を算出し、下記判定基準により、色再現性を評価した。
（評価基準）
Ａ  ：  ガマット体積率が、１１０％を超える。
Ｂ  ：  ガマット体積率が、１０５％を超えて１１０％以下。
Ｃ  ：  ガマット体積率が、１００％を超えて１０５％以下。
Ｄ  ：  ガマット体積率が、１００％以下である。
【０３９２】
〔溶解安定性〕
イエローインク、マゼンタインク、シアンインク、及びブラックインク（但し、インクセットがブラックインク組成物を含む場合のみブラックインクを含む。）を調製する際、各成分を混合して、２時間攪拌した。その後、それぞれについて、材料成分が均一に溶解（分散）できているかどうかを目視により観察し、下記判定基準により、溶解安定性を評価した。
（評価基準）
Ａ  ：  原料成分が均一に溶解（分散）しており、溶け残った浮遊物は観察されない。
Ｂ  ：  室温で1時間以上の攪拌をすることで原料成分が均一に溶解（分散）し、溶
け残った浮遊物は観察されない。
Ｃ  ：  原料成分が溶解（分散）せずに、溶け残りが浮遊物として観察される。
【０３９３】
〔初期充填性〕
調製した各インクセットを、インクジェットプリンター（Ｌ８００〔製品名〕、セイコーエプソン社製）のインクタンクに充填した。Ｌ８００の定める初期充填シーケンスに従い、ヘッドへの初期充填動作を行った。この後、ヘッドの全ノズルからインクが吐出できるかどうかを確認するため、ノズルチェックを実施した。インクが吐出できないノズルがある場合には、ヘッドのクリーニング（ノズル内のインクの吸引）を行い、その後再度ノズルチェックを実施した。全ノズルからインクが吐出できるまでに要したクリーニングの回数に基づき、以下の評価基準により初期充填性を評価した。評価結果を下記表６〜７に示す。
（評価基準）
Ａ  ：  初期充填シーケンスのみで全ノズルから吐出する。
Ｂ  ：  全ノズルからインクが吐出できるまでに要したクリーニング回数が１回である。
Ｃ  ：  全ノズルからインクが吐出できるまでに要したクリーニング回数が２回以上である。
【０３９４】
〔連続印字安定性〕
上記「初期充填性の評価」によって、ヘッドの全ノズルからインクが吐出できることを確認した後、各インク組成物及びＡ４サイズの普通紙（Ｐ紙〔製品名〕、富士ゼロックス社製）を用いて、７０％Ｄｕｔｙの画像を印刷することにより、連続印刷安定性の評価を行った。印刷枚数は、５００枚の連続印刷を２回行い、合計で１，０００枚とした。その後、ノズルチェックを実施し、ノズル抜けの本数に基づき、以下の評価基準により連続印刷安定性を評価した。評価結果を下記表６〜７に示す。
（評価基準）
Ａ  ：  ノズル抜けが発生した回数が１本以下である。
Ｂ  ：  ノズル抜けが発生した回数が２本以下である。
Ｃ  ：  ノズル抜けが発生した回数が３本以上である。
【０３９５】
〔耐ブリード〕
インクジェットプリンタＥＰ−８０３（セイコーエプソン株式会社製）を使用し、さらに上記インクセットを用いて、写真用紙設定、きれい、Ｂｉ−Ｄ、色補正なしのモードで、写真用紙＜光沢＞（セイコーエプソン株式会社製）にＤｕｔｙが８０％、９０％、１００％のベタ画像を印刷することによって記録物を作成した。
【０３９６】
得られた記録物の記録領域の色の境界の滲みを目視にて観察し、下記評価基準により、耐ブリード性を評価した。
（評価基準）
Ａ  ：  Ｄｕｔｙ１００％でカラー間での滲みが発生しない。
Ｂ  ：  Ｄｕｔｙ９０％でカラー間での滲みが発生しない。
Ｃ  ：  Ｄｕｔｙ８０％以下でカラー間での滲みが発生しない。
【０３９７】
【表６】
0006520452.tif 000081
【０３９８】
【表７】
0006520452.tif 000082
【０３９９】
【表８】
0006520452.tif 000083
【０４００】
【表９】
0006520452.tif 000084
【０４０１】
【表１０】
0006520452.tif 000085
【０４０２】
【表１１】
0006520452.tif 000086
【０４０３】
【表１２】
0006520452.tif 000087
Ｂｋ−３：
Ｂｋ−４：